(57)【要約】【課題】原稿の所定位置に付与されている画像パターンの色彩を認識することができるようにして、画像パターンに含まれる色彩情報に基づいて、画像の出力先等の出力情報を自動的に判断することができるようにする。【解決手段】原稿１１の画像を画像データとして読み取る読み取り手段と、前記画像データを出力する出力手段と、前記原稿１１の所定位置にある画像パターンの色彩を認識する認識手段と、前記画像パターンの色彩と前記画像データの出力先とをあらかじめ対応付けた出力先対応テーブルを登録した登録手段とを有し、前記出力手段は、認識した画像パターンの色彩に基づき、前記出力先対応テーブルを参照して決定される出力先に、前記画像データを出力する。【選択図】図１
2006093892.tif 000002
【特許請求の範囲】
【請求項１】
（ａ）原稿の画像を画像データとして読み取る読み取り手段と、
（ｂ）前記画像データを出力する出力手段と、
（ｃ）前記原稿の所定位置にある画像パターンの色彩を認識する認識手段と、
（ｄ）前記画像パターンの色彩と前記画像データの出力先とをあらかじめ対応付けた出力先対応テーブルを登録した登録手段とを有し、
（ｅ）前記出力手段は、認識した画像パターンの色彩に基づき、前記出力先対応テーブルを参照して決定される出力先に、前記画像データを出力することを特徴とする画像入出力装置。
【請求項２】
前記出力先対応テーブルは画像パターンの色彩と電子メールアドレスとを対応付けるものであり、前記出力手段は、前記出力先対応テーブルを参照して決定された電子メールアドレスを指定し、前記画像データを電子メールとして送信する請求項１に記載の画像入出力装置。
【請求項３】
前記出力先対応テーブルは画像パターンの色彩とファクシミリ番号とを対応付けるものであり、前記出力手段は、前記出力先対応テーブルを参照して決定されたファクシミリ番号を指定し、前記画像データをファクシミリ手順に従って送信する請求項１に記載の画像入出力装置。
【請求項４】
前記出力先対応テーブルは画像パターンの色彩とコピー枚数とを対応付けるものであり、前記出力手段は、前記出力先対応テーブルを参照して決定されたコピー枚数を指定し、前記画像データを印刷手順に従って印刷する請求項１に記載の画像入出力装置。
【請求項５】
前記出力先対応テーブルは画像パターンの色彩とファイリングサーバとを対応付けるものであり、前記出力手段は、前記出力先対応テーブルを参照して決定されたファイリングサーバを指定し、前記画像データをファイリング手順に従って送信する請求項１に記載の画像入出力装置。
【請求項６】
前記出力手段は機能の異なる複数の出力部を備え、前記登録手段は複数の画像パターンと前記出力部とをあらかじめ対応付けた出力部選択テーブルを登録し、前記出力手段は、認識した画像パターンに基づき、前記出力部選択テーブルを参照して決定される出力部から前記画像データを出力する請求項１に記載の画像入出力装置。
【請求項７】
前記画像パターンに欠落する情報をオペレータが入力する操作部を有し、前記画像パターン又は該画像パターンの色彩が認識されない場合、前記操作部から入力される情報に基づいて出力先又は出力部が決定される請求項１又は６に記載の画像入出力装置。
【請求項８】
（ａ）原稿の画像を画像データとして読み取る読み取り手段と、
（ｂ）前記画像データを出力する機能の異なる複数の出力部を備える出力手段と、
（ｃ）前記原稿の所定位置にある画像パターンの色彩を認識する認識手段と、
（ｄ）前記画像パターンの色彩と出力部とをあらかじめ対応付けた出力部選択テーブルを登録した登録手段とを有し、
（ｅ）前記出力手段は、認識した画像パターンの色彩に基づき、前記出力部選択テーブルを参照して決定される出力部から、前記画像データを出力することを特徴とする画像入出力装置。
【請求項９】
前記出力部は、前記画像データを電子メールに添付して送信する電子メール送信部、前記画像データをファクシミリ手順に従って送信するファクシミリ送信部、前記画像データを印刷出力する印刷出力部、前記画像データをファイリング手順に従って送信するファイリング機能部、又は、読み取った画像データをＰＣスキャン手順に従ってデータ転送するＰＣスキャン機能部である請求項６又は８に記載の画像入出力装置。
【請求項１０】
前記登録手段は前記画像パターンと前記画像データの出力先とをあらかじめ対応付けた出力先対応テーブルを登録し、前記出力手段は、認識した画像パターンに基づき、前記出力先対応テーブルを参照して決定される出力先に、前記画像データを出力する請求項８に記載の画像入出力装置。
【請求項１１】
前記画像パターンに欠落する情報をオペレータが入力する操作部を有し、前記画像パターン又は該画像パターンの色彩が認識されない場合、前記操作部から入力される情報に基づいて出力先又は出力部が決定される請求項８又は１０に記載の画像入出力装置。
【請求項１２】
前記画像パターンは、前記原稿における読み取るべき画像データと反対の面に形成される請求項１に記載の画像入出力装置。
【請求項１３】
前記原稿の両面の所定位置における画像パターンの有無を判断する請求項１〜１１のいずれか１項に記載の画像入出力装置。
【請求項１４】
前記画像パターンが前記原稿のいずれの面において検出されたかに基づいて、前記原稿における画像を読み取る面を決定する請求項１３に記載の画像入出力装置。
【請求項１５】
（ａ）画像データを出力する出力手段と、
（ｂ）印刷要求のあったホストを検出する手段と、
（ｃ）印刷要求されたデータを印刷する手段と、
（ｄ）前記印刷要求されたデータを印刷する際に、前記ホストに固有の有彩色による画像パターンを印刷する手段と、
（ｅ）複数の有彩色の画像パターンと前記ホストとをあらかじめ対応付けたテーブルを登録した登録手段とを有し、
（ｆ）検出したホストの情報に基づき、前記テーブルを参照して決定される有彩色の画像パターンを印刷することを特徴とする画像入出力装置。
【請求項１６】
前記有彩色の画像パターンを、印刷要求されたデータと同一面に印刷する請求項１５に記載の画像入出力装置。
【請求項１７】
前記有彩色の画像パターンを、印刷要求されたデータと反対の面に印刷する請求項１５に記載の画像入出力装置。
【請求項１８】
（ａ）画像データを出力する出力手段と、
（ｂ）ホストから印刷要求されたデータを印刷する手段と、
（ｃ）前記印刷要求されたデータを印刷する際に、前記ホストに固有の画像パターンを印刷する手段とを有し、
（ｄ）前記印刷要求されたデータと前記画像パターンとを反対の面に印刷することを特徴とする画像入出力装置。
【発明の詳細な説明】
【技術分野】
【０００１】
本発明は、画像入出力装置に関するものである。
【背景技術】
【０００２】
従来、ファクシミリ（以下「ＦＡＸ」という。）装置、マルチファンクションプリンタ（以下「ＭＦＰ」という。）等の画像入出力装置には、画像読み取り部に画像読み取り装置が装着されているが、該画像読み取り装置としては、一般的にモノクロイメージスキャナが使用されている。該モノクロイメージスキャナは、無彩色、すなわち、モノクロームの画像パターンが付与されている読み取り原稿をスキャニングして画像データを読み取ることを目的として開発製造されたものである。
【０００３】
そして、前記画像入出力装置においては、原稿をＦＡＸや電子メールで相手先に送信する場合、原稿の先端部に電話番号又は電子メールアドレスを記載しておくようになっている。これにより、オペレータが電話番号や電子メールアドレスをオペレーションパネル制御部から入力しなくても、前記原稿の先端部に電話番号又は電子メールアドレスが画像読み取り装置によって読み取られ、読み取られた電話番号又は電子メールアドレスに自動的に原稿が送信されるようになっている。なお、電子メールの場合は、読み取られた原稿の画像が添付ファイルとして送信される（例えば、特許文献１参照。）。
【特許文献１】特開２００１−３２０５４２号公報
【発明の開示】
【発明が解決しようとする課題】
【０００４】
しかしながら、前記従来のＦＡＸ装置のＭＦＰのような画像入出力装置においては、有彩色、すなわち、カラーの画像パターンが付与されている原稿を読み取る場合、読み取った画像データから画像パターンを認識することはできても、画像パターンに付与されている色彩情報を認識することができなかった。そのため、画像パターンに含まれる色彩情報を有効に利用することができなかった。
【０００５】
本発明は、前記従来の画像入出力装置の問題点を解決して、原稿の所定位置に付与されている画像パターンの色彩を認識することができるようにして、画像パターンに含まれる色彩情報に基づいて、画像の出力先等の出力情報を自動的に判断することができる画像入出力装置を提供することを目的とする。
【課題を解決するための手段】
【０００６】
そのために、本発明の画像入出力装置においては、原稿の画像を画像データとして読み取る読み取り手段と、前記画像データを出力する出力手段と、前記原稿の所定位置にある画像パターンの色彩を認識する認識手段と、前記画像パターンの色彩と前記画像データの出力先とをあらかじめ対応付けた出力先対応テーブルを登録した登録手段とを有し、前記出力手段は、認識した画像パターンの色彩に基づき、前記出力先対応テーブルを参照して決定される出力先に、前記画像データを出力する。
【発明の効果】
【０００７】
本発明によれば、画像入出力装置は、原稿の所定位置に付与されている画像パターンの色彩を認識することができるようになっている。そのため、画像パターンに含まれる色彩情報に基づいて、画像の出力先等の出力情報を自動的に判断することができる。
【発明を実施するための最良の形態】
【０００８】
以下、本発明の実施の形態について図面を参照しながら詳細に説明する。
【０００９】
図１は本発明の第１の実施の形態における画像入出力装置の構成を示すブロック図、図２は本発明の第１の実施の形態における原稿の例を示す図である。
【００１０】
図１において、１０は本実施の形態における画像入出力装置であり、例えば、ＦＡＸ装置、プリンタとファクシミリ機と複写機との機能を併せ持つ複合機としてのＭＦＰ等であるが、画像を入力する機能と出力する機能とを有する装置であれば、いかなる種類の装置であってもよい。ここでは、前記画像入出力装置１０が読み込んだ画像に対して、電子メール送信機能、ファクシミリ送信機能、コピー機能等を有し、カラー画像の入出力を行うことができるカラーＭＰＦであるものとして説明する。
【００１１】
そして、前記画像入出力装置１０は、図１に示されるように、原稿１１のカラー画像データを読み取る読み取り手段としてのカラーイメージスキャナ部１２、読み取った画像データから色彩情報を認識する認識手段としての色彩認識手段１３、認識した色彩情報を格納する第１メモリ１８、同様に読み取った画像データから画像パターン情報を認識する画像パターン認識手段１４、認識した画像パターン情報を格納する第２メモリ１９、読み込んだ画像データを格納する画像メモリ１５、あらかじめカラーＭＰＦの機能が付与されている画像データに対する色彩データへの固有情報入力が可能な出力先対応テーブルとしての出力選択テーブル１６、読み取った色彩情報及び画像パターン情報を、前記出力選択テーブル１６に登録されている内容と比較するコンパレータ制御部１７、オペレータが相手先の電子メールアドレスやＦＡＸ番号を入力するオペレーションパネル制御部２０、画像入出力装置１０全体の動作を制御する制御部２１、電子写真記録装置等の印刷出力部としてのプリンタ部２２、電子メールの添付ファイル形式でデータ送信を行う機能を制御する電子メール送信部としての電子メール制御部２３、ＦＡＸ機能をすべて制御するＦＡＸ送信部としてのＦＡＸ制御部２４、及び、ファイルサーバへのデータ送信を制御するファイリング機能部としてのファイリング制御部２５を有する。なお、前記プリンタ部２２、電子メール制御部２３、ＦＡＸ制御部２４及びファイリング制御部２５は、画像データを出力する出力手段の各出力部として機能する。さらに、前記出力選択テーブル１６は出力部選択テーブルとしても機能する。
【００１２】
また、前記原稿１１には、図２に示されるように、所定位置、すなわち、先端部（図２における上端部）に有彩色、すなわち、カラーの画像パターン１１ａが付与されている。なお、図２に示される例において、画像パターン１１ａの形状は、■、▲及び★であるが、他の形状、例えば、◆等であってもよい。また、図２に示される例において、画像パターン１１ａの色彩は、赤、青及び紫であるが、他の色、例えば、緑、橙（だいだい）等であってもよい。
【００１３】
次に、前記構成の画像入出力装置１０の動作について説明する。
【００１４】
まず、前手順として、出力選択テーブル１６において、形状に対応してあらかじめ電子メール送信機能、ＦＡＸ送信機能、部数指定コピー機能、ファイリング機能等の各種機能が対応付けられている各種の画像パターン１１ａについて、図示されない登録手段が各色彩に対応する固有情報を登録する方法について説明する。
【００１５】
図３は本発明の第１の実施の形態における画像パターンの各色彩に対応する固有情報の例を示す図、図４は本発明の第１の実施の形態における固有情報を登録する動作を示す第１のフローチャート、図５は本発明の第１の実施の形態における固有情報を登録する動作を示す第２のフローチャートである。
【００１６】
まず、画像入出力装置１０は、登録意思があるか否かを判断し、登録意思がない場合は処理を終了し、登録意思がある場合は登録を開始する。
【００１７】
そして、電子メール送信機能が対応付けられている画像パターン１１ａとしての■への登録を希望し、かつ、色彩データとしての赤への登録を希望する場合は任意の電子メールアドレスを入力し、色彩データとしての緑への登録を希望する場合は任意の電子メールアドレスを入力し、色彩データとしての青への登録を希望する場合は任意の電子メールアドレスを入力し、色彩データとしての橙への登録を希望する場合は任意の電子メールアドレスを入力し、色彩データとしての紫への登録を希望する場合は任意の電子メールアドレスを入力する。
【００１８】
また、ＦＡＸ送信機能が対応付けられている画像パターン１１ａとしての★への登録を希望し、かつ、色彩データとしての赤への登録を希望する場合は任意のＦＡＸ番号を入力し、色彩データとしての緑への登録を希望する場合は任意のＦＡＸ番号を入力し、色彩データとしての青への登録を希望する場合は任意のＦＡＸ番号を入力し、色彩データとしての橙への登録を希望する場合は任意のＦＡＸ番号を入力し、色彩データとしての紫への登録を希望する場合は任意のＦＡＸ番号を入力する。
【００１９】
さらに、部数指定コピー機能が対応付けられている画像パターン１１ａとしての▲への登録を希望し、かつ、色彩データとしての赤への登録を希望する場合は任意の枚数を入力し、色彩データとしての緑への登録を希望する場合は任意の枚数を入力し、色彩データとしての青への登録を希望する場合は任意の枚数を入力し、色彩データとしての橙への登録を希望する場合は任意の枚数を入力し、色彩データとしての紫への登録を希望する場合は任意の枚数を入力する。
【００２０】
そして、ファイリング機能が対応付けられている画像パターン１１ａとしての◆への登録を希望し、かつ、色彩データとしての赤への登録を希望する場合は任意のサーバアドレスを入力し、色彩データとしての緑への登録を希望する場合は任意のサーバアドレスを入力し、色彩データとしのて青への登録を希望する場合は任意のサーバアドレスを入力し、色彩データとしての橙への登録を希望する場合は任意のサーバアドレスを入力し、色彩データとしての紫への登録を希望する場合は任意のサーバアドレスを入力する。
【００２１】
また、入力確認や再入力の場合には、前述された動作を繰り返し行い、登録作業が終了した場合は、処理を終了する。これにより、あらかじめ電子メール送信機能、ＦＡＸ送信機能、部数指定コピー機能、ファイリング機能等の各種機能が対応付けられている各種の画像パターン１１ａについての各色彩に対応する固有情報の登録が完了し、図３に示されるように、画像パターン１１ａの各色彩に対応して、各種の固有情報が登録される。
【００２２】
次に、フローチャートについて説明する。
ステップＳ１  登録を開始するか否かを判断する。登録を開始する場合はステップＳ２に進み、登録を開始しない場合はステップＳ４６に進む。
ステップＳ２  電子メール送信機能が対応付けられている画像パターン１１ａ：■への登録であるか否かを判断する。画像パターン１１ａ：■への登録である場合はステップＳ３に進み、画像パターン１１ａ：■への登録でない場合はステップＳ１３に進む。
ステップＳ３  色彩データ：赤への登録であるか否かを判断する。色彩データ：赤への登録である場合はステップＳ４に進み、色彩データ：赤への登録でない場合はステップＳ５に進む。
ステップＳ４  色彩データ：赤への電子メールアドレスを登録する。
ステップＳ５  色彩データ：緑への登録であるか否かを判断する。色彩データ：緑への登録である場合はステップＳ６に進み、色彩データ：緑への登録でない場合はステップＳ７に進む。
ステップＳ６  色彩データ：緑への電子メールアドレスを登録する。
ステップＳ７  色彩データ：青への登録であるか否かを判断する。色彩データ：青への登録である場合はステップＳ８に進み、色彩データ：青への登録でない場合はステップＳ９に進む。
ステップＳ８  色彩データ：青への電子メールアドレスを登録する。
ステップＳ９  色彩データ：橙への登録であるか否かを判断する。色彩データ：橙への登録である場合はステップＳ１０に進み、色彩データ：橙への登録でない場合はステップＳ１１に進む。
ステップＳ１０  色彩データ：橙への電子メールアドレスを登録する。
ステップＳ１１  色彩データ：紫への登録であるか否かを判断する。色彩データ：紫への登録である場合はステップＳ１２に進み、色彩データ：紫への登録でない場合はステップＳ３に戻る。
ステップＳ１１Ａ  登録が終了したか否かを判断する。登録が終了した場合は処理を終了し、登録が終了していない場合はステップＳ３に戻る。
ステップＳ１２  色彩データ：紫への電子メールアドレスを登録する。
ステップＳ１３  ＦＡＸ送信機能が対応付けられている画像パターン１１ａ：★への登録であるか否かを判断する。画像パターン１１ａ：★への登録である場合はステップＳ１４に進み、画像パターン１１ａ：★への登録でない場合はステップＳ２４に進む。
ステップＳ１４  色彩データ：赤への登録であるか否かを判断する。色彩データ：赤への登録である場合はステップＳ１５に進み、色彩データ：赤への登録でない場合はステップＳ１６に進む。
ステップＳ１５  色彩データ：赤へのＦＡＸ番号を登録する。
ステップＳ１６  色彩データ：緑への登録であるか否かを判断する。色彩データ：緑への登録である場合はステップＳ１７に進み、色彩データ：緑への登録でない場合はステップＳ１８に進む。
ステップＳ１７  色彩データ：緑へのＦＡＸ番号を登録する。
ステップＳ１８  色彩データ：青への登録であるか否かを判断する。色彩データ：青への登録である場合はステップＳ１９に進み、色彩データ：青への登録でない場合はステップＳ２０に進む。
ステップＳ１９  色彩データ：青へのＦＡＸ番号を登録する。
ステップＳ２０  色彩データ：橙への登録であるか否かを判断する。色彩データ：橙への登録である場合はステップＳ２１に進み、色彩データ：橙への登録でない場合はステップＳ２２に進む。
ステップＳ２１  色彩データ：橙へのＦＡＸ番号を登録する。
ステップＳ２２  色彩データ：紫への登録であるか否かを判断する。色彩データ：紫への登録である場合はステップＳ２３に進み、色彩データ：紫への登録でない場合はステップＳ２２Ａに進む。
ステップＳ２２Ａ  登録が終了したか否かを判断する。登録が終了した場合は処理を終了し、登録が終了していない場合はステップＳ１４に戻る。
ステップＳ２３  色彩データ：紫へのＦＡＸ番号を登録する。
ステップＳ２４  部数指定コピー機能が対応付けられている画像パターン１１ａ：▲への登録であるか否かを判断する。画像パターン１１ａ：▲への登録である場合はステップＳ２５に進み、画像パターン１１ａ：▲への登録でない場合はステップＳ３５に進む。
ステップＳ２５  色彩データ：赤への登録であるか否かを判断する。色彩データ：赤への登録である場合はステップＳ２６に進み、色彩データ：赤への登録でない場合はステップＳ２７に進む。
ステップＳ２６  色彩データ：赤へのコピー枚数を登録する。
ステップＳ２７  色彩データ：緑への登録であるか否かを判断する。色彩データ：緑への登録である場合はステップＳ２８に進み、色彩データ：緑への登録でない場合はステップＳ２９に進む。
ステップＳ２８  色彩データ：緑へのコピー枚数を登録する。
ステップＳ２９  色彩データ：青への登録であるか否かを判断する。色彩データ：青への登録である場合はステップＳ３０に進み、色彩データ：青への登録でない場合はステップＳ３１に進む。
ステップＳ３０  色彩データ：青へのコピー枚数を登録する。
ステップＳ３１  色彩データ：橙への登録であるか否かを判断する。色彩データ：橙への登録である場合はステップＳ３２に進み、色彩データ：橙への登録でない場合はステップＳ３３に進む。
ステップＳ３２  色彩データ：橙へのコピー枚数を登録する。
ステップＳ３３  色彩データ：紫への登録であるか否かを判断する。色彩データ：紫への登録である場合はステップＳ３４に進み、色彩データ：紫への登録でない場合はステップＳ３３Ａに進む。
ステップＳ３３Ａ  登録が終了したか否かを判断する。登録が終了した場合は処理を終了し、登録が終了していない場合はステップＳ２５に戻る。
ステップＳ３４  色彩データ：紫へのコピー枚数を登録する。
ステップＳ３５  ファイリング機能が対応付けられている画像パターン１１ａ：◆への登録であるか否かを判断する。画像パターン１１ａ：◆への登録である場合はステップＳ３６に進み、画像パターン１１ａ：◆への登録でない場合はステップＳ４６に進む。
ステップＳ３６  色彩データ：赤への登録であるか否かを判断する。色彩データ：赤への登録である場合はステップＳ３７に進み、色彩データ：赤への登録でない場合はステップＳ３８に進む。
ステップＳ３７  色彩データ：赤へのサーバアドレスを登録する。
ステップＳ３８  色彩データ：緑への登録であるか否かを判断する。色彩データ：緑への登録である場合はステップＳ３９に進み、色彩データ：緑への登録でない場合はステップＳ４０に進む。
ステップＳ３９  色彩データ：緑へのサーバアドレスを登録する。
ステップＳ４０  色彩データ：青への登録であるか否かを判断する。色彩データ：青への登録である場合はステップＳ４１に進み、色彩データ：青への登録でない場合はステップＳ４２に進む。
ステップＳ４１  色彩データ：青へのサーバアドレスを登録する。
ステップＳ４２  色彩データ：橙への登録であるか否かを判断する。色彩データ：橙への登録である場合はステップＳ４３に進み、色彩データ：橙への登録でない場合はステップＳ４４に進む。
ステップＳ４３  色彩データ：橙へのサーバアドレスを登録する。
ステップＳ４４  色彩データ：紫への登録であるか否かを判断する。色彩データ：紫への登録である場合はステップＳ４５に進み、色彩データ：紫への登録でない場合はステップＳ４４Ａに進む。
ステップＳ４４Ａ  登録が終了したか否かを判断する。登録が終了した場合は処理を終了し、登録が終了していない場合はステップＳ３６に戻る。
ステップＳ４５  色彩データ：紫へのサーバアドレスを登録する。
ステップＳ４６  登録が終了したか否かを判断する。登録が終了した場合は処理を終了し、登録が終了していない場合はステップＳ２に戻る。
【００２３】
次に、画像入出力装置１０が原稿１１を読み取る場合の動作について説明する。
【００２４】
図６は本発明の第１の実施の形態における原稿を読み取る場合の動作を示す第１のフローチャート、図７は本発明の第１の実施の形態における原稿を読み取る場合の動作を示す第２のフローチャート、図８は本発明の第１の実施の形態における原稿を読み取る場合の動作を示す第３のフローチャート、図９は本発明の第１の実施の形態における原稿を読み取る場合の動作を示す第４のフローチャート、図１０は本発明の第１の実施の形態における原稿を読み取る場合の動作を示す第５のフローチャートである。
【００２５】
まず、図示されない原稿検出センサが画像入出力装置１０に原稿１１がセットされたことを検知すると、カラーイメージスキャナ部１２が原稿１１の先端部の読み取りを開始する。続いて、原稿１１の先端部に図２に示されるような画像パターン１１ａが付与されているか否か、すなわち、画像パターン１１ａの有無を検知する。そして、画像パターン１１ａが確認された場合、画像パターン認識手段１４は、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識手段１４によって第２メモリ１９に格納されている画像パターン情報とを比較する。
【００２６】
そして、読み取った画像パターン１１ａの形状が出力選択テーブル１６に登録されている■であるか否かを判断し、■である場合には電子メール送信準備を開始する。また、■でない場合には、読み取った画像パターン１１ａが出力選択テーブル１６に登録されている★であるか否かを判断し、★である場合にはＦＡＸ送信準備を開始する。また、★でない場合には、読み取った画像パターン１１ａが出力選択テーブル１６に登録されている▲であるか否かを判断し、▲である場合にはコピー準備を開始する。また、▲でない場合には、読み取った画像パターン１１ａが出力選択テーブル１６に登録されている◆であるか否かを判断し、◆である場合にはファイリング準備を開始する。ここで、カラーイメージスキャナ部１２は原稿１１の先端部以降の部分に対して読み取りを継続して行い、この読み取りデータは画像メモリ１５に格納される。
【００２７】
一方、原稿１１の先端部に画像パターン１１ａが付与されていない場合や、この画像パターン１１ａの形状が何らかの理由によって認識することができない場合、また、出力選択テーブル１６にあらかじめ登録されている画像パターン１１ａの形状を示す情報と、認識した画像パターン１１ａの形状とが一致しない場合、画像入出力装置１０はこれらの動作を中止するために、原稿１１を強制的に排出し、待機状態にリセットする。
【００２８】
そして、認識した画像パターン１１ａの形状が■であると判断された場合、画像入出力装置１０は、電子メール送信準備を開始して、有彩色の有無を判断し、有彩色がある場合、色彩認識手段１３は色彩認識処理を行い、画像パターン１１ａとしての■の色彩情報を第１メモリ１８に格納する。該第１メモリ１８及び第２メモリ１９のデータの有無を常時監視しているコンパレータ制御部１７は、出力選択テーブル１６に登録されている色彩データと、色彩認識によって第１メモリ１８に格納されている色彩情報とを比較する。
【００２９】
まず、色彩情報が赤であるか否かを判断し、赤である場合は、色彩データとしての赤に登録されている電子メールアドレスを宛（あ）て先としてセットする。また、赤でない場合には、前記色彩情報が緑であるか否かを判断し、緑である場合は、色彩データとしての緑に登録されている電子メールアドレスを宛て先としてセットする。また、緑でない場合には、前記色彩情報が青であるか否かを判断し、青である場合は、色彩データとしての青に登録されている電子メールアドレスを宛て先としてセットする。また、青でない場合には、前記色彩情報が橙であるか否かを判断し、橙である場合は、色彩データとしての橙に登録されている電子メールアドレスを宛て先としてセットする。また、橙でない場合には、前記色彩情報が紫であるか否かを判断し、紫である場合は、色彩データとしての紫に登録されている電子メールアドレスを宛て先としてセットする。
【００３０】
一方、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はこれらの動作を中止するために、原稿１１を強制的に排出し、待機状態にリセットする。
【００３１】
前述の手順によって電子メールの送信機能が選択され、電子メールの宛て先が決定されたことを検知した電子メール制御部２３は、画像メモリ１５に格納されたデータを添付ファイル形式に変換した後、電子メールに添付し、該電子メールを送信するための準備を行い、電子メールを送信するための準備が完了した時点で前記電子メールを送信し、動作を終了する。
【００３２】
また、認識した画像パターン１１ａの形状が★であると判断された場合、画像入出力装置１０は、ＦＡＸ送信準備を開始して、有彩色の有無を判断し、有彩色がある場合、色彩認識手段１３は色彩認識処理を行い、画像パターン１１ａとしての★の色彩情報を第１メモリ１８に格納する。該第１メモリ１８及び第２メモリ１９のデータの有無を常時監視しているコンパレータ制御部１７は、出力選択テーブル１６に登録されている色彩データと、色彩認識によって第１メモリ１８に格納されている色彩情報とを比較する。
【００３３】
まず、色彩情報が赤であるか否かを判断し、赤である場合は、色彩データとしての赤に登録されているＦＡＸ番号を宛て先としてセットする。また、赤でない場合には、前記色彩情報が緑であるか否かを判断し、緑である場合は、色彩データとしての緑に登録されているＦＡＸ番号を宛て先としてセットする。また、緑でない場合には、前記色彩情報が青であるか否かを判断し、青である場合は、色彩データとしての青に登録されているＦＡＸ番号を宛て先としてセットする。また、青でない場合には、前記色彩情報が橙であるか否かを判断し、橙である場合は、色彩データとしての橙に登録されているＦＡＸ番号を宛て先としてセットする。また、橙でない場合には、前記色彩情報が紫であるか否かを判断し、紫である場合は、色彩データとしての紫に登録されているＦＡＸ番号を宛て先としてセットする。
【００３４】
一方、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はこれらの動作を中止するために、原稿１１を強制的に排出し、待機状態にリセットする。
【００３５】
前述の手順によってＦＡＸの送信機能が選択され、ＦＡＸの宛て先が決定されたことを検知したＦＡＸ制御部２４は、電話回線に接続し、ＦＡＸを送信するための準備を行い、ＦＡＸを送信するための準備が完了した時点で、画像メモリ１５に格納されたデータを送信し、動作を終了する。
【００３６】
さらに、認識した画像パターン１１ａの形状が▲であると判断された場合、画像入出力装置１０は、コピー準備を開始して、有彩色の有無を判断し、有彩色がある場合、色彩認識手段１３は色彩認識処理を行い、画像パターン１１ａとしての▲の色彩情報を第１メモリ１８に格納する。該第１メモリ１８及び第２メモリ１９のデータの有無を常時監視しているコンパレータ制御部１７は、出力選択テーブル１６に登録されている色彩データと、色彩認識によって第１メモリ１８に格納されている色彩情報とを比較する。
【００３７】
まず、色彩情報が赤であるか否かを判断し、赤である場合は、色彩データとしての赤に登録されている指定されたコピー枚数をセットする。また、赤でない場合には、前記色彩情報が緑であるか否かを判断し、緑である場合は、色彩データとしての緑に登録されている指定されたコピー枚数をセットする。また、緑でない場合には、前記色彩情報が青であるか否かを判断し、青である場合は、色彩データとしての青に登録されている指定されたコピー枚数をセットする。また、青でない場合には、前記色彩情報が橙であるか否かを判断し、橙である場合は、色彩データとしての橙に登録されている指定されたコピー枚数をセットする。また、橙でない場合には、前記色彩情報が紫であるか否かを判断し、紫である場合は、色彩データとしての紫に登録されている指定されたコピー枚数をセットする。
【００３８】
一方、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はこれらの動作を中止するために、原稿１１を強制的に排出し、待機状態にリセットする。
【００３９】
前述の手順によって部数指定コピー機能が選択され、指定されたコピー枚数が決定されたことを検知したプリンタ部２２は、コピー動作のための準備を行い、コピー動作のための準備が完了した時点で、画像メモリ１５に格納されたデータを指定されたコピー枚数分コピーし、動作を終了する。
【００４０】
さらに、認識した画像パターン１１ａの形状が◆であると判断された場合、画像入出力装置１０は、ファイリング準備を開始して、有彩色の有無を判断し、有彩色がある場合、色彩認識手段１３は色彩認識処理を行い、画像パターン１１ａとしての◆の色彩情報を第１メモリ１８に格納する。該第１メモリ１８及び第２メモリ１９のデータの有無を常時監視しているコンパレータ制御部１７は、出力選択テーブル１６に登録されている色彩データと、色彩認識によって第１メモリ１８に格納されている色彩情報とを比較する。
【００４１】
まず、色彩情報が赤であるか否かを判断し、赤である場合は、色彩データとしての赤に登録されているサーバアドレスを宛て先としてセットする。また、赤でない場合には、前記色彩情報が緑であるか否かを判断し、緑である場合は、色彩データとしての緑に登録されているサーバアドレスを宛て先としてセットする。また、緑でない場合には、前記色彩情報が青であるか否かを判断し、青である場合は、色彩データとしての青に登録されているサーバアドレスを宛て先としてセットする。また、青でない場合には、前記色彩情報が橙であるか否かを判断し、橙である場合は、色彩データとしての橙に登録されているサーバアドレスを宛て先としてセットする。また、橙でない場合には、前記色彩情報が紫であるか否かを判断し、紫である場合は、色彩データとしての紫に登録されているサーバアドレスを宛て先としてセットする。
【００４２】
一方、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はこれらの動作を中止するために、原稿１１を強制的に排出し、待機状態にリセットする。
【００４３】
前述の手順によってファイリング機能が選択され、ファイリングの送信先が決定されたことを検知したファイリング制御部２５は、画像メモリ１５に格納されたデータを特定のフォーマットに変換した後、ファイリング送信のためのデータの転送準備を行い、ファイリング送信のためのデータの転送準備が完了した時点で、指定サーバにデータを送信し、動作を終了する。
【００４４】
次に、フローチャートについて説明する。
ステップＳ５１  原稿１１がセットされるのを待機する。原稿１１がセットされた場合はステップＳ５２に進む。
ステップＳ５２  原稿１１の先端部の読み取りを開始する。
ステップＳ５３  画像パターン１１ａがあるか否かを判断する。画像パターン１１ａがある場合はステップＳ５４に進み、画像パターン１１ａがない場合はステップＳ１２４に進む。
ステップＳ５４  画像パターン認識処理を行う。
ステップＳ５５  画像パターン情報を第２メモリ１９に格納する。
ステップＳ５６  画像パターン情報が■であるか否かを判断する。画像パターン情報が■である場合はステップＳ５７に進み、画像パターン情報が■でない場合はステップＳ７３に進む。
ステップＳ５７  電子メール送信準備を開始する。
ステップＳ５８  有彩色があるか否かを判断する。有彩色がある場合はステップＳ５９に進み、有彩色がない場合はステップＳ１２４に進む。
ステップＳ５９  色彩認識処理を行う。
ステップＳ６０  色彩情報を第１メモリ１８に格納する。
ステップＳ６１  色彩情報が赤であるか否かを判断する。色彩情報が赤である場合はステップＳ６２に進み、色彩情報が赤でない場合はステップＳ６３に進む。
ステップＳ６２  色彩データ：赤に登録されている電子メールアドレスをセットする。
ステップＳ６３  色彩情報が緑であるか否かを判断する。色彩情報が緑である場合はステップＳ６４に進み、色彩情報が緑でない場合はステップＳ６５に進む。
ステップＳ６４  色彩データ：緑に登録されている電子メールアドレスをセットする。
ステップＳ６５  色彩情報が青であるか否かを判断する。色彩情報が青である場合はステップＳ６６に進み、色彩情報が青でない場合はステップＳ６７に進む。
ステップＳ６６  色彩データ：青に登録されている電子メールアドレスをセットする。
ステップＳ６７  色彩情報が橙であるか否かを判断する。色彩情報が橙である場合はステップＳ６８に進み、色彩情報が橙でない場合はステップＳ６９に進む。
ステップＳ６８  色彩データ：橙に登録されている電子メールアドレスをセットする。
ステップＳ６９  色彩情報が紫であるか否かを判断する。色彩情報が紫である場合はステップＳ７０に進み、色彩情報が紫でない場合はステップＳ１２４に進む。
ステップＳ７０  色彩データ：紫に登録されている電子メールアドレスをセットする。
ステップＳ７１  画処理データを電子メールに添付する。
ステップＳ７２  電子メールを送信し、処理を終了する。
ステップＳ７３  画像パターン情報が★であるか否かを判断する。画像パターン情報が★である場合はステップＳ７４に進み、画像パターン情報が★でない場合はステップＳ９０に進む。
ステップＳ７４  ＦＡＸ送信準備を開始する。
ステップＳ７５  有彩色があるか否かを判断する。有彩色がある場合はステップＳ７６に進み、有彩色がない場合はステップＳ１２４に進む。
ステップＳ７６  色彩認識処理を行う。
ステップＳ７７  色彩情報を第１メモリ１８に格納する。
ステップＳ７８  色彩情報が赤であるか否かを判断する。色彩情報が赤である場合はステップＳ７９に進み、色彩情報が赤でない場合はステップＳ８０に進む。
ステップＳ７９  色彩データ：赤に登録されているＦＡＸ番号をセットする。
ステップＳ８０  色彩情報が緑であるか否かを判断する。色彩情報が緑である場合はステップＳ８１に進み、色彩情報が緑でない場合はステップＳ８２に進む。
ステップＳ８１  色彩データ：緑に登録されているＦＡＸ番号をセットする。
ステップＳ８２  色彩情報が青であるか否かを判断する。色彩情報が青である場合はステップＳ８３に進み、色彩情報が青でない場合はステップＳ８４に進む。
ステップＳ８３  色彩データ：青に登録されているＦＡＸ番号をセットする。
ステップＳ８４  色彩情報が橙であるか否かを判断する。色彩情報が橙である場合はステップＳ８５に進み、色彩情報が橙でない場合はステップＳ８６に進む。
ステップＳ８５  色彩データ：橙に登録されているＦＡＸ番号をセットする。
ステップＳ８６  色彩情報が紫であるか否かを判断する。色彩情報が紫である場合はステップＳ８７に進み、色彩情報が紫でない場合はステップＳ１２４に進む。
ステップＳ８７  色彩データ：紫に登録されているＦＡＸ番号をセットする。
ステップＳ８８  電話回線を接続する。
ステップＳ８９  ＦＡＸデータを送信し、処理を終了する。
ステップＳ９０  画像パターン情報が▲であるか否かを判断する。画像パターン情報が▲である場合はステップＳ９１に進み、画像パターン情報が▲でない場合はステップＳ１０７に進む。
ステップＳ９１  コピー準備を開始する。
ステップＳ９２  有彩色があるか否かを判断する。有彩色がある場合はステップＳ９３に進み、有彩色がない場合はステップＳ１２４に進む。
ステップＳ９３  色彩認識処理を行う。
ステップＳ９４  色彩情報を第１メモリ１８に格納する。
ステップＳ９５  色彩情報が赤であるか否かを判断する。色彩情報が赤である場合はステップＳ９６に進み、色彩情報が赤でない場合はステップＳ９７に進む。
ステップＳ９６  色彩データ：赤に登録されているコピー枚数をセットする。
ステップＳ９７  色彩情報が緑であるか否かを判断する。色彩情報が緑である場合はステップＳ９８に進み、色彩情報が緑でない場合はステップＳ９９に進む。
ステップＳ９８  色彩データ：緑に登録されているコピー枚数をセットする。
ステップＳ９９  色彩情報が青であるか否かを判断する。色彩情報が青である場合はステップＳ１００に進み、色彩情報が青でない場合はステップＳ１０１に進む。
ステップＳ１００  色彩データ：青に登録されているコピー枚数をセットする。
ステップＳ１０１  色彩情報が橙であるか否かを判断する。色彩情報が橙である場合はステップＳ１０２に進み、色彩情報が橙でない場合はステップＳ１０３に進む。
ステップＳ１０２  色彩データ：橙に登録されているコピー枚数をセットする。
ステップＳ１０３  色彩情報が紫であるか否かを判断する。色彩情報が紫である場合はステップＳ１０４に進み、色彩情報が紫でない場合はステップＳ１２４に進む。
ステップＳ１０４  色彩データ：紫に登録されているコピー枚数をセットする。
ステップＳ１０５  コピー動作のための準備を行う。
ステップＳ１０６  指定枚数のコピーを行い、処理を終了する。
ステップＳ１０７  画像パターン情報が◆であるか否かを判断する。画像パターン情報が◆である場合はステップＳ１０８に進み、画像パターン情報が◆でない場合はステップＳ１２４に進む。
ステップＳ１０８  ファイリング準備を開始する。
ステップＳ１０９  有彩色があるか否かを判断する。有彩色がある場合はステップＳ１１０に進み、有彩色がない場合はステップＳ１２４に進む。
ステップＳ１１０  色彩認識処理を行う。
ステップＳ１１１  色彩情報を第１メモリ１８に格納する。
ステップＳ１１２  色彩情報が赤であるか否かを判断する。色彩情報が赤である場合はステップＳ１１３に進み、色彩情報が赤でない場合はステップＳ１１４に進む。
ステップＳ１１３  色彩データ：赤に登録されているサーバアドレスをセットする。
ステップＳ１１４  色彩情報が緑であるか否かを判断する。色彩情報が緑である場合はステップＳ１１５に進み、色彩情報が緑でない場合はステップＳ１１６に進む。
ステップＳ１１５  色彩データ：緑に登録されているサーバアドレスをセットする。
ステップＳ１１６  色彩情報が青であるか否かを判断する。色彩情報が青である場合はステップＳ１１７に進み、色彩情報が青でない場合はステップＳ１１８に進む。
ステップＳ１１７  色彩データ：青に登録されているサーバアドレスをセットする。
ステップＳ１１８  色彩情報が橙であるか否かを判断する。色彩情報が橙である場合はステップＳ１１９に進み、色彩情報が橙でない場合はステップＳ１２０に進む。
ステップＳ１１９  色彩データ：橙に登録されているサーバアドレスをセットする。
ステップＳ１２０  色彩情報が紫であるか否かを判断する。色彩情報が紫である場合はステップＳ１２１に進み、色彩情報が紫でない場合はステップＳ１２４に進む。
ステップＳ１２１  色彩データ：紫に登録されているサーバアドレスをセットする。
ステップＳ１２２  データ転送のための準備を行う。
ステップＳ１２３  指定サーバへのデータ送信を行い、処理を終了する。
ステップＳ１２４  原稿１１を排出する。
ステップＳ１２５  待機状態にリセットし、処理を終了する。
【００４５】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１から画像パターン１１ａの色彩情報を読み取るカラーイメージスキャナ部１２と、画像を記録紙に記録するプリンタ部２２と、色彩情報を認識する色彩認識手段１３と、画像パターン１１ａを認識する画像パターン認識手段１４と、色彩認識手段１３と画像パターン認識手段１４とによって原稿１１の所定領域に記載されている画像パターン１１ａの形状及び色彩情報を認識した場合、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５とを有する。そのため、オペレータは、原稿１１の所定領域（例えば、先端部）に所定の形状及び色彩の画像パターン１１ａを付与しておくことによって、煩わしい操作を行うことなく、自動的に電子メール送信、ＦＡＸ送信、部数指定コピー、ファイリング送信等を行わせることができる。
【００４６】
また、有彩色の画像パターン１１ａが付与された原稿１１は、第三者からどのような機能を有しているのか判別することができないので、相手先の電子メールアドレスやＦＡＸ番号の情報漏洩（えい）を防止することとなり、情報の保守性を高めることができる。
【００４７】
なお、本実施の形態においては、原稿１１の先端部に所定の形状及び色彩の画像パターン１１ａを付与するようになっているが、画像パターン１１ａの位置は先端部に限定されるものではなく、原稿１１の任意の位置に付与することができる。
【００４８】
また、前記画像パターン１１ａの色彩は、赤、緑、青、橙、紫の五色としたが、色彩の数はこれに限定されるものではない。色彩の数はスキャナの色彩情報に対する読み取り能力に依存するものであり、カラーイメージスキャナ部１２の読み取り能力を超えない範囲で色彩の数を決定することができる。
【００４９】
さらに、本実施の形態においては、電子メール送信機能、ＦＡＸ送信機能、部数指定コピー機能、ファイリング送信機能を自動的に起動させたが、これに限定されるものではなく、オペレータが前記電子メール送信機能、ＦＡＸ送信機能、部数指定コピー機能、ファイリング送信機能をマニュアルで設定することができることは言うまでもない。
【００５０】
以上のように、本実施の形態においては、原稿１１から画像パターン１１ａの色彩情報を読み込むことによって、該色彩情報を有効に利用することができる。
【００５１】
次に、本発明の第２の実施の形態について説明する。なお、第１の実施の形態と同じ構成を有するものは、同じ符号を付与することによってその説明を省略する。また、前記第１の実施の形態と同じ動作及び同じ効果についても、その説明を省略する。
【００５２】
本実施の形態において、画像入出力装置１０の構成は、前記第１の実施の形態と同様であるので説明を省略し、動作について説明する。また、前手順についても前記第１の実施の形態と同様であるので説明を省略する。さらに、原稿１１を読み取る場合の動作についても、基本的には前記第１の実施の形態における画像入出力装置１０の動作とほぼ同様であるので、相違点だけを説明する。
【００５３】
図１１は本発明の第２の実施の形態における原稿を読み取る場合の動作を示す第１のフローチャート、図１２は本発明の第２の実施の形態における原稿を読み取る場合の動作を示す第２のフローチャート、図１３は本発明の第２の実施の形態における原稿を読み取る場合の動作を示す第３のフローチャート、図１４は本発明の第２の実施の形態における原稿を読み取る場合の動作を示す第４のフローチャート、図１５は本発明の第２の実施の形態における原稿を読み取る場合の動作を示す第５のフローチャートである。
【００５４】
まず、図示されない原稿検出センサが画像入出力装置１０に原稿１１がセットされたことを検知して、カラーイメージスキャナ部１２が原稿１１の先端部の読み取りを開始してから、画像パターン１１ａの形状が■、★、▲及び◆のいずれであるかに応じて、電子メール送信準備、ＦＡＸ送信準備、コピー準備及びファイリング準備のいずれかを開始するまでの動作は、前記第１の実施の形態と同様であるので、説明を省略する。
【００５５】
なお、本実施の形態において、原稿１１の先端部に画像パターン１１ａが付与されていない場合や、この画像パターン１１ａの形状が何らかの理由によって認識することができない場合、また、出力選択テーブル１６にあらかじめ登録されている画像パターン１１ａの形状を示す情報と、認識した画像パターン１１ａの形状とが一致しない場合は、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【００５６】
そして、画像パターン１１ａの形状が■である場合において、有彩色の有無を判断してから、色彩情報が赤、緑、青、橙及び紫のいずれであるかに応じて、登録されている電子メールアドレスを宛て先としてセットするまでの動作は、前記第１の実施の形態と同様であるので、説明を省略する。
【００５７】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによって電子メールアドレスが入力されたことを検知した電子メール制御部２３は、入力された電子メールアドレスを送信先としてセットし、画像メモリ１５に格納されたデータを添付ファイル形式に変換した後、電子メールに添付し、該電子メールを送信するための準備を行い、電子メールを送信するための準備が完了した時点で前記電子メールを送信し、動作を終了する。
【００５８】
また、画像パターン１１ａの形状が★である場合において、有彩色の有無を判断してから、色彩情報が赤、緑、青、橙及び紫のいずれであるかに応じて、登録されているＦＡＸ番号を宛て先としてセットするまでの動作は、前記第１の実施の形態と同様であるので、説明を省略する。
【００５９】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってＦＡＸ番号が入力されたことを検知したＦＡＸ制御部２４は、入力されたＦＡＸ番号を送信先としてセットし、電話回線に接続し、ＦＡＸを送信するための準備を行い、ＦＡＸを送信するための準備が完了した時点で、画像メモリ１５に格納されたデータを送信し、動作を終了する。
【００６０】
さらに、画像パターン１１ａの形状が▲である場合において、有彩色の有無を判断してから、色彩情報が赤、緑、青、橙及び紫のいずれであるかに応じて、登録されている指定されたコピー枚数をセットするまでの動作は、前記第１の実施の形態と同様であるので、説明を省略する。
【００６１】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってコピー枚数が入力されたことを検知したプリンタ部２２は、入力されたコピー枚数をセットし、コピー動作のための準備が完了した時点で、画像メモリ１５に格納されたデータを指定されたコピー枚数分コピーし、動作を終了する。
【００６２】
さらに、画像パターン１１ａの形状が◆である場合において、有彩色の有無を判断してから、色彩情報が赤、緑、青、橙及び紫のいずれであるかに応じて、登録されているサーバアドレスを宛て先としてセットするまでの動作は、前記第１の実施の形態と同様であるので、説明を省略する。
【００６３】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってサーバアドレスの宛て先が入力されたことを検知したファイリング制御部２５は、入力されたサーバアドレスを送信先としてセットし、画像メモリ１５に格納されたデータを特定のフォーマットに変換した後、ファイリング送信のためのデータの転送準備が完了した時点で指定サーバにデータを送信し、動作を終了する。
【００６４】
次に、フローチャートについて説明する。
ステップＳ１３１  原稿１１がセットされるのを待機する。原稿１１がセットされた場合はステップＳ１３２に進む。
ステップＳ１３２  原稿１１の先端部の読み取りを開始する。
ステップＳ１３３  画像パターン１１ａがあるか否かを判断する。画像パターン１１ａがある場合はステップＳ１３４に進み、画像パターン１１ａがない場合はステップＳ２１２に進む。
ステップＳ１３４  画像パターン認識処理を行う。
ステップＳ１３５  画像パターン情報を第２メモリ１９に格納する。
ステップＳ１３６  画像パターン情報が■であるか否かを判断する。画像パターン情報が■である場合はステップＳ１３７に進み、画像パターン情報が■でない場合はステップＳ１５５に進む。
ステップＳ１３７  電子メール送信準備を開始する。
ステップＳ１３８  有彩色があるか否かを判断する。有彩色がある場合はステップＳ１３９に進み、有彩色がない場合はステップＳ１５１に進む。
ステップＳ１３９  色彩認識処理を行う。
ステップＳ１４０  色彩情報を第１メモリ１８に格納する。
ステップＳ１４１  色彩情報が赤であるか否かを判断する。色彩情報が赤である場合はステップＳ１４２に進み、色彩情報が赤でない場合はステップＳ１４３に進む。
ステップＳ１４２  色彩データ：赤に登録されている電子メールアドレスをセットする。
ステップＳ１４３  色彩情報が緑であるか否かを判断する。色彩情報が緑である場合はステップＳ１４４に進み、色彩情報が緑でない場合はステップＳ１４５に進む。
ステップＳ１４４  色彩データ：緑に登録されている電子メールアドレスをセットする。
ステップＳ１４５  色彩情報が青であるか否かを判断する。色彩情報が青である場合はステップＳ１４６に進み、色彩情報が青でない場合はステップＳ１４７に進む。
ステップＳ１４６  色彩データ：青に登録されている電子メールアドレスをセットする。
ステップＳ１４７  色彩情報が橙であるか否かを判断する。色彩情報が橙である場合はステップＳ１４８に進み、色彩情報が橙でない場合はステップＳ１４９に進む。
ステップＳ１４８  色彩データ：橙に登録されている電子メールアドレスをセットする。
ステップＳ１４９  色彩情報が紫であるか否かを判断する。色彩情報が紫である場合はステップＳ１５０に進み、色彩情報が紫でない場合はステップＳ１５１に進む。
ステップＳ１５０  色彩データ：紫に登録されている電子メールアドレスをセットする。
ステップＳ１５１  オペレータによる新たな電子メールアドレスの入力を待機する。電子メールアドレスが入力された場合はステップＳ１５２に進む。
ステップＳ１５２  電子メールアドレスをセットする。
ステップＳ１５３  画処理データを電子メールに添付する。
ステップＳ１５４  電子メールを送信し、処理を終了する。
ステップＳ１５５  画像パターン情報が★であるか否かを判断する。画像パターン情報が★である場合はステップＳ１５６に進み、画像パターン情報が★でない場合はステップＳ１７４に進む。
ステップＳ１５６  ＦＡＸ送信準備を開始する。
ステップＳ１５７  有彩色があるか否かを判断する。有彩色がある場合はステップＳ１５８に進み、有彩色がない場合はステップＳ１７０に進む。
ステップＳ１５８  色彩認識処理を行う。
ステップＳ１５９  色彩情報を第１メモリ１８に格納する。
ステップＳ１６０  色彩情報が赤であるか否かを判断する。色彩情報が赤である場合はステップＳ１６１に進み、色彩情報が赤でない場合はステップＳ１６２に進む。
ステップＳ１６１  色彩データ：赤に登録されているＦＡＸ番号をセットする。
ステップＳ１６２  色彩情報が緑であるか否かを判断する。色彩情報が緑である場合はステップＳ１６３に進み、色彩情報が緑でない場合はステップＳ１６４に進む。
ステップＳ１６３  色彩データ：緑に登録されているＦＡＸ番号をセットする。
ステップＳ１６４  色彩情報が青であるか否かを判断する。色彩情報が青である場合はステップＳ１６５に進み、色彩情報が青でない場合はステップＳ１６６に進む。
ステップＳ１６５  色彩データ：青に登録されているＦＡＸ番号をセットする。
ステップＳ１６６  色彩情報が橙であるか否かを判断する。色彩情報が橙である場合はステップＳ１６７に進み、色彩情報が橙でない場合はステップＳ１６８に進む。
ステップＳ１６７  色彩データ：橙に登録されているＦＡＸ番号をセットする。
ステップＳ１６８  色彩情報が紫であるか否かを判断する。色彩情報が紫である場合はステップＳ１６９に進み、色彩情報が紫でない場合はステップＳ１７０に進む。
ステップＳ１６９  色彩データ：紫に登録されているＦＡＸ番号をセットする。
ステップＳ１７０  オペレータによる新たなＦＡＸ番号の入力を待機する。ＦＡＸ番号が入力された場合はステップＳ１７１に進む。
ステップＳ１７１  ＦＡＸ番号をセットする。
ステップＳ１７２  電話回線を接続する。
ステップＳ１７３  ＦＡＸデータを送信し、処理を終了する。
ステップＳ１７４  画像パターン情報が▲であるか否かを判断する。画像パターン情報が▲である場合はステップＳ１７５に進み、画像パターン情報が▲でない場合はステップＳ１９３に進む。
ステップＳ１７５  コピー準備を開始する。
ステップＳ１７６  有彩色があるか否かを判断する。有彩色がある場合はステップＳ１７７に進み、有彩色がない場合はステップＳ１８９に進む。
ステップＳ１７７  色彩認識処理を行う。
ステップＳ１７８  色彩情報を第１メモリ１８に格納する。
ステップＳ１７９  色彩情報が赤であるか否かを判断する。色彩情報が赤である場合はステップＳ１８０に進み、色彩情報が赤でない場合はステップＳ１８１に進む。
ステップＳ１８０  色彩データ：赤に登録されているコピー枚数をセットする。
ステップＳ１８１  色彩情報が緑であるか否かを判断する。色彩情報が緑である場合はステップＳ１８２に進み、色彩情報が緑でない場合はステップＳ１８３に進む。
ステップＳ１８２  色彩データ：緑に登録されているコピー枚数をセットする。
ステップＳ１８３  色彩情報が青であるか否かを判断する。色彩情報が青である場合はステップＳ１８４に進み、色彩情報が青でない場合はステップＳ１８５に進む。
ステップＳ１８４  色彩データ：青に登録されているコピー枚数をセットする。
ステップＳ１８５  色彩情報が橙であるか否かを判断する。色彩情報が橙である場合はステップＳ１８６に進み、色彩情報が橙でない場合はステップＳ１８７に進む。
ステップＳ１８６  色彩データ：橙に登録されているコピー枚数をセットする。
ステップＳ１８７  色彩情報が紫であるか否かを判断する。色彩情報が紫である場合はステップＳ１８８に進み、色彩情報が紫でない場合はステップＳ１８９に進む。
ステップＳ１８８  色彩データ：紫に登録されているコピー枚数をセットする。
ステップＳ１８９  オペレータによるコピー操作の要求を待機する。コピー操作が要求された場合はステップＳ１９０に進む。
ステップＳ１９０  コピー枚数をセットする。
ステップＳ１９１  コピー動作のための準備を行う。
ステップＳ１９２  指定枚数のコピーを行い、処理を終了する。
ステップＳ１９３  画像パターン情報が◆であるか否かを判断する。画像パターン情報が◆である場合はステップＳ１９４に進み、画像パターン情報が◆でない場合はステップＳ２１２に進む。
ステップＳ１９４  ファイリング準備を開始する。
ステップＳ１９５  有彩色があるか否かを判断する。有彩色がある場合はステップＳ１９６に進み、有彩色がない場合はステップＳ２０８に進む。
ステップＳ１９６  色彩認識処理を行う。
ステップＳ１９７  色彩情報を第１メモリ１８に格納する。
ステップＳ１９８  色彩情報が赤であるか否かを判断する。色彩情報が赤である場合はステップＳ１９９に進み、色彩情報が赤でない場合はステップＳ２００に進む。
ステップＳ１９９  色彩データ：赤に登録されているサーバアドレスをセットする。
ステップＳ２００  色彩情報が緑であるか否かを判断する。色彩情報が緑である場合はステップＳ２０１に進み、色彩情報が緑でない場合はステップＳ２０２に進む。
ステップＳ２０１  色彩データ：緑に登録されているサーバアドレスをセットする。
ステップＳ２０２  色彩情報が青であるか否かを判断する。色彩情報が青である場合はステップＳ２０３に進み、色彩情報が青でない場合はステップＳ２０４に進む。
ステップＳ２０３  色彩データ：青に登録されているサーバアドレスをセットする。
ステップＳ２０４  色彩情報が橙であるか否かを判断する。色彩情報が橙である場合はステップＳ２０５に進み、色彩情報が橙でない場合はステップＳ２０６に進む。
ステップＳ２０５  色彩データ：橙に登録されているサーバアドレスをセットする。
ステップＳ２０６  色彩情報が紫であるか否かを判断する。色彩情報が紫である場合はステップＳ２０７に進み、色彩情報が紫でない場合はステップＳ２０８に進む。
ステップＳ２０７  色彩データ：紫に登録されているサーバアドレスをセットする。
ステップＳ２０８  オペレータによる新たなサーバアドレスの入力を待機する。サーバアドレスが入力された場合はステップＳ２０９に進む。
ステップＳ２０９  サーバアドレスをセットする。
ステップＳ２１０  データ転送のための準備を行う。
ステップＳ２１１  指定サーバへのデータ送信を行い、処理を終了する。
ステップＳ２１２  カラーＭＦＰ機能の選択を要求し、処理を終了する。
【００６５】
このように、本実施の形態においては、画像パターン１１ａの形状を認識することができない場合は、画像入出力装置１０が初期状態に戻ることなく、オペレータからの新たな入力指示を待機し、また、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、又は、ファイリング送信を行うことができる。
【００６６】
なお、本実施の形態におけるその他の効果については、前記第１の実施の形態における効果と同様であるので、説明を省略する。
【００６７】
次に、本発明の第３の実施の形態について説明する。なお、第１及び第２の実施の形態と同じ構成を有するものは、同じ符号を付与することによってその説明を省略する。また、前記第１及び第２の実施の形態と同じ動作及び同じ効果についても、その説明を省略する。
【００６８】
図１６は本発明の第３の実施の形態における画像入出力装置の構成を示すブロック図である。
【００６９】
本実施の形態において、画像入出力装置１０は、図１６に示されるように、ローカル又はローカルエリアネットワーク（以下「ＬＡＮ」という。）によって接続されたパーソナルコンピュータ（以下「ＰＣ」という。）と接続されており、カラーイメージスキャナ部１２が読み取った画像データとしてのスキャンデータを前記ＰＣの指定ホルダに格納する機能を制御するＰＣスキャン機能部としてのＰＣスキャン制御部２６を有する。なお、その他の点の構成については、前記第１の実施の形態と同様であるので、その説明を省略する。
【００７０】
次に、本実施の形態における画像入出力装置１０の動作について説明する。
【００７１】
まず、前手順として、出力選択テーブル１６において、形状に対応してあらかじめ電子メール送信機能、ＦＡＸ送信機能、部数指定コピー機能、ファイリング機能、ＰＣの指定ホルダに格納する機能等の各種機能が対応付けられている各種の画像パターン１１ａについて、各色彩に対応する固有情報を登録する方法について説明する。
【００７２】
図１７は本発明の第３の実施の形態における色彩データの各画像パターン形状に対応する固有情報の例を示す図、図１８は本発明の第３の実施の形態における固有情報を登録する動作を示す第１のフローチャート、図１９は本発明の第３の実施の形態における固有情報を登録する動作を示す第２のフローチャートである。
【００７３】
まず、画像入出力装置１０は、登録意思があるか否かを判断し、登録意思がない場合は処理を終了し、登録意思がある場合は登録を開始する。
【００７４】
そして、電子メール送信機能が対応付けられている色彩データとしての赤への登録を希望し、かつ、画像パターン１１ａとしての■への登録を希望する場合は任意の電子メールアドレスを入力し、画像パターン１１ａとしての★への登録を希望する場合は任意の電子メールアドレスを入力し、画像パターン１１ａとしての▲への登録を希望する場合は任意の電子メールアドレスを入力し、画像パターン１１ａとしての◆への登録を希望する場合は任意の電子メールアドレスを入力し、画像パターン１１ａとしての▼への登録を希望する場合は任意の電子メールアドレスを入力する。
【００７５】
また、ＦＡＸ送信機能が対応付けられている色彩データとしての画像パターン１１ａとしての黄への登録を希望し、かつ、画像パターン１１ａとしての■への登録を希望する場合は任意のＦＡＸ番号を入力し、画像パターン１１ａとしての★への登録を希望する場合は任意のＦＡＸ番号を入力し、画像パターン１１ａとしての▲への登録を希望する場合は任意のＦＡＸ番号を入力し、画像パターン１１ａとしての◆への登録を希望する場合は任意のＦＡＸ番号を入力し、画像パターン１１ａとしての▼への登録を希望する場合は任意のＦＡＸ番号を入力する。
【００７６】
さらに、部数指定コピー機能が対応付けられている色彩データとしての緑への登録を希望し、かつ、画像パターン１１ａとしての■への登録を希望する場合は任意の枚数を入力し、画像パターン１１ａとしての★への登録を希望する場合は任意の枚数を入力し、画像パターン１１ａとしての▲への登録を希望する場合は任意の枚数を入力し、画像パターン１１ａとしての◆への登録を希望する場合は任意の枚数を入力し、画像パターン１１ａとしての▼への登録を希望する場合は任意の枚数を入力する。
【００７７】
そして、ファイリング機能が対応付けられている色彩データとしての青への登録を希望し、かつ、画像パターン１１ａとしての■への登録を希望する場合は任意のサーバアドレスを入力し、画像パターン１１ａとしての★への登録を希望する場合は任意のサーバアドレスを入力し、画像パターン１１ａとしての▲への登録を希望する場合は任意のサーバアドレスを入力し、画像パターン１１ａとしての◆への登録を希望する場合は任意のサーバアドレスを入力し、画像パターン１１ａとしての▼への登録を希望する場合は任意のサーバアドレスを入力する。
【００７８】
また、ＰＣスキャン機能が対応付けられている色彩データとしての紫への登録を希望し、かつ、画像パターン１１ａとしての■への登録を希望する場合は任意のＰＣのホルダを入力し、画像パターン１１ａとしての★への登録を希望する場合は任意のＰＣのホルダを入力し、画像パターン１１ａとしての▲への登録を希望する場合は任意のＰＣのホルダを入力し、画像パターン１１ａとしての◆への登録を希望する場合は任意のＰＣのホルダを入力し、画像パターン１１ａとしての▼への登録を希望する場合は任意のＰＣのホルダを入力する。
【００７９】
さらに、入力確認や再入力の場合には、前述された動作を繰り返し行い、登録作業が終了した場合は、処理を終了する。これにより、あらかじめ電子メール送信機能、ＦＡＸ送信機能、部数指定コピー機能、ファイリング機能、ＰＣの指定ホルダに格納する機能等の各種機能が対応付けられている各種の画像パターン１１ａについての各色彩に対応する固有情報の登録が完了し、図１７に示されるように、画像パターン１１ａの各色彩に対応して、各種の固有情報が登録される。
【００８０】
次に、フローチャートについて説明する。
ステップＳ２２１  登録を開始するか否かを判断する。登録を開始する場合はステップＳ２２２に進み、登録を開始しない場合はステップＳ２７７に進む。
ステップＳ２２２  電子メール送信機能が対応付けられている色彩データ：赤への登録であるか否かを判断する。色彩データ：赤への登録である場合はステップＳ２２３に進み、色彩データ：赤への登録でない場合はステップＳ２３３に進む。
ステップＳ２２３  画像パターン１１ａ：■への登録であるか否かを判断する。画像パターン１１ａ：■への登録である場合はステップＳ２２４に進み、画像パターン１１ａ：■への登録でない場合はステップＳ２２５に進む。
ステップＳ２２４  画像パターン１１ａ：■への電子メールアドレスを登録する。
ステップＳ２２５  画像パターン１１ａ：★への登録であるか否かを判断する。画像パターン１１ａ：★への登録である場合はステップＳ２２６に進み、画像パターン１１ａ：★への登録でない場合はステップＳ２２７に進む。
ステップＳ２２６  画像パターン１１ａ：★への電子メールアドレスを登録する。
ステップＳ２２７  画像パターン１１ａ：▲への登録であるか否かを判断する。画像パターン１１ａ：▲への登録である場合はステップＳ２２８に進み、画像パターン１１ａ：▲への登録でない場合はステップＳ２２９に進む。
ステップＳ２２８  画像パターン１１ａ：▲への電子メールアドレスを登録する。
ステップＳ２２９  画像パターン１１ａ：◆への登録であるか否かを判断する。画像パターン１１ａ：◆への登録である場合はステップＳ２３０に進み、画像パターン１１ａ：◆への登録でない場合はステップＳ２３１に進む。
ステップＳ２３０  画像パターン１１ａ：◆への電子メールアドレスを登録する。
ステップＳ２３１  画像パターン１１ａ：▼への登録であるか否かを判断する。画像パターン１１ａ：▼への登録である場合はステップＳ２３２に進み、画像パターン１１ａ：▼への登録でない場合はステップＳ２３１Ａに進む。
ステップＳ２３１Ａ  登録が終了したか否かを判断する。登録が終了した場合は処理を終了し、登録が終了していない場合はステップＳ２２３に戻る。
ステップＳ２３２  画像パターン１１ａ：▼への電子メールアドレスを登録する。
ステップＳ２３３  ＦＡＸ送信機能が対応付けられている色彩データ：黄への登録であるか否かを判断する。色彩データ：黄への登録である場合はステップＳ２３４に進み、色彩データ：黄への登録でない場合はステップＳ２４４に進む。
ステップＳ２３４  画像パターン１１ａ：■への登録であるか否かを判断する。画像パターン１１ａ：■への登録である場合はステップＳ２３５に進み、画像パターン１１ａ：■への登録でない場合はステップＳ２３６に進む。
ステップＳ２３５  画像パターン１１ａ：■へのＦＡＸ番号を登録する。
ステップＳ２３６  画像パターン１１ａ：★への登録であるか否かを判断する。画像パターン１１ａ：★への登録である場合はステップＳ２３７に進み、画像パターン１１ａ：★への登録でない場合はステップＳ２３８に進む。
ステップＳ２３７  画像パターン１１ａ：★へのＦＡＸ番号を登録する。
ステップＳ２３８  画像パターン１１ａ：▲への登録であるか否かを判断する。画像パターン１１ａ：▲への登録である場合はステップＳ２３９に進み、画像パターン１１ａ：▲への登録でない場合はステップＳ２４０に進む。
ステップＳ２３９  画像パターン１１ａ：▲へのＦＡＸ番号を登録する。
ステップＳ２４０  画像パターン１１ａ：◆への登録であるか否かを判断する。画像パターン１１ａ：◆への登録である場合はステップＳ２４１に進み、画像パターン１１ａ：◆への登録でない場合はステップＳ２４２に進む。
ステップＳ２４１  画像パターン１１ａ：◆へのＦＡＸ番号を登録する。
ステップＳ２４２  画像パターン１１ａ：▼への登録であるか否かを判断する。画像パターン１１ａ：▼への登録である場合はステップＳ２４３に進み、画像パターン１１ａ：▼への登録でない場合はステップＳ２４２Ａに進む。
ステップＳ２４２Ａ  登録が終了したか否かを判断する。登録が終了した場合は処理を終了し、登録が終了していない場合はステップＳ２３４に戻る。
ステップＳ２４３  画像パターン１１ａ：▼へのＦＡＸ番号を登録する。
ステップＳ２４４  部数指定コピー機能が対応付けらている色彩データ：緑への登録であるか否かを判断する。色彩データ：緑への登録である場合はステップＳ２４５に進み、色彩データ：緑への登録でない場合はステップＳ２５５に進む。
ステップＳ２４５  画像パターン１１ａ：■への登録であるか否かを判断する。画像パターン１１ａ：■への登録である場合はステップＳ２４６に進み、画像パターン１１ａ：■への登録でない場合はステップＳ２４７に進む。
ステップＳ２４６  画像パターン１１ａ：■へのコピー枚数を登録する。
ステップＳ２４７  画像パターン１１ａ：★への登録であるか否かを判断する。画像パターン１１ａ：★への登録である場合はステップＳ２４８に進み、画像パターン１１ａ：★への登録でない場合はステップＳ２４９に進む。
ステップＳ２４８  画像パターン１１ａ：★へのコピー枚数を登録する。
ステップＳ２４９  画像パターン１１ａ：▲への登録であるか否かを判断する。画像パターン１１ａ：▲への登録である場合はステップＳ２５０に進み、画像パターン１１ａ：▲への登録でない場合はステップＳ２５１に進む。
ステップＳ２５０  画像パターン１１ａ：▲へのコピー枚数を登録する。
ステップＳ２５１  画像パターン１１ａ：◆への登録であるか否かを判断する。画像パターン１１ａ：◆への登録である場合はステップＳ２５２に進み、画像パターン１１ａ：◆への登録でない場合はステップＳ２５３に進む。
ステップＳ２５２  画像パターン１１ａ：◆へのコピー枚数を登録する。
ステップＳ２５３  画像パターン１１ａ：▼への登録であるか否かを判断する。画像パターン１１ａ：▼への登録である場合はステップＳ２５４に進み、画像パターン１１ａ：▼への登録でない場合はステップＳ２５３Ａに進む。
ステップＳ２５３Ａ  登録が終了したか否かを判断する。登録が終了した場合は処理を終了し、登録が終了していない場合はステップＳ２４５に戻る。
ステップＳ２５４  画像パターン１１ａ：▼へのコピー枚数を登録する。
ステップＳ２５５  ファイリング機能が対応付けられている色彩データ：青への登録であるか否かを判断する。色彩データ：青への登録である場合はステップＳ２５６に進み、色彩データ：青への登録でない場合はステップＳ２６６に進む。
ステップＳ２５６  画像パターン１１ａ：■への登録であるか否かを判断する。画像パターン１１ａ：■への登録である場合はステップＳ２５７に進み、画像パターン１１ａ：■への登録でない場合はステップＳ２５８に進む。
ステップＳ２５７  画像パターン１１ａ：■へのサーバアドレスを登録する。
ステップＳ１５８  画像パターン１１ａ：★への登録であるか否かを判断する。画像パターン１１ａ：★への登録である場合はステップＳ２５９に進み、画像パターン１１ａ：★への登録でない場合はステップＳ２６０に進む。
ステップＳ２５９  画像パターン１１ａ：★へのサーバアドレスを登録する。
ステップＳ２６０  画像パターン１１ａ：▲への登録であるか否かを判断する。画像パターン１１ａ：▲への登録である場合はステップＳ２６１に進み、画像パターン１１ａ：▲への登録でない場合はステップＳ２６２に進む。
ステップＳ２６１  画像パターン１１ａ：▲へのサーバアドレスを登録する。
ステップＳ２６２  画像パターン１１ａ：◆への登録であるか否かを判断する。画像パターン１１ａ：◆への登録である場合はステップＳ２６３に進み、画像パターン１１ａ：◆への登録でない場合はステップＳ２６４に進む。
ステップＳ２６３  画像パターン１１ａ：◆へのサーバアドレスを登録する。
ステップＳ２６４  画像パターン１１ａ：▼への登録であるか否かを判断する。画像パターン１１ａ：▼への登録である場合はステップＳ２６５に進み、画像パターン１１ａ：▼への登録でない場合はステップＳ２６４Ａに進む。
ステップＳ２６４Ａ  登録が終了したか否かを判断する。登録が終了した場合は処理を終了し、登録が終了していない場合はステップＳ２５６に戻る。
ステップＳ２６５  画像パターン１１ａ：▼へのサーバアドレスを登録する。
ステップＳ２６６  ＰＣスキャン機能が対応付けられている色彩データ：紫への登録であるか否かを判断する。色彩データ：紫への登録である場合はステップＳ２６７に進み、色彩データ：紫への登録でない場合はステップＳ２７７に進む。
ステップＳ２６７  画像パターン１１ａ：■への登録であるか否かを判断する。画像パターン１１ａ：■への登録である場合はステップＳ２６８に進み、画像パターン１１ａ：■への登録でない場合はステップＳ２６９に進む。
ステップＳ２６８  画像パターン１１ａ：■へのＰＣのホルダを登録（予備）する。
ステップＳ２６９  画像パターン１１ａ：★への登録であるか否かを判断する。画像パターン１１ａ：★への登録である場合はステップＳ２７０に進み、画像パターン１１ａ：★への登録でない場合はステップＳ２７１に進む。
ステップＳ２７０  画像パターン１１ａ：★へのＰＣのホルダを登録（予備）する。
ステップＳ２７１  画像パターン１１ａ：▲への登録であるか否かを判断する。画像パターン１１ａ：▲への登録である場合はステップＳ２７２に進み、画像パターン１１ａ：▲への登録でない場合はステップＳ２７３に進む。
ステップＳ２７２  画像パターン１１ａ：▲へのＰＣのホルダを登録（予備）する。
ステップＳ２７３  画像パターン１１ａ：◆への登録であるか否かを判断する。画像パターン１１ａ：◆への登録である場合はステップＳ２７４に進み、画像パターン１１ａ：◆への登録でない場合はステップＳ２７５に進む。
ステップＳ２７４  画像パターン１１ａ：◆へのＰＣのホルダを登録（予備）する。
ステップＳ２７５  画像パターン１１ａ：▼への登録であるか否かを判断する。画像パターン１１ａ：▼への登録である場合はステップＳ２７６に進み、画像パターン１１ａ：▼への登録でない場合はステップＳ２７５Ａに進む。
ステップＳ２７５Ａ  登録が終了したか否かを判断する。登録が終了した場合は処理を終了し、登録が終了していない場合はステップＳ２６７に戻る。
ステップＳ２７６  画像パターン１１ａ：▼へのＰＣのホルダを登録（予備）する。
ステップＳ２７７  登録が終了したか否かを判断する。登録が終了した場合は処理を終了し、登録が終了していない場合はステップＳ２２２に戻る。
【００８１】
次に、画像入出力装置１０が原稿１１を読み取る場合の動作について説明する。
【００８２】
図２０は本発明の第３の実施の形態における原稿を読み取る場合の動作を示す第１のフローチャート、図２１は本発明の第３の実施の形態における原稿を読み取る場合の動作を示す第２のフローチャート、図２２は本発明の第３の実施の形態における原稿を読み取る場合の動作を示す第３のフローチャート、図２３は本発明の第３の実施の形態における原稿を読み取る場合の動作を示す第４のフローチャート、図２４は本発明の第３の実施の形態における原稿を読み取る場合の動作を示す第５のフローチャート、図２５は本発明の第３の実施の形態における原稿を読み取る場合の動作を示す第６のフローチャートである。
【００８３】
まず、図示されない原稿検出センサが画像入出力装置１０に原稿１１がセットされたことを検知すると、カラーイメージスキャナ部１２が原稿１１の先端部の読み取りを開始する。続いて、原稿１１の先端部に図２に示されるような有彩色の画像パターン１１ａが付与されているか否か、すなわち、有彩色の有無を検知する。そして、有彩色の画像パターン１１ａが確認された場合、色彩認識手段１３は、色彩認識処理を行い、画像パターン１１ａの色彩情報を第１メモリ１８に格納する。このとき、第１メモリ１８及び第２メモリ１９のデータの有無を常時監視しているコンパレータ制御部１７は、出力選択テーブル１６に登録されている画像パターン１１ａの色彩データと、色彩認識手段１３によって第１メモリ１８に格納されている色彩情報とを比較する。
【００８４】
そして、読み取った色彩情報が出力選択テーブル１６に登録されている色彩データとしての赤であるか否かを判断し、赤である場合には電子メール送信準備を開始する。また、赤でない場合には、読み取った色彩情報が出力選択テーブル１６に登録されている色彩データとしての黄であるか否かを判断し、黄である場合にはＦＡＸ送信準備を開始する。また、黄でない場合には、読み取った色彩情報が出力選択テーブル１６に登録されている色彩データとしての緑であるか否かを判断し、緑である場合にはコピー準備を開始する。また、緑でない場合には、読み取った色彩情報が出力選択テーブル１６に登録されている色彩データとしての青であるか否かを判断し、青である場合にはファイリング準備を開始する。また、青でない場合には、読み取った色彩情報が出力選択テーブル１６に登録されている色彩データとしての紫であるか否かを判断し、紫である場合にはＰＣスキャン準備を開始する。
【００８５】
なお、原稿１１の先端部に画像パターン１１ａが付与されていない場合、有彩色が何らかの理由によって認識することができない場合、又は、出力選択テーブル１６にあらかじめ登録されている色彩データと、認識した色彩情報とが一致しない場合、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【００８６】
そして、認識した色彩情報が赤であると判断された場合、画像入出力装置１０は、電子メール送信準備を開始して、画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【００８７】
まず、画像パターン１１ａの形状が■であるか否かを判断し、■である場合には、画像パターン１１ａとしての■に登録されている電子メールアドレスを宛て先としてセットする。また、■でない場合には、前記画像パターン１１ａの形状が★であるか否かを判断し、★である場合には、画像パターン１１ａとしての★に登録されている電子メールアドレスを宛て先としてセットする。また、★でない場合には、前記画像パターン１１ａの形状が▲であるか否かを判断し、▲である場合には、画像パターン１１ａとしての▲に登録されている電子メールアドレスを宛て先としてセットする。また、▲でない場合には、前記画像パターン１１ａの形状が◆であるか否かを判断し、◆である場合には、画像パターンとしての◆に登録されている電子メールアドレスを宛て先としてセットする。また、◆でない場合には、前記画像パターン１１ａの形状が▼であるか否かを判断し、▼である場合には、画像パターン１１ａとしての▼に登録されている電子メールアドレスを宛て先としてセットする。
【００８８】
なお、原稿１１の先端部（上端部）に画像パターン１１ａが付与されていない場合、前記画像パターン１１ａが何らかの理由によって認識することができない場合、又は、出力選択テーブル１６にあらかじめ登録されている画像パターン１１ａの形状と認識した画像パターン１１ａの形状とが一致しない場合、画像入出力装置１０はオペレータからのオペレーションパネル制御部２０へのキー入力を待機する。その後、オペレータによって電子メールアドレスが入力されたことを検知した電子メール制御部２３は、入力された電子メールアドレスを送信先としてセットし、画像メモリ１５に格納されたデータを添付ファイル形式に変換した後、電子メールに添付し、該電子メールを送信するための準備を行い、電子メールを送信するための準備が完了した時点で前記電子メールを送信し、動作を終了する。
【００８９】
また、認識した色彩情報が黄であると判断された場合、画像入出力装置１０は、ＦＡＸ送信準備を開始して、画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【００９０】
まず、画像パターン１１ａの形状が■であるか否かを判断し、■である場合には、画像パターン１１ａとしての■に登録されているＦＡＸ番号を宛て先としてセットする。また、■でない場合には、前記画像パターン１１ａの形状が★であるか否かを判断し、★である場合には、画像パターン１１ａとしての★に登録されているＦＡＸ番号を宛て先としてセットする。また、★でない場合には、前記画像パターン１１ａの形状が▲であるか否かを判断し、▲である場合には、画像パターン１１ａとしての▲に登録されているＦＡＸ番号を宛て先としてセットする。また、▲でない場合には、前記画像パターン１１ａの形状が◆であるか否かを判断し、◆である場合には、画像パターンとしての◆に登録されているＦＡＸ番号を宛て先としてセットする。また、◆でない場合には、前記画像パターン１１ａの形状が▼であるか否かを判断し、▼である場合には、画像パターン１１ａとしての▼に登録されているＦＡＸ番号を宛て先としてセットする。
【００９１】
なお、原稿１１の先端部（上端部）に画像パターン１１ａが付与されていない場合、前記画像パターン１１ａが何らかの理由によって認識することができない場合、又は、出力選択テーブル１６にあらかじめ登録されている画像パターン１１ａの形状と認識した画像パターン１１ａの形状とが一致しない場合、画像入出力装置１０はオペレータからのオペレーションパネル制御部２０へのキー入力を待機する。その後、オペレータによってＦＡＸ番号が入力されたことを検知したＦＡＸ制御部２４は、入力されたＦＡＸ番号を宛先としてセットし、電話回線に接続し、ＦＡＸを送信するための準備を行い、ＦＡＸを送信するための準備が完了した時点で、画像メモリ１５に格納されたデータを送信し、動作を終了する。
【００９２】
さらに、認識した色彩情報が緑であると判断された場合、画像入出力装置１０は、コピー準備を開始して、画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【００９３】
まず、画像パターン１１ａの形状が■であるか否かを判断し、■である場合には、画像パターン１１ａとしての■に登録されている指定されたコピー枚数をセットする。また、■でない場合には、前記画像パターン１１ａの形状が★であるか否かを判断し、★である場合には、画像パターン１１ａとしての★に登録されている指定されたコピー枚数をセットする。また、★でない場合には、前記画像パターン１１ａの形状が▲であるか否かを判断し、▲である場合には、画像パターン１１ａとしての▲に登録されている指定されたコピー枚数をセットする。また、▲でない場合には、前記画像パターン１１ａの形状が◆であるか否かを判断し、◆である場合には、画像パターンとしての◆に登録されている指定されたコピー枚数をセットする。また、◆でない場合には、前記画像パターン１１ａの形状が▼であるか否かを判断し、▼である場合には、画像パターン１１ａとしての▼に登録されている指定されたコピー枚数をセットする。
【００９４】
なお、原稿１１の先端部（上端部）に有彩色の画像パターン１１ａが付与されていない場合、前記画像パターン１１ａが何らかの理由によって認識することができない場合、又は、出力選択テーブル１６にあらかじめ登録されている画像パターン１１ａの形状と認識した画像パターン１１ａの形状とが一致しない場合、画像入出力装置１０はオペレータからのオペレーションパネル制御部２０へのキー入力を待機する。その後、オペレータによってコピー枚数が入力されたことを検知したプリンタ部２２は、入力されたコピー枚数をセットし、コピー動作のための準備が完了した時点で、画像メモリ１５に格納されたデータを指定されたコピー枚数分コピーし、動作を終了する。
【００９５】
さらに、認識した色彩情報が青であると判断された場合、画像入出力装置１０は、ファイリング準備を開始して、画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【００９６】
まず、画像パターン１１ａの形状が■であるか否かを判断し、■である場合には、画像パターン１１ａとしての■に登録されているサーバアドレスを宛て先としてセットする。また、■でない場合には、前記画像パターン１１ａの形状が★であるか否かを判断し、★である場合には、画像パターン１１ａとしての★に登録されているサーバアドレスを宛て先としてセットする。また、★でない場合には、前記画像パターン１１ａの形状が▲であるか否かを判断し、▲である場合には、画像パターン１１ａとしての▲に登録されているサーバアドレスを宛て先としてセットする。また、▲でない場合には、前記画像パターン１１ａの形状が◆であるか否かを判断し、◆である場合には、画像パターンとしての◆に登録されているサーバアドレスを宛て先としてセットする。また、◆でない場合には、前記画像パターン１１ａの形状が▼であるか否かを判断し、▼である場合には、画像パターン１１ａとしての▼に登録されているサーバアドレスを宛て先としてセットする。
【００９７】
なお、原稿１１の先端部（上端部）に画像パターン１１ａが付与されていない場合、前記画像パターン１１ａが何らかの理由によって認識することができない場合、又は、出力選択テーブル１６にあらかじめ登録されている画像パターン１１ａの形状と認識した画像パターン１１ａの形状とが一致しない場合、画像入出力装置１０はオペレータからのオペレーションパネル制御部２０へのキー入力を待機する。その後、オペレータによってサーバアドレスの宛て先が入力されたことを検知したファイリング制御部２５は、入力されたサーバアドレスを送信先としてセットし、画像メモリ１５に格納されたデータを特定のフォーマットに変換した後、ファイリング送信のためのデータの転送準備が完了した時点で指定サーバにデータを送信し、動作を終了する。
【００９８】
さらに、認識した色彩情報が紫であると判断された場合、画像入出力装置１０は、ＰＣスキャン準備を開始して、画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【００９９】
まず、画像パターン１１ａの形状が■であるか否かを判断し、■である場合には、画像パターン１１ａとしての■に登録されているＰＣのホルダを宛て先としてセットする。また、■でない場合には、前記画像パターン１１ａの形状が★であるか否かを判断し、★である場合には、画像パターン１１ａとしての★に登録されているＰＣのホルダを宛て先としてセットする。また、★でない場合には、前記画像パターン１１ａの形状が▲であるか否かを判断し、▲である場合には、画像パターン１１ａとしての▲に登録されているＰＣのホルダを宛て先としてセットする。また、▲でない場合には、前記画像パターン１１ａの形状が◆であるか否かを判断し、◆である場合には、画像パターンとしての◆に登録されているＰＣのホルダを宛て先としてセットする。また、◆でない場合には、前記画像パターン１１ａの形状が▼であるか否かを判断し、▼である場合には、画像パターン１１ａとしての▼に登録されているＰＣのホルダを宛て先としてセットする。
【０１００】
なお、原稿１１の先端部（上端部）に画像パターン１１ａが付与されていない場合、前記画像パターン１１ａが何らかの理由によって認識することができない場合、又は、出力選択テーブル１６にあらかじめ登録されている画像パターン１１ａの形状と認識した画像パターン１１ａの形状とが一致しない場合、画像入出力装置１０はオペレータからのオペレーションパネル制御部２０へのキー入力を待機する。その後、オペレータによってＰＣのホルダの宛て先が入力されたことを検知したＰＣスキャン制御部２６は、このＰＣのホルダを宛て先としてセットし、画像メモリ１５に格納されたデータを転送するデータ送信のための準備が完了した時点でこれを送信し、動作を終了する。
【０１０１】
次に、フローチャートについて説明する。
ステップＳ２８１  原稿１１がセットされるのを待機する。原稿１１がセットされた場合はステップＳ２８２に進む。
ステップＳ２８２  原稿１１の先端部の読み取りを開始する。
ステップＳ２８３  有彩色であるか否かを判断する。有彩色である場合はステップＳ２８４に進み、有彩色でない場合はステップＳ３８１に進む。
ステップＳ２８４  色彩認識処理を行う。
ステップＳ２８５  色彩情報を第１メモリ１８に格納する。
ステップＳ２８６  色彩情報が赤であるか否かを判断する。色彩情報が赤である場合はステップＳ２８７に進み、色彩情報が赤でない場合はステップＳ３０５に進む。
ステップＳ２８７  電子メール送信準備を開始する。
ステップＳ２８８  画像パターン１１ａがあるか否かを判断する。画像パターン１１ａがある場合はステップＳ２８９に進み、画像パターン１１ａがない場合はステップＳ３０１に進む。
ステップＳ２８９  画像パターン認識処理を行う。
ステップＳ２９０  画像パターン情報を第２メモリ１９に格納する。
ステップＳ２９１  画像パターン情報が■であるか否かを判断する。画像パターン情報が■である場合はステップＳ２９２に進み、画像パターン情報が■でない場合はステップＳ２９３に進む。
ステップＳ２９２  画像パターン１１ａ：■に登録されている電子メールアドレスをセットする。
ステップＳ２９３  画像パターン情報が★であるか否かを判断する。画像パターン情報が★である場合はステップＳ２９４に進み、画像パターン情報が★でない場合はステップＳ２９５に進む。
ステップＳ２９４  画像パターン１１ａ：★に登録されている電子メールアドレスをセットする。
ステップＳ２９５  画像パターン情報が▲であるか否かを判断する。画像パターン情報が▲である場合はステップＳ２９６に進み、画像パターン情報が▲でない場合はステップＳ２９７に進む。
ステップＳ２９６  画像パターン１１ａ：▲に登録されている電子メールアドレスをセットする。
ステップＳ２９７  画像パターン情報が◆であるか否かを判断する。画像パターン情報が◆である場合はステップＳ２９８に進み、画像パターン情報が◆でない場合はステップＳ２９９に進む。
ステップＳ２９８  画像パターン１１ａ：◆に登録されている電子メールアドレスをセットする。
ステップＳ２９９  画像パターン情報が▼であるか否かを判断する。画像パターン情報が▼である場合はステップＳ３００に進み、画像パターン情報が▼でない場合はステップＳ３０１に進む。
ステップＳ３００  画像パターン１１ａ：▼に登録されている電子メールアドレスをセットする。
ステップＳ３０１  オペレータによる新たな電子メールアドレスの入力を待機する。電子メールアドレスが入力された場合はステップＳ３０２に進む。
ステップＳ３０２  電子メールアドレスをセットする。
ステップＳ３０３  画処理データを電子メールに添付する。
ステップＳ３０４  電子メールを送信し、処理を終了する。
ステップＳ３０５  色彩情報が黄であるか否かを判断する。色彩情報が黄である場合はステップＳ３０６に進み、色彩情報が黄でない場合はステップＳ３２４に進む。
ステップＳ３０６  ＦＡＸ送信準備を開始する。
ステップＳ３０７  画像パターン１１ａがあるか否かを判断する。画像パターン１１ａがある場合はステップＳ３０８に進み、画像パターン１１ａがない場合はステップＳ３２０に進む。
ステップＳ３０８  画像パターン認識処理を行う。
ステップＳ３０９  画像パターン情報を第２メモリ１９に格納する。
ステップＳ３１０  画像パターン情報が■であるか否かを判断する。画像パターン情報が■である場合はステップＳ３１１に進み、画像パターン情報が■でない場合はステップＳ３１２に進む。
ステップＳ３１１  画像パターン１１ａ：■に登録されているＦＡＸ番号をセットする。
ステップＳ３１２  画像パターン情報が★であるか否かを判断する。画像パターン情報が★である場合はステップＳ３１３に進み、画像パターン情報が★でない場合はステップＳ３１４に進む。
ステップＳ３１３  画像パターン１１ａ：★に登録されているＦＡＸ番号をセットする。
ステップＳ３１４  画像パターン情報が▲であるか否かを判断する。画像パターン情報が▲である場合はステップＳ３１５に進み、画像パターン情報が▲でない場合はステップＳ３１６に進む。
ステップＳ３１５  画像パターン１１ａ：▲に登録されているＦＡＸ番号をセットする。
ステップＳ３１６  画像パターン情報が◆であるか否かを判断する。画像パターン情報が◆である場合はステップＳ３１７に進み、画像パターン情報が◆でない場合はステップＳ３１８に進む。
ステップＳ３１７  画像パターン１１ａ：◆に登録されているＦＡＸ番号をセットする。
ステップＳ３１８  画像パターン情報が▼であるか否かを判断する。画像パターン情報が▼である場合はステップＳ３１９に進み、画像パターン情報が▼でない場合はステップＳ３２０に進む。
ステップＳ３１９  画像パターン１１ａ：▼に登録されているＦＡＸ番号をセットする。
ステップＳ３２０  オペレータによる新たなＦＡＸ番号の入力を待機する。ＦＡＸ番号が入力された場合はステップＳ３２１に進む。
ステップＳ３２１  ＦＡＸ番号をセットする。
ステップＳ３２２  電話回線を接続する。
ステップＳ３２３  ＦＡＸデータを送信し、処理を終了する。
ステップＳ３２４  色彩情報が緑であるか否かを判断する。色彩情報が緑である場合はステップＳ３２５に進み、色彩情報が緑でない場合はステップＳ３４３に進む。
ステップＳ３２５  コピー準備を開始する。
ステップＳ３２６  画像パターン１１ａがあるか否かを判断する。画像パターン１１ａがある場合はステップＳ３２７に進み、画像パターン１１ａがない場合はステップＳ３３９に進む。
ステップＳ３２７  画像パターン認識処理を行う。
ステップＳ３２８  画像パターン情報を第２メモリ１９に格納する。
ステップＳ３２９  画像パターン情報が■であるか否かを判断する。画像パターン情報が■である場合はステップＳ３３０に進み、画像パターン情報が■でない場合はステップＳ３３１に進む。
ステップＳ３３０  画像パターン１１ａ：■に登録されているコピー枚数をセットする。
ステップＳ３３１  画像パターン情報が★であるか否かを判断する。画像パターン情報が★である場合はステップＳ３３２に進み、画像パターン情報が★でない場合はステップＳ３３３に進む。
ステップＳ３３２  画像パターン１１ａ：★に登録されているコピー枚数をセットする。
ステップＳ３３３  画像パターン情報が▲であるか否かを判断する。画像パターン情報が▲である場合はステップＳ３３４に進み、画像パターン情報が▲でない場合はステップＳ３３５に進む。
ステップＳ３３４  画像パターン１１ａ：▲に登録されているコピー枚数をセットする。
ステップＳ３３５  画像パターン情報が◆であるか否かを判断する。画像パターン情報が◆である場合はステップＳ３３６に進み、画像パターン情報が◆でない場合はステップＳ３３７に進む。
ステップＳ３３６  画像パターン１１ａ：◆に登録されているコピー枚数をセットする。
ステップＳ３３７  画像パターン情報が▼であるか否かを判断する。画像パターン情報が▼である場合はステップＳ３３８に進み、画像パターン情報が▼でない場合はステップＳ３３９に進む。
ステップＳ３３８  画像パターン１１ａ：▼に登録されているコピー枚数をセットする。
ステップＳ３３９  オペレータによるコピー操作の要求を待機する。コピー操作が要求された場合はステップＳ３４０に進む。
ステップＳ３４０  コピー枚数をセットする。
ステップＳ３４１  コピー動作のための準備を行う。
ステップＳ３４２  指定枚数のコピーを行い、処理を終了する。
ステップＳ３４３  色彩情報が青であるか否かを判断する。色彩情報が青である場合はステップＳ３４４に進み、色彩情報が青でない場合はステップＳ３６２に進む。
ステップＳ３４４  ファイリング準備を開始する。
ステップＳ３４５  画像パターン１１ａがあるか否かを判断する。画像パターン１１ａがある場合はステップＳ３４６に進み、画像パターン１１ａがない場合はステップＳ３５８に進む。
ステップＳ３４６  画像パターン認識処理を行う。
ステップＳ３４７  画像パターン情報を第２メモリ１９に格納する。
ステップＳ３４８  画像パターン情報が■であるか否かを判断する。画像パターン情報が■である場合はステップＳ３４９に進み、画像パターン情報が■でない場合はステップＳ３５０に進む。
ステップＳ３４９  画像パターン１１ａ：■に登録されているサーバアドレスをセットする。
ステップＳ３５０  画像パターン情報が★であるか否かを判断する。画像パターン情報が★である場合はステップＳ３５１に進み、画像パターン情報が★でない場合はステップＳ３５２に進む。
ステップＳ３５１  画像パターン１１ａ：★に登録されているサーバアドレスをセットする。
ステップＳ３５２  画像パターン情報が▲であるか否かを判断する。画像パターン情報が▲である場合はステップＳ３５３に進み、画像パターン情報が▲でない場合はステップＳ３５４に進む。
ステップＳ３５３  画像パターン１１ａ：▲に登録されているサーバアドレスをセットする。
ステップＳ３５４  画像パターン情報が◆であるか否かを判断する。画像パターン情報が◆である場合はステップＳ３５５に進み、画像パターン情報が◆でない場合はステップＳ３５６に進む。
ステップＳ３５５  画像パターン１１ａ：◆に登録されているサーバアドレスをセットする。
ステップＳ３５６  画像パターン情報が▼であるか否かを判断する。画像パターン情報が▼である場合はステップＳ３５７に進み、画像パターン情報が▼でない場合はステップＳ３５８に進む。
ステップＳ３５７  画像パターン１１ａ：▼に登録されているサーバアドレスをセットする。
ステップＳ３５８  オペレータによる新たなサーバアドレスの入力を待機する。サーバアドレスが入力された場合はステップＳ３５９に進む。
ステップＳ３５９  サーバアドレスをセットする。
ステップＳ３６０  データ転送のための準備を行う。
ステップＳ３６１  指定サーバへのデータ送信を行い、処理を終了する。
ステップＳ３６２  色彩情報が紫であるか否かを判断する。色彩情報が紫である場合はステップＳ３６３に進み、色彩情報が紫でない場合はステップＳ３８１に進む。
ステップＳ３６３  ＰＣスキャン準備を開始する。
ステップＳ３６４  画像パターン１１ａがあるか否かを判断する。画像パターン１１ａがある場合はステップＳ３６５に進み、画像パターン１１ａがない場合はステップＳ３７７に進む。
ステップＳ３６５  画像パターン認識処理を行う。
ステップＳ３６６  画像パターン情報を第２メモリ１９に格納する。
ステップＳ３６７  画像パターン情報が■であるか否かを判断する。画像パターン情報が■である場合はステップＳ３６８に進み、画像パターン情報が■でない場合はステップＳ３６９に進む。
ステップＳ３６８  画像パターン１１ａ：■に登録されているＰＣのホルダをセットする。
ステップＳ３６９  画像パターン情報が★であるか否かを判断する。画像パターン情報が★である場合はステップＳ３７０に進み、画像パターン情報が★でない場合はステップＳ３７１に進む。
ステップＳ３７０  画像パターン１１ａ：★に登録されているＰＣのホルダをセットする。
ステップＳ３７１  画像パターン情報が▲であるか否かを判断する。画像パターン情報が▲である場合はステップＳ３７２に進み、画像パターン情報が▲でない場合はステップＳ３７３に進む。
ステップＳ３７２  画像パターン１１ａ：▲に登録されているＰＣのホルダをセットする。
ステップＳ３７３  画像パターン情報が◆であるか否かを判断する。画像パターン情報が◆である場合はステップＳ３７４に進み、画像パターン情報が◆でない場合はステップＳ３７５に進む。
ステップＳ３７４  画像パターン１１ａ：◆に登録されているＰＣのホルダをセットする。
ステップＳ３７５  画像パターン情報が▼であるか否かを判断する。画像パターン情報が▼である場合はステップＳ３７６に進み、画像パターン情報が▼でない場合はステップＳ３７７に進む。
ステップＳ３７６  画像パターン１１ａ：▼に登録されているＰＣのホルダをセットする。
ステップＳ３７７  オペレータによる新たなＰＣのホルダの入力を待機する。ＰＣのホルダが入力された場合はステップＳ３７８に進む。
ステップＳ３７８  ＰＣのホルダをセットする。
ステップＳ３７９  データ転送のための準備を行う。
ステップＳ３８０  指定ホルダへのデータ送信を行い、処理を終了する。
ステップＳ３８１  カラーＭＦＰ機能の選択を要求し、処理を終了する。
【０１０２】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１から画像パターン１１ａの色彩情報を読み取るカラーイメージスキャナ部１２と、画像を記録紙に記録するプリンタ部２２と、色彩情報を認識する色彩認識手段１３と、画像パターン１１ａを認識する画像パターン認識手段１４と、色彩認識手段１３と画像パターン認識手段１４によって原稿１１の所定領域に記載されている画像パターン１１ａの形状及び色彩情報を認識した場合、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５と、ローカルやＬＡＮ等で接続されたＰＣに対してスキャンしたデータを転送するＰＣスキャン制御部２６とを有する。そのため、オペレータは、原稿１１の所定領域（例えば、先端部）に所定の形状及び色彩の画像パターン１１ａを付与しておくことによって、煩わしい操作認識を行うことなく、電子メール送信、ＦＡＸ送信、部数指定コピー、ファイリング送信、ＰＣスキャン等を行わせることができる。
【０１０３】
また、画像パターン１１ａの形状を認識することができない場合は、画像入出力装置１０が初期状態に戻ることなく、オペレータからの新たな入力指示を待機し、さらに、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、ファイリング送信、ＰＣスキャン送信の機能を行うことができる。
【０１０４】
さらに、有彩色の画像パターン１１ａが付与された原稿１１は、第三者からどのような機能を有しているのか判別することができないので、相手先の電子メールアドレスやＦＡＸ番号の情報漏洩を防止することとなり、情報の保守性を高めることができる。
【０１０５】
なお、本実施の形態においては、原稿１１の先端部に所定の形状及び色彩の画像パターン１１ａを付与するようになっているが、画像パターン１１ａの位置は先端部に限定されるものではなく、原稿１１の任意の位置に付与することができる。
【０１０６】
また、前記画像パターン１１ａの色彩は、赤、黄、緑、青、紫の五色としたが、色彩の数はこれに限定されるものではない。色彩の数はスキャナの色彩情報に対する読み取り能力に依存するものであり、カラーイメージスキャナ部１２の読み取り能力を超えない範囲で色彩の数を決定することができる。
【０１０７】
さらに、本実施の形態においては、電子メール送信機能、ＦＡＸ送信機能、部数指定コピー機能、ファイリング送信機能、ＰＣスキャン機能を自動的に起動させたが、これに限定されるものではなく、オペレータがこれらの電子メール送信機能、ＦＡＸ送信機能、部数指定コピー機能、ファイリング送信機能、ＰＣスキャン機能をマニュアルで設定することができることは言うまでもない。
【０１０８】
次に、本発明の第４の実施の形態について説明する。なお、第１〜第３の実施の形態と同じ構成を有するものは、同じ符号を付与することによってその説明を省略する。また、前記第１〜第３の実施の形態と同じ動作及び同じ効果についても、その説明を省略する。
【０１０９】
図２６は本発明の第４の実施の形態における画像入出力装置の構成を示すブロック図、図２７は本発明の第４の実施の形態における原稿の例を示す図である。
【０１１０】
本実施の形態における画像入出力装置１０は、図２６に示されるように、読み取り手段としての表面用カラーイメージスキャナ３２部及び裏面用カラーイメージスキャナ部３３を有し、図２７に示されるような画像パターン１１ａが、読み取るべき画像データが形成されている面、すなわち、表面とは反対側の面、すなわち、裏面に形成された原稿１１を取り扱うことができる点に特徴がある。そして、色彩認識手段１３は裏面から読み取ったデータから色彩情報を認識し、画像メモリ１５は表面から読み込んだ画像データを格納し、コンパレータ制御部１７は読み取った有彩色の画像パターン１１ａの情報を、出力選択テーブル１６に登録されている内容と比較する。
【０１１１】
なお、前記原稿１１には、図２７に示されるように、裏面における所定の位置、すなわち、先端部（図２７における上端部）に有彩色、すなわち、カラーの画像パターン１１ａが付与されている。なお、図２７に示される例において、画像パターン１１ａの形状は、■、▲及び★であるが、他の形状、例えば、◆等であってもよい。また、図２７に示される例において、画像パターン１１ａの色彩は、赤、青及び紫であるが、他の色、例えば、緑、橙等であってもよい。
【０１１２】
次に、本実施の形態における画像入出力装置１０の動作について説明する。なお、本実施の形態における前手順については、前記第１の実施の形態における前手順と同様であるので、説明を省略する。また、原稿１１を読み取る場合の動作についても、基本的には前記第１の実施の形態における画像入出力装置１０の動作とほぼ同様であるので、相違点だけを説明する。
【０１１３】
図２８は本発明の第４の実施の形態における原稿を読み取る場合の動作を示す第１のフローチャート、図２９は本発明の第４の実施の形態における原稿を読み取る場合の動作を示す第２のフローチャート、図３０は本発明の第４の実施の形態における原稿を読み取る場合の動作を示す第３のフローチャート、図３１は本発明の第４の実施の形態における原稿を読み取る場合の動作を示す第４のフローチャート、図３２は本発明の第４の実施の形態における原稿を読み取る場合の動作を示す第５のフローチャートである。
【０１１４】
まず、図示されない原稿検出センサが画像入出力装置１０に原稿１１がセットされたことを検知すると、該原稿１１の両面を同時に読み取ることができる表面用カラーイメージスキャナ部３２及び裏面用カラーイメージスキャナ部３３によって原稿１１の先端部の両面の同時読み取りを開始する。そして、前記裏面用カラーイメージスキャナ部３３によって、原稿１１の裏面における先端部に図２７に示されるような画像パターン１１ａが付与されているか否か、すなわち、画像パターン１１ａの有無を検知する。そして、画像パターン１１ａが確認された場合、画像パターン認識手段１４は、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。
【０１１５】
そして、読み取った画像パターン１１ａの形状が出力選択テーブル１６に登録されている■であるか否かを判断し、■である場合には電子メール送信準備を開始する。また、■でない場合には、読み取った画像パターン１１ａが出力選択テーブル１６に登録されている★であるか否かを判断し、★である場合にはＦＡＸ送信準備を開始する。また、★でない場合には、読み取った画像パターン１１ａが出力選択テーブル１６に登録されている▲であるか否かを判断し、▲である場合にはコピー準備を開始する。また、▲でない場合には、読み取った画像パターン１１ａが出力選択テーブル１６に登録されている◆であるか否かを判断し、◆である場合にはファイリング準備を開始する。ここで、表面用カラーイメージスキャナ部３２は原稿１１の表面に対して読み取りを継続して行い、この読み取りデータは画像メモリ１５に格納される。
【０１１６】
一方、原稿１１の裏面における先端部に画像パターン１１ａが付与されていない場合や、この画像パターン１１ａの形状が何らかの理由によって認識することができない場合、また、出力選択テーブル１６にあらかじめ登録されている画像パターン１１ａの形状を示す情報と、認識した画像パターン１１ａの形状とが一致しない場合、画像入出力装置１０はこれらの動作を中止するために、原稿１１を強制的に排出し、待機状態にリセットする。
【０１１７】
そして、認識した画像パターン１１ａの形状が■であると判断された場合、画像入出力装置１０は、電子メール送信準備を開始して、原稿１１の裏面における有彩色の有無を判断し、有彩色がある場合、色彩認識手段１３は色彩認識処理を行い、画像パターン１１ａとしての■の色彩情報を第１メモリ１８に格納する。なお、これ以降、色彩情報に応じた電子メールアドレスを宛先としてセットし、電子メールを送信して動作を終了するまでの動作については、前記第１の実施の形態と同様であるので、説明を省略する。
【０１１８】
また、認識した画像パターン１１ａの形状が★であると判断された場合、画像入出力装置１０は、ＦＡＸ送信準備を開始して、原稿１１の裏面における有彩色の有無を判断し、有彩色がある場合、色彩認識手段１３は色彩認識処理を行い、画像パターン１１ａとしての★の色彩情報を第１メモリ１８に格納する。なお、これ以降、色彩情報に応じたＦＡＸ番号を宛先としてセットし、ＦＡＸを送信して動作を終了するまでの動作については、前記第１の実施の形態と同様であるので、説明を省略する。
【０１１９】
さらに、認識した画像パターン１１ａの形状が▲であると判断された場合、画像入出力装置１０は、コピー準備を開始して、原稿１１の裏面における有彩色の有無を判断し、有彩色がある場合、色彩認識手段１３は色彩認識処理を行い、画像パターン１１ａとしての▲の色彩情報を第１メモリ１８に格納する。なお、これ以降、色彩情報に応じたコピー枚数をセットし、指定されたコピー枚数分コピーして動作を終了するまでの動作については、前記第１の実施の形態と同様であるので、説明を省略する。
【０１２０】
さらに、認識した画像パターン１１ａの形状が◆であると判断された場合、画像入出力装置１０は、ファイリング準備を開始して、原稿１１の裏面における有彩色の有無を判断し、有彩色がある場合、色彩認識手段１３は色彩認識処理を行い、画像パターン１１ａとしての◆の色彩情報を第１メモリ１８に格納する。なお、これ以降、色彩情報に応じたサーバアドレスを宛先としてセットし、ファイリング送信を行って動作を終了するまでの動作については、前記第１の実施の形態と同様であるので、説明を省略する。
【０１２１】
次に、フローチャートについて説明する。
ステップＳ３９１  原稿１１がセットされるのを待機する。原稿１１がセットされた場合はステップＳ３９２に進む。
ステップＳ３９２  原稿１１の先端部の読み取りを開始する。
ステップＳ３９３  原稿１１の裏面に画像パターン１１ａがあるか否かを判断する。原稿１１の裏面に画像パターン１１ａがある場合はステップＳ３９４に進み、原稿１１の裏面に画像パターン１１ａがない場合はステップＳ４６４に進む。
ステップＳ３９４  画像パターン認識処理を行う。
ステップＳ３９５  画像パターン情報を第２メモリ１９に格納する。
ステップＳ３９６  画像パターン情報が■であるか否かを判断する。画像パターン情報が■である場合はステップＳ３９７に進み、画像パターン情報が■でない場合はステップＳ４１３に進む。
ステップＳ３９７  電子メール送信準備を開始する。
ステップＳ３９８  原稿１１の裏面に有彩色があるか否かを判断する。原稿１１の裏面に有彩色がある場合はステップＳ３９９に進み、原稿１１の裏面に有彩色がない場合はステップＳ４６４に進む。
ステップＳ３９９  色彩認識処理を行う。
ステップＳ４００  色彩情報を第１メモリ１８に格納する。
ステップＳ４０１  色彩情報が赤であるか否かを判断する。色彩情報が赤である場合はステップＳ４０２に進み、色彩情報が赤でない場合はステップＳ４０３に進む。
ステップＳ４０２  色彩データ：赤に登録されている電子メールアドレスをセットする。
ステップＳ４０３  色彩情報が緑であるか否かを判断する。色彩情報が緑である場合はステップＳ４０４に進み、色彩情報が緑でない場合はステップＳ４０５に進む。
ステップＳ４０４  色彩データ：緑に登録されている電子メールアドレスをセットする。
ステップＳ４０５  色彩情報が青であるか否かを判断する。色彩情報が青である場合はステップＳ４０６に進み、色彩情報が青でない場合はステップＳ４０７に進む。
ステップＳ４０６  色彩データ：青に登録されている電子メールアドレスをセットする。
ステップＳ４０７  色彩情報が橙であるか否かを判断する。色彩情報が橙である場合はステップＳ４０８に進み、色彩情報が橙でない場合はステップＳ４０９に進む。
ステップＳ４０８  色彩データ：橙に登録されている電子メールアドレスをセットする。
ステップＳ４０９  色彩情報が紫であるか否かを判断する。色彩情報が紫である場合はステップＳ４１０に進み、色彩情報が紫でない場合はステップＳ４６４に進む。
ステップＳ４１０  色彩データ：紫に登録されている電子メールアドレスをセットする。
ステップＳ４１１  画処理データを電子メールに添付する。
ステップＳ４１２  電子メールを送信し、処理を終了する。
ステップＳ４１３  画像パターン情報が★であるか否かを判断する。画像パターン情報が★である場合はステップＳ４１４に進み、画像パターン情報が★でない場合はステップＳ４３０に進む。
ステップＳ４１４  ＦＡＸ送信準備を開始する。
ステップＳ４１５  原稿１１の裏面に有彩色があるか否かを判断する。原稿１１の裏面に有彩色がある場合はステップＳ４１６に進み、原稿１１の裏面に有彩色がない場合はステップＳ４６４に進む。
ステップＳ４１６  色彩認識処理を行う。
ステップＳ４１７  色彩情報を第１メモリ１８に格納する。
ステップＳ４１８  色彩情報が赤であるか否かを判断する。色彩情報が赤である場合はステップＳ４１９に進み、色彩情報が赤でない場合はステップＳ４２０に進む。
ステップＳ４１９  色彩データ：赤に登録されているＦＡＸ番号をセットする。
ステップＳ４２０  色彩情報が緑であるか否かを判断する。色彩情報が緑である場合はステップＳ４２１に進み、色彩情報が緑でない場合はステップＳ４２２に進む。
ステップＳ４２１  色彩データ：緑に登録されているＦＡＸ番号をセットする。
ステップＳ４２２  色彩情報が青であるか否かを判断する。色彩情報が青である場合はステップＳ４２３に進み、色彩情報が青でない場合はステップＳ４２４に進む。
ステップＳ４２３  色彩データ：青に登録されているＦＡＸ番号をセットする。
ステップＳ４２４  色彩情報が橙であるか否かを判断する。色彩情報が橙である場合はステップＳ４２５に進み、色彩情報が橙でない場合はステップＳ４２６に進む。
ステップＳ４２５  色彩データ：橙に登録されているＦＡＸ番号をセットする。
ステップＳ４２６  色彩情報が紫であるか否かを判断する。色彩情報が紫である場合はステップＳ４２７に進み、色彩情報が紫でない場合はステップＳ４６４に進む。
ステップＳ４２７  色彩データ：紫に登録されているＦＡＸ番号をセットする。
ステップＳ４２８  電話回線を接続する。
ステップＳ４２９  ＦＡＸデータを送信し、処理を終了する。
ステップＳ４３０  画像パターン情報が▲であるか否かを判断する。画像パターン情報が▲である場合はステップＳ４３１に進み、画像パターン情報が▲でない場合はステップＳ４４７に進む。
ステップＳ４３１  コピー準備を開始する。
ステップＳ４３２  原稿１１の裏面に有彩色があるか否かを判断する。原稿１１の裏面に有彩色がある場合はステップＳ４３３に進み、原稿１１の裏面に有彩色がない場合はステップＳ４６４に進む。
ステップＳ４３３  色彩認識処理を行う。
ステップＳ４３４  色彩情報を第１メモリ１８に格納する。
ステップＳ４３５  色彩情報が赤であるか否かを判断する。色彩情報が赤である場合はステップＳ４３６に進み、色彩情報が赤でない場合はステップＳ４３７に進む。
ステップＳ４３６  色彩データ：赤に登録されているコピー枚数をセットする。
ステップＳ４３７  色彩情報が緑であるか否かを判断する。色彩情報が緑である場合はステップＳ４３８に進み、色彩情報が緑でない場合はステップＳ４３９に進む。
ステップＳ４３８  色彩データ：緑に登録されているコピー枚数をセットする。
ステップＳ４３９  色彩情報が青であるか否かを判断する。色彩情報が青である場合はステップＳ４４０に進み、色彩情報が青でない場合はステップＳ４４１に進む。
ステップＳ４４０  色彩データ：青に登録されているコピー枚数をセットする。
ステップＳ４４１  色彩情報が橙であるか否かを判断する。色彩情報が橙である場合はステップＳ４４２に進み、色彩情報が橙でない場合はステップＳ４４３に進む。
ステップＳ４４２  色彩データ：橙に登録されているコピー枚数をセットする。
ステップＳ４４３  色彩情報が紫であるか否かを判断する。色彩情報が紫である場合はステップＳ４４４に進み、色彩情報が紫でない場合はステップＳ４６４に進む。
ステップＳ４４４  色彩データ：紫に登録されているコピー枚数をセットする。
ステップＳ４４５  コピー動作のための準備を行う。
ステップＳ４４６  指定枚数のコピーを行い、処理を終了する。
ステップＳ４４７  画像パターン情報が◆であるか否かを判断する。画像パターン情報が◆である場合はステップＳ４４８に進み、画像パターン情報が◆でない場合はステップＳ４６４に進む。
ステップＳ４４８  ファイリング準備を開始する。
ステップＳ４４９  原稿１１の裏面に有彩色があるか否かを判断する。原稿１１の裏面に有彩色がある場合はステップＳ４５０に進み、原稿１１の裏面に有彩色がない場合はステップＳ４６４に進む。
ステップＳ４５０  色彩認識処理を行う。
ステップＳ４５１  色彩情報を第１メモリ１８に格納する。
ステップＳ４５２  色彩情報が赤であるか否かを判断する。色彩情報が赤である場合はステップＳ４５３に進み、色彩情報が赤でない場合はステップＳ４５４に進む。
ステップＳ４５３  色彩データ：赤に登録されているサーバアドレスをセットする。
ステップＳ４５４  色彩情報が緑であるか否かを判断する。色彩情報が緑である場合はステップＳ４５５に進み、色彩情報が緑でない場合はステップＳ４５６に進む。
ステップＳ４５５  色彩データ：緑に登録されているサーバアドレスをセットする。
ステップＳ４５６  色彩情報が青であるか否かを判断する。色彩情報が青である場合はステップＳ４５７に進み、色彩情報が青でない場合はステップＳ４５８に進む。
ステップＳ４５７  色彩データ：青に登録されているサーバアドレスをセットする。
ステップＳ４５８  色彩情報が橙であるか否かを判断する。色彩情報が橙である場合はステップＳ４５９に進み、色彩情報が橙でない場合はステップＳ４６０に進む。
ステップＳ４５９  色彩データ：橙に登録されているサーバアドレスをセットする。
ステップＳ４６０  色彩情報が紫であるか否かを判断する。色彩情報が紫である場合はステップＳ４６１に進み、色彩情報が紫でない場合はステップＳ４６４に進む。
ステップＳ４６１  色彩データ：紫に登録されているサーバアドレスをセットする。
ステップＳ４６２  データ転送のための準備を行う。
ステップＳ４６３  指定サーバへのデータ送信を行い、処理を終了する。
ステップＳ４６４  原稿１１を排出する。
ステップＳ４６５  待機状態にリセットし、処理を終了する。
【０１２２】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１の表面を読み取る表面用カラーイメージスキャナ部３２と、原稿１１の裏面の先端部から有彩色の画像パターンを読み取る裏面用カラーイメージスキャナ部３３と、画像を記録紙に記録するプリンタ部２２と、色彩情報を認識する色彩認識手段１３と、画像パターン１１ａを認識する画像パターン認識手段１４と、色彩認識手段１３と画像パターン認識手段１４によって原稿１１の所定領域に記載されている画像パターン１１ａの形状及び色彩情報を認識した場合、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５とを有する。そのため、オペレータは、原稿１１の裏面における所定領域（例えば、先端部）に所定の形状及び色彩の画像パターン１１ａを付与しておくことによって、煩わしい操作を行うことなく、自動的に電子メール送信、ＦＡＸ送信、部数指定コピー、ファイリング送信等を行わせることができる。
【０１２３】
また、有彩色の画像パターン１１ａが裏面に付与された原稿１１は、第三者からどのような機能を有しているのか判別することができないので、相手先の電子メールアドレスやＦＡＸ番号の情報漏洩を防止することとなり、情報の保守性を高めることができる。
【０１２４】
なお、本実施の形態においては、原稿１１の裏面における先端部に所定の形状及び色彩の画像パターン１１ａを付与するようになっているが、画像パターン１１ａの位置は先端部に限定されるものではなく、原稿１１の任意の位置に付与することができる。
【０１２５】
また、前記画像パターン１１ａの色彩は、赤、緑、青、橙、紫の五色としたが、色彩の数はこれに限定されるものではない。色彩の数はスキャナの色彩情報に対する読み取り能力に依存するものであり、裏面用カラーイメージスキャナ部３３の読み取り能力を超えない範囲で色彩の数を決定することができる。
【０１２６】
さらに、本実施の形態においては、電子メール送信機能、ＦＡＸ送信機能、部数指定コピー機能、ファイリング送信機能を自動的に起動させたが、これに限定されるものではなく、オペレータが前記電子メール送信機能、ＦＡＸ送信機能、部数指定コピー機能、ファイリング送信機能をマニュアルで設定することができることは言うまでもない。
【０１２７】
以上のように、本実施の形態においては、原稿１１から画像パターン１１ａの色彩情報を読み込むことによって、該色彩情報を有効に利用することができる。
【０１２８】
次に、本発明の第５の実施の形態について説明する。なお、第１〜第４の実施の形態と同じ構成を有するものは、同じ符号を付与することによってその説明を省略する。また、前記第１〜第４の実施の形態と同じ動作及び同じ効果についても、その説明を省略する。
【０１２９】
本実施の形態において、画像入出力装置１０の構成は、前記第４の実施の形態と同様であるので説明を省略し、動作について説明する。また、前手順についても前記第１の実施の形態と同様であるので説明を省略する。さらに、原稿１１を読み取る場合の動作についても、基本的には前記第４の実施の形態における画像入出力装置の動作とほぼ同様であるので、相違点だけを説明する。
【０１３０】
図３３は本発明の第５の実施の形態における原稿を読み取る場合の動作を示す第１のフローチャート、図３４は本発明の第５の実施の形態における原稿を読み取る場合の動作を示す第２のフローチャート、図３５は本発明の第５の実施の形態における原稿を読み取る場合の動作を示す第３のフローチャート、図３６は本発明の第５の実施の形態における原稿を読み取る場合の動作を示す第４のフローチャート、図３７は本発明の第５の実施の形態における原稿を読み取る場合の動作を示す第５のフローチャートである。
【０１３１】
まず、図示されない原稿検出センサが画像入出力装置１０に原稿１１がセットされたことを検知して、表面用カラーイメージスキャナ部３２及び裏面用カラーイメージスキャナ部３３が原稿１１の表面及び裏面の読み取りを開始してから、裏面に付与された画像パターン１１ａの形状が■、★、▲及び◆のいずれであるかに応じて、電子メール送信準備、ＦＡＸ送信準備、コピー準備及びファイリング準備のいずれかを開始するまでの動作は、前記第４の実施の形態と同様であるので、説明を省略する。
【０１３２】
なお、本実施の形態において、原稿１１の裏面における先端部に画像パターン１１ａが付与されていない場合や、この画像パターン１１ａの形状が何らかの理由によって認識することができない場合、また、出力選択テーブル１６にあらかじめ登録されている画像パターン１１ａの形状を示す情報と、認識した画像パターン１１ａの形状とが一致しない場合、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【０１３３】
そして、画像パターン１１ａの形状が■である場合において、有彩色の有無を判断してから、色彩情報が赤、緑、青、橙及び紫のいずれであるかに応じて、登録されている電子メールアドレスを宛て先としてセットするまでの動作は、前記第４の実施の形態と同様であるので、説明を省略する。
【０１３４】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによって電子メールアドレスが入力されたことを検知した電子メール制御部２３は、入力された電子メールアドレスを送信先としてセットし、画像メモリ１５に格納されたデータを添付ファイル形式に変換した後、電子メールに添付し、該電子メールを送信するための準備を行い、電子メールを送信するための準備が完了した時点で前記電子メールを送信し、動作を終了する。
【０１３５】
また、画像パターン１１ａの形状が★である場合において、有彩色の有無を判断してから、色彩情報が赤、緑、青、橙及び紫のいずれであるかに応じて、登録されているＦＡＸ番号を宛て先としてセットするまでの動作は、前記第４の実施の形態と同様であるので、説明を省略する。
【０１３６】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってＦＡＸ番号が入力されたことを検知したＦＡＸ制御部２４は、入力されたＦＡＸ番号を送信先としてセットし、電話回線に接続し、ＦＡＸを送信するための準備を行い、ＦＡＸを送信するための準備が完了した時点で、画像メモリ１５に格納されたデータを送信し、動作を終了する。
【０１３７】
さらに、画像パターン１１ａの形状が▲である場合において、有彩色の有無を判断してから、色彩情報が赤、緑、青、橙及び紫のいずれであるかに応じて、登録されている指定されたコピー枚数をセットするまでの動作は、前記第４の実施の形態と同様であるので、説明を省略する。
【０１３８】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってコピー枚数が入力されたことを検知したプリンタ部２２は、入力されたコピー枚数をセットし、コピー動作のための準備が完了した時点で、画像メモリ１５に格納されたデータを指定されたコピー枚数分コピーし、動作を終了する。
【０１３９】
さらに、画像パターン１１ａの形状が◆である場合において、有彩色の有無を判断してから、色彩情報が赤、緑、青、橙及び紫のいずれであるかに応じて、登録されているサーバアドレスを宛て先としてセットするまでの動作は、前記第４の実施の形態と同様であるので、説明を省略する。
【０１４０】
なお、前記画像パターン１１ａに有彩色が付与されていない場合、有彩色が何らかの理由によって認識することができない場合、また、出力選択テーブル１６にあらかじめ登録されている色彩データと、認識した色彩情報とが一致しない場合、画像入出力装置１０はオペレータからのオペレーションパネル制御部２０へのキー入力を待機する。その後、オペレータによってサーバアドレスの宛て先が入力されたことを検知したファイリング制御部２５は、入力されたサーバアドレスを送信先としてセットし、画像メモリ１５に格納されたデータを特定のフォーマットに変換した後、ファイリング送信のためのデータの転送準備が完了した時点で指定サーバにデータを送信し、動作を終了する。
【０１４１】
次に、フローチャートについて説明する。
ステップＳ４７１  原稿１１がセットされるのを待機する。原稿１１がセットされた場合はステップＳ４７２に進む。
ステップＳ４７２  原稿１１の先端部の読み取りを開始する。
ステップＳ４７３  原稿１１の裏面に画像パターン１１ａがあるか否かを判断する。原稿１１の裏面に画像パターン１１ａがある場合はステップＳ４７４に進み、原稿１１の裏面に画像パターン１１ａがない場合はステップＳ５５２に進む。
ステップＳ４７４  画像パターン認識処理を行う。
ステップＳ４７５  画像パターン情報を第２メモリ１９に格納する。
ステップＳ４７６  画像パターン情報が■であるか否かを判断する。画像パターン情報が■である場合はステップＳ４７７に進み、画像パターン情報が■でない場合はステップＳ４９５に進む。
ステップＳ４７７  電子メール送信準備を開始する。
ステップＳ４７８  原稿１１の裏面に有彩色があるか否かを判断する。原稿１１の裏面に有彩色がある場合はステップＳ４７９に進み、原稿１１の裏面に有彩色がない場合はステップＳ４９１に進む。
ステップＳ４７９  色彩認識処理を行う。
ステップＳ４８０  色彩情報を第１メモリ１８に格納する。
ステップＳ４８１  色彩情報が赤であるか否かを判断する。色彩情報が赤である場合はステップＳ４８２に進み、色彩情報が赤でない場合はステップＳ４８３に進む。
ステップＳ４８２  色彩データ：赤に登録されている電子メールアドレスをセットする。
ステップＳ４８３  色彩情報が緑であるか否かを判断する。色彩情報が緑である場合はステップＳ４８４に進み、色彩情報が緑でない場合はステップＳ４８５に進む。
ステップＳ４８４  色彩データ：緑に登録されている電子メールアドレスをセットする。
ステップＳ４８５  色彩情報が青であるか否かを判断する。色彩情報が青である場合はステップＳ４８６に進み、色彩情報が青でない場合はステップＳ４８７に進む。
ステップＳ４８６  色彩データ：青に登録されている電子メールアドレスをセットする。
ステップＳ４８７  色彩情報が橙であるか否かを判断する。色彩情報が橙である場合はステップＳ４８８に進み、色彩情報が橙でない場合はステップＳ４８９に進む。
ステップＳ４８８  色彩データ：橙に登録されている電子メールアドレスをセットする。
ステップＳ４８９  色彩情報が紫であるか否かを判断する。色彩情報が紫である場合はステップＳ４９０に進み、色彩情報が紫でない場合はステップＳ４９１に進む。
ステップＳ４９０  色彩データ：紫に登録されている電子メールアドレスをセットする。
ステップＳ４９１  オペレータによる新たな電子メールアドレスの入力を待機する。電子メールアドレスが入力された場合はステップＳ４９２に進む。
ステップＳ４９２  電子メールアドレスをセットする。
ステップＳ４９３  画処理データを電子メールに添付する。
ステップＳ４９４  電子メールを送信し、処理を終了する。
ステップＳ４９５  画像パターン情報が★であるか否かを判断する。画像パターン情報が★である場合はステップＳ４９６に進み、画像パターン情報が★でない場合はステップＳ５１４に進む。
ステップＳ４９６  ＦＡＸ送信準備を開始する。
ステップＳ４９７  原稿１１の裏面に有彩色があるか否かを判断する。原稿１１の裏面に有彩色がある場合はステップＳ４９８に進み、原稿１１の裏面に有彩色がない場合はステップＳ５１０に進む。
ステップＳ４９８  色彩認識処理を行う。
ステップＳ４９９  色彩情報を第１メモリ１８に格納する。
ステップＳ５００  色彩情報が赤であるか否かを判断する。色彩情報が赤である場合はステップＳ５０１に進み、色彩情報が赤でない場合はステップＳ５０２に進む。
ステップＳ５０１  色彩データ：赤に登録されているＦＡＸ番号をセットする。
ステップＳ５０２  色彩情報が緑であるか否かを判断する。色彩情報が緑である場合はステップＳ５０３に進み、色彩情報が緑でない場合はステップＳ５０４に進む。
ステップＳ５０３  色彩データ：緑に登録されているＦＡＸ番号をセットする。
ステップＳ５０４  色彩情報が青であるか否かを判断する。色彩情報が青である場合はステップＳ５０５に進み、色彩情報が青でない場合はステップＳ５０６に進む。
ステップＳ５０５  色彩データ：青に登録されているＦＡＸ番号をセットする。
ステップＳ５０６  色彩情報が橙であるか否かを判断する。色彩情報が橙である場合はステップＳ５０７に進み、色彩情報が橙でない場合はステップＳ５０８に進む。
ステップＳ５０７  色彩データ：橙に登録されているＦＡＸ番号をセットする。
ステップＳ５０８  色彩情報が紫であるか否かを判断する。色彩情報が紫である場合はステップＳ５０９に進み、色彩情報が紫でない場合はステップＳ５１０に進む。
ステップＳ５０９  色彩データ：紫に登録されているＦＡＸ番号をセットする。
ステップＳ５１０  オペレータによる新たなＦＡＸ番号の入力を待機する。ＦＡＸ番号が入力された場合はステップＳ５１１に進む。
ステップＳ５１１  ＦＡＸ番号をセットする。
ステップＳ５１２  電話回線を接続する。
ステップＳ５１３  ＦＡＸデータを送信し、処理を終了する。
ステップＳ５１４  画像パターン情報が▲であるか否かを判断する。画像パターン情報が▲である場合はステップＳ５１５に進み、画像パターン情報が▲でない場合はステップＳ５３３に進む。
ステップＳ５１５  コピー準備を開始する。
ステップＳ５１６  原稿１１の裏面に有彩色があるか否かを判断する。原稿１１の裏面に有彩色がある場合はステップＳ５１７に進み、原稿１１の裏面に有彩色がない場合はステップＳ５２９に進む。
ステップＳ５１７  色彩認識処理を行う。
ステップＳ５１８  色彩情報を第１メモリ１８に格納する。
ステップＳ５１９  色彩情報が赤であるか否かを判断する。色彩情報が赤である場合はステップＳ５２０に進み、色彩情報が赤でない場合はステップＳ５２１に進む。
ステップＳ５２０  色彩データ：赤に登録されているコピー枚数をセットする。
ステップＳ５２１  色彩情報が緑であるか否かを判断する。色彩情報が緑である場合はステップＳ５２２に進み、色彩情報が緑でない場合はステップＳ５２３に進む。
ステップＳ５２２  色彩データ：緑に登録されているコピー枚数をセットする。
ステップＳ５２３  色彩情報が青であるか否かを判断する。色彩情報が青である場合はステップＳ５２４に進み、色彩情報が青でない場合はステップＳ５２５に進む。
ステップＳ５２４  色彩データ：青に登録されているコピー枚数をセットする。
ステップＳ５２５  色彩情報が橙であるか否かを判断する。色彩情報が橙である場合はステップＳ５２６に進み、色彩情報が橙でない場合はステップＳ５２７に進む。
ステップＳ５２６  色彩データ：橙に登録されているコピー枚数をセットする。
ステップＳ５２７  色彩情報が紫であるか否かを判断する。色彩情報が紫である場合はステップＳ５２８に進み、色彩情報が紫でない場合はステップＳ５２９に進む。
ステップＳ５２８  色彩データ：紫に登録されているコピー枚数をセットする。
ステップＳ５２９  オペレータによるコピー操作の要求を待機する。コピー操作が要求された場合はステップＳ５３０に進む。
ステップＳ５３０  コピー枚数をセットする。
ステップＳ５３１  コピー動作のための準備を行う。
ステップＳ５３２  指定枚数のコピーを行い、処理を終了する。
ステップＳ５３３  画像パターン情報が◆であるか否かを判断する。画像パターン情報が◆である場合はステップＳ５３４に進み、画像パターン情報が◆でない場合はステップＳ５５２に進む。
ステップＳ５３４  ファイリング準備を開始する。
ステップＳ５３５  原稿１１の裏面に有彩色があるか否かを判断する。原稿１１の裏面に有彩色がある場合はステップＳ５３６に進み、原稿１１の裏面に有彩色がない場合はステップＳ５４８に進む。
ステップＳ５３６  色彩認識処理を行う。
ステップＳ５３７  色彩情報を第１メモリ１８に格納する。
ステップＳ５３８  色彩情報が赤であるか否かを判断する。色彩情報が赤である場合はステップＳ５３９に進み、色彩情報が赤でない場合はステップＳ５４０に進む。
ステップＳ５３９  色彩データ：赤に登録されているサーバアドレスをセットする。
ステップＳ５４０  色彩情報が緑であるか否かを判断する。色彩情報が緑である場合はステップＳ５４１に進み、色彩情報が緑でない場合はステップＳ５４２に進む。
ステップＳ５４１  色彩データ：緑に登録されているサーバアドレスをセットする。
ステップＳ５４２  色彩情報が青であるか否かを判断する。色彩情報が青である場合はステップＳ５４３に進み、色彩情報が青でない場合はステップＳ５４４に進む。
ステップＳ５４３  色彩データ：青に登録されているサーバアドレスをセットする。
ステップＳ５４４  色彩情報が橙であるか否かを判断する。色彩情報が橙である場合はステップＳ５４５に進み、色彩情報が橙でない場合はステップＳ５４６に進む。
ステップＳ５４５  色彩データ：橙に登録されているサーバアドレスをセットする。
ステップＳ５４６  色彩情報が紫であるか否かを判断する。色彩情報が紫である場合はステップＳ５４７に進み、色彩情報が紫でない場合はステップＳ５４８に進む。
ステップＳ５４７  色彩データ：紫に登録されているサーバアドレスをセットする。
ステップＳ５４８  オペレータによる新たなサーバアドレスの入力を待機する。サーバアドレスが入力された場合はステップＳ５４９に進む。
ステップＳ５４９  サーバアドレスをセットする。
ステップＳ５５０  データ転送のための準備を行う。
ステップＳ５５１  指定サーバへのデータ送信を行い、処理を終了する。
ステップＳ５５２  カラーＭＦＰ機能の選択を要求し、処理を終了する。
【０１４２】
このように、本実施の形態においては、画像パターン１１ａの形状を認識することができない場合は、画像入出力装置１０が初期状態に戻ることなく、オペレータからの新たな入力指示を待機し、また、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、又は、ファイリング送信を行うことができる。
【０１４３】
なお、本実施の形態におけるその他の効果については、前記第４の実施の形態における効果と同様であるので、説明を省略する。
【０１４４】
次に、本発明の第６の実施の形態について説明する。なお、第１〜第５の実施の形態と同じ構成を有するものは、同じ符号を付与することによって、その説明を省略する。また、前記第１〜第５の実施の形態と同じ動作及び同じ効果についても、その説明を省略する。
【０１４５】
図３８は本発明の第６の実施の形態における画像入出力装置の構成を示すブロック図である。
【０１４６】
本実施の形態において、画像入出力装置１０は、図３８に示されるように、ローカル又はＬＡＮによって接続されたＰＣと接続されており、スキャンデータを前記ＰＣの指定ホルダに格納する機能を制御するＰＣスキャン制御部２６を有する。なお、その他の点の構成については、前記第４の実施の形態と同様であるので、その説明を省略する。
【０１４７】
次に、本実施の形態における画像入出力装置１０の動作について説明する。
【０１４８】
本実施の形態においては、前手順として、図１７に示されるような出力選択テーブル１６において、形状に対応してあらかじめ電子メール送信機能、ＦＡＸ送信機能、部数指定コピー機能、ファイリング機能、ＰＣの指定ホルダに格納する機能等の各種機能が対応付けられている各種の画像パターン１１ａについて、各色彩に対応する固有情報を登録するようになっている。なお、前記前手順は、前記第３の形態における前手順と同様であるので、説明を省略する。さらに、原稿１１を読み取る場合の動作についても、基本的には前記第４の実施の形態における画像入出力装置１０の動作とほぼ同様であるので、相違点だけを説明する。
【０１４９】
図３９は本発明の第６の実施の形態における原稿を読み取る場合の動作を示す第１のフローチャート、図４０は本発明の第６の実施の形態における原稿を読み取る場合の動作を示す第２のフローチャート、図４１は本発明の第６の実施の形態における原稿を読み取る場合の動作を示す第３のフローチャート、図４２は本発明の第６の実施の形態における原稿を読み取る場合の動作を示す第４のフローチャート、図４３は本発明の第６の実施の形態における原稿を読み取る場合の動作を示す第５のフローチャート、図４４は本発明の第６の実施の形態における原稿を読み取る場合の動作を示す第６のフローチャートである。
【０１５０】
まず、図示されない原稿検出センサが画像入出力装置１０に原稿１１がセットされたことを検知すると、該原稿１１の両面を同時に読み取ることができる表面用カラーイメージスキャナ部３２及び裏面用カラーイメージスキャナ部３３によって原稿１１の先端部の両面の同時読み取りを開始する。そして、前記裏面用カラーイメージスキャナ部３３によって、原稿１１の裏面における先端部に図２７に示されるような画像パターン１１ａが付与されているか否か、すなわち、画像パターン１１ａの有無を検知する。そして、画像パターン１１ａが確認された場合、色彩認識手段１４は、色彩認識処理を行い、画像パターン１１ａの色彩情報を第１メモリ１８に格納する。このとき、該第１メモリ１８及び第２メモリ１９のデータの有無を常時監視しているコンパレータ制御部１７は、出力選択テーブル１６に登録されている画像パターン１１ａの色彩データと、色彩認識手段１４によって第１メモリ１８に格納されている色彩情報とを比較する。
【０１５１】
そして、読み取った色彩情報が出力選択テーブル１６に登録されている色彩データとしての赤であるか否かを判断し、赤である場合には電子メール送信準備を開始する。また、赤でない場合には、読み取った色彩情報が出力選択テーブル１６に登録されている色彩データとしての黄であるか否かを判断し、黄である場合にはＦＡＸ送信準備を開始する。また、黄でない場合には、読み取った色彩情報が出力選択テーブル１６に登録されている色彩データとしての緑であるか否かを判断し、緑である場合にはコピー準備を開始する。また、緑でない場合には、読み取った色彩情報が出力選択テーブル１６に登録されている色彩データとしての青であるか否かを判断し、青である場合にはファイリング準備を開始する。また、青でない場合には、読み取った色彩情報が出力選択テーブル１６に登録されている色彩データとしての紫であるか否かを判断し、紫である場合にはＰＣスキャン準備を開始する。
【０１５２】
なお、原稿１１の裏面における先端部に画像パターン１１ａが付与されていない場合、有彩色が何らかの理由によって認識することができない場合、又は、出力選択テーブル１６にあらかじめ登録されている色彩データと、認識した色彩情報とが一致しない場合、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【０１５３】
そして、認識した色彩情報が赤であると判断された場合、画像入出力装置１０は、電子メール送信準備を開始して、原稿１１の裏面における画像パターン１１ａの有無を判断し、画像パターン１１ａがある場合、画像パターン認識処理を行い、画像パターン１１ａの形状を示す情報としての画像パターン情報を第２メモリ１９に格納する。なお、これ以降、電子メールを送信するための準備が完了した時点で電子メールを送信して動作を終了するまでの動作については、前記第３の実施の形態と同様であるので、説明を省略する。
【０１５４】
また、認識した色彩情報が黄であると判断された場合、画像入出力装置１０は、ＦＡＸ送信準備を開始して、原稿１１の裏面における画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。なお、これ以降、ＦＡＸを送信するための準備が完了した時点で、画像メモリ１５に格納されたデータを送信し、動作を終了するまでの動作については、前記第３の実施の形態と同様であるので、説明を省略する。
【０１５５】
さらに、認識した色彩情報が緑であると判断された場合、画像入出力装置１０は、コピー準備を開始して、原稿１１の裏面における画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。なお、これ以降、コピー動作のための準備が完了した時点で、画像メモリ１５に格納されたデータを指定されたコピー枚数分コピーし、動作を終了するまでの動作については、前記第３の実施の形態と同様であるので、説明を省略する。
【０１５６】
さらに、認識した色彩情報が青であると判断された場合、画像入出力装置１０は、ファイリング準備を開始して、原稿１１の裏面における画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。なお、これ以降、ファイリング送信のためのデータの転送準備が完了した時点で指定サーバにデータを送信し、動作を終了するまでの動作については、前記第３の実施の形態と同様であるので、説明を省略する。
【０１５７】
さらに、認識した色彩情報が紫であると判断された場合、画像入出力装置１０は、ＰＣスキャン準備を開始して、原稿１１の裏面における画像パターン１１ａの有無を判断し、画像パターン１１ａがある場合、画像パターン認識処理を行い、画像パターン１１ａの形状を示す情報としての画像パターン情報を第２メモリ１９に格納する。このとき、第１メモリ１８及び第２メモリ１９のデータの有無を常時監視しているコンパレータ制御部１７は、出力選択テーブル１６に登録されている画像パターン１１ａの形状を示す情報と、画像パターン認識によって第２メモリ１９に格納されている画像パターン情報とを比較する。なお、これ以降、画像メモリ１５に格納されたデータを転送するデータ送信のための準備が完了した時点でこれを送信し、動作を終了するまでの動作については、前記第３の実施の形態と同様であるので、説明を省略する。
【０１５８】
次に、フローチャートについて説明する。
ステップＳ５６１  原稿１１がセットされるのを待機する。原稿１１がセットされた場合はステップＳ５６２に進む。
ステップＳ５６２  原稿１１の先端部の読み取りを開始する。
ステップＳ５６３  原稿１１の裏面に有彩色があるか否かを判断する。原稿１１の裏面に有彩色がある場合はステップＳ５６４に進み、原稿１１の裏面に有彩色がない場合はステップＳ６６１に進む。
ステップＳ５６４  色彩認識処理を行う。
ステップＳ５６５  色彩情報を第１メモリ１８に格納する。
ステップＳ５６６  色彩情報が赤であるか否かを判断する。色彩情報が赤である場合はステップＳ５６７に進み、色彩情報が赤でない場合はステップＳ５８５に進む。
ステップＳ５６７  電子メール送信準備を開始する。
ステップＳ５６８  原稿１１の裏面に画像パターン１１ａがあるか否かを判断する。原稿１１の裏面に画像パターン１１ａがある場合はステップＳ５６９に進み、原稿１１の裏面に画像パターン１１ａがない場合はステップＳ５８１に進む。
ステップＳ５６９  画像パターン認識処理を行う。
ステップＳ５７０  画像パターン情報を第２メモリ１９に格納する。
ステップＳ５７１  画像パターン情報が■であるか否かを判断する。画像パターン情報が■である場合はステップＳ５７２に進み、画像パターン情報が■でない場合はステップＳ５７３に進む。
ステップＳ５７２  画像パターン１１ａ：■に登録されている電子メールアドレスをセットする。
ステップＳ５７３  画像パターン情報が★であるか否かを判断する。画像パターン情報が★である場合はステップＳ５７４に進み、画像パターン情報が★でない場合はステップＳ５７５に進む。
ステップＳ５７４  画像パターン１１ａ：★に登録されている電子メールアドレスをセットする。
ステップＳ５７５  画像パターン情報が▲であるか否かを判断する。画像パターン情報が▲である場合はステップＳ５７６に進み、画像パターン情報が▲でない場合はステップＳ５７７に進む。
ステップＳ５７６  画像パターン１１ａ：▲に登録されている電子メールアドレスをセットする。
ステップＳ５７７  画像パターン情報が◆であるか否かを判断する。画像パターン情報が◆である場合はステップＳ５７８に進み、画像パターン情報が◆でない場合はステップＳ５７９に進む。
ステップＳ５７８  画像パターン１１ａ：◆に登録されている電子メールアドレスをセットする。
ステップＳ５７９  画像パターン情報が▼であるか否かを判断する。画像パターン情報が▼である場合はステップＳ５８０に進み、画像パターン情報が▼でない場合はステップＳ５８１に進む。
ステップＳ５８０  画像パターン１１ａ：▼に登録されている電子メールアドレスをセットする。
ステップＳ５８１  オペレータによる新たな電子メールアドレスの入力を待機する。電子メールアドレスが入力された場合はステップＳ５８２に進む。
ステップＳ５８２  電子メールアドレスをセットする。
ステップＳ５８３  画処理データを電子メールに添付する。
ステップＳ５８４  電子メールを送信し、処理を終了する。
ステップＳ５８５  色彩情報が黄であるか否かを判断する。色彩情報が黄である場合はステップＳ５８６に進み、色彩情報が黄でない場合はステップＳ６０４に進む。
ステップＳ５８６  ＦＡＸ送信準備を開始する。
ステップＳ５８７  原稿１１の裏面に画像パターン１１ａがあるか否かを判断する。原稿１１の裏面に画像パターン１１ａがある場合はステップＳ５８８に進み、原稿１１の裏面に画像パターン１１ａがない場合はステップＳ６００に進む。
ステップＳ５８８  画像パターン認識処理を行う。
ステップＳ５８９  画像パターン情報を第２メモリ１９に格納する。
ステップＳ５９０  画像パターン情報が■であるか否かを判断する。画像パターン情報が■である場合はステップＳ５９１に進み、画像パターン情報が■でない場合はステップＳ５９２に進む。
ステップＳ５９１  画像パターン１１ａ：■に登録されているＦＡＸ番号をセットする。
ステップＳ５９２  画像パターン情報が★であるか否かを判断する。画像パターン情報が★である場合はステップＳ５９３に進み、画像パターン情報が★でない場合はステップＳ５９４に進む。
ステップＳ５９３  画像パターン１１ａ：★に登録されているＦＡＸ番号をセットする。
ステップＳ５９４  画像パターン情報が▲であるか否かを判断する。画像パターン情報が▲である場合はステップＳ５９５に進み、画像パターン情報が▲でない場合はステップＳ５９６に進む。
ステップＳ５９５  画像パターン１１ａ：▲に登録されているＦＡＸ番号をセットする。
ステップＳ５９６  画像パターン情報が◆であるか否かを判断する。画像パターン情報が◆である場合はステップＳ５９７に進み、画像パターン情報が◆でない場合はステップＳ５９８に進む。
ステップＳ５９７  画像パターン１１ａ：◆に登録されているＦＡＸ番号をセットする。
ステップＳ５９８  画像パターン情報が▼であるか否かを判断する。画像パターン情報が▼である場合はステップＳ５９９に進み、画像パターン情報が▼でない場合はステップＳ６００に進む。
ステップＳ５９９  画像パターン１１ａ：▼に登録されているＦＡＸ番号をセットする。
ステップＳ６００  オペレータによる新たなＦＡＸ番号の入力を待機する。ＦＡＸ番号が入力された場合はステップＳ６０１に進む。
ステップＳ６０１  ＦＡＸ番号をセットする。
ステップＳ６０２  電話回線を接続する。
ステップＳ６０３  ＦＡＸデータを送信し、処理を終了する。
ステップＳ６０４  色彩情報が緑であるか否かを判断する。色彩情報が緑である場合はステップＳ６０５に進み、色彩情報が緑でない場合はステップＳ６２３に進む。
ステップＳ６０５  コピー準備を開始する。
ステップＳ６０６  原稿１１の裏面に画像パターン１１ａがあるか否かを判断する。原稿１１の裏面に画像パターン１１ａがある場合はステップＳ６０７に進み、原稿１１の裏面に画像パターン１１ａがない場合はステップＳ６１９に進む。
ステップＳ６０７  画像パターン認識処理を行う。
ステップＳ６０８  画像パターン情報を第２メモリ１９に格納する。
ステップＳ６０９  画像パターン情報が■であるか否かを判断する。画像パターン情報が■である場合はステップＳ６１０に進み、画像パターン情報が■でない場合はステップＳ６１１に進む。
ステップＳ６１０  画像パターン１１ａ：■に登録されているコピー枚数をセットする。
ステップＳ６１１  画像パターン情報が★であるか否かを判断する。画像パターン情報が★である場合はステップＳ６１２に進み、画像パターン情報が★でない場合はステップＳ６１３に進む。
ステップＳ６１２  画像パターン１１ａ：★に登録されているコピー枚数をセットする。
ステップＳ６１３  画像パターン情報が▲であるか否かを判断する。画像パターン情報が▲である場合はステップＳ６１４に進み、画像パターン情報が▲でない場合はステップＳ６１５に進む。
ステップＳ６１４  画像パターン１１ａ：▲に登録されているコピー枚数をセットする。
ステップＳ６１５  画像パターン情報が◆であるか否かを判断する。画像パターン情報が◆である場合はステップＳ６１６に進み、画像パターン情報が◆でない場合はステップＳ６１７に進む。
ステップＳ６１６  画像パターン１１ａ：◆に登録されているコピー枚数をセットする。
ステップＳ６１７  画像パターン情報が▼であるか否かを判断する。画像パターン情報が▼である場合はステップＳ６１８に進み、画像パターン情報が▼でない場合はステップＳ６１９に進む。
ステップＳ６１８  画像パターン１１ａ：▼に登録されているコピー枚数をセットする。
ステップＳ６１９  オペレータによるコピー操作の要求を待機する。コピー操作が要求された場合はステップＳ６２０に進む。
ステップＳ６２０  コピー枚数をセットする。
ステップＳ６２１  コピー動作のための準備を行う。
ステップＳ６２２  指定枚数のコピーを行い、処理を終了する。
ステップＳ６２３  色彩情報が青であるか否かを判断する。色彩情報が青である場合はステップＳ６２４に進み、色彩情報が青でない場合はステップＳ６４２に進む。
ステップＳ６２４  ファイリング準備を開始する。
ステップＳ６２５  原稿１１の裏面に画像パターン１１ａがあるか否かを判断する。原稿１１の裏面に画像パターン１１ａがある場合はステップＳ６２６に進み、原稿１１の裏面に画像パターン１１ａがない場合はステップＳ６３８に進む。
ステップＳ６２６  画像パターン認識処理を行う。
ステップＳ６２７  画像パターン情報を第２メモリ１９に格納する。
ステップＳ６２８  画像パターン情報が■であるか否かを判断する。画像パターン情報が■である場合はステップＳ６２９に進み、画像パターン情報が■でない場合はステップＳ６３０に進む。
ステップＳ６２９  画像パターン１１ａ：■に登録されているサーバアドレスをセットする。
ステップＳ６３０  画像パターン情報が★であるか否かを判断する。画像パターン情報が★である場合はステップＳ６３１に進み、画像パターン情報が★でない場合はステップＳ６３２に進む。
ステップＳ６３１  画像パターン１１ａ：★に登録されているサーバアドレスをセットする。
ステップＳ６３２  画像パターン情報が▲であるか否かを判断する。画像パターン情報が▲である場合はステップＳ６３３に進み、画像パターン情報が▲でない場合はステップＳ６３４に進む。
ステップＳ６３３  画像パターン１１ａ：▲に登録されているサーバアドレスをセットする。
ステップＳ６３４  画像パターン情報が◆であるか否かを判断する。画像パターン情報が◆である場合はステップＳ６３５に進み、画像パターン情報が◆でない場合はステップＳ６３６に進む。
ステップＳ６３５  画像パターン１１ａ：◆に登録されているサーバアドレスをセットする。
ステップＳ６３６  画像パターン情報が▼であるか否かを判断する。画像パターン情報が▼である場合はステップＳ６３７に進み、画像パターン情報が▼でない場合はステップＳ６３８に進む。
ステップＳ６３７  画像パターン１１ａ：▼に登録されているサーバアドレスをセットする。
ステップＳ６３８  オペレータによる新たなサーバアドレスの入力を待機する。サーバアドレスが入力された場合はステップＳ６３９に進む。
ステップＳ６３９  サーバアドレスをセットする。
ステップＳ６４０  データ転送のための準備を行う。
ステップＳ６４１  指定サーバへのデータ送信を行い、処理を終了する。
ステップＳ６４２  色彩情報が紫であるか否かを判断する。色彩情報が紫である場合はステップＳ６４３に進み、色彩情報が紫でない場合はステップＳ６６１に進む。
ステップＳ６４３  ＰＣスキャン準備を開始する。
ステップＳ６４４  原稿１１の裏面に画像パターン１１ａがあるか否かを判断する。原稿１１の裏面に画像パターン１１ａがある場合はステップＳ６４５に進み、原稿１１の裏面に画像パターン１１ａがない場合はステップＳ６５７に進む。
ステップＳ６４５  画像パターン認識処理を行う。
ステップＳ６４６  画像パターン情報を第２メモリ１９に格納する。
ステップＳ６４７  画像パターン情報が■であるか否かを判断する。画像パターン情報が■である場合はステップＳ６４８に進み、画像パターン情報が■でない場合はステップＳ６４９に進む。
ステップＳ６４８  画像パターン１１ａ：■に登録されているＰＣのホルダをセットする。
ステップＳ６４９  画像パターン情報が★であるか否かを判断する。画像パターン情報が★である場合はステップＳ６５０に進み、画像パターン情報が★でない場合はステップＳ６５１に進む。
ステップＳ６５０  画像パターン１１ａ：★に登録されているＰＣのホルダをセットする。
ステップＳ６５１  画像パターン情報が▲であるか否かを判断する。画像パターン情報が▲である場合はステップＳ６５２に進み、画像パターン情報が▲でない場合はステップＳ６５３に進む。
ステップＳ６５２  画像パターン１１ａ：▲に登録されているＰＣのホルダをセットする。
ステップＳ６５３  画像パターン情報が◆であるか否かを判断する。画像パターン情報が◆である場合はステップＳ６５４に進み、画像パターン情報が◆でない場合はステップＳ６５５に進む。
ステップＳ６５４  画像パターン１１ａ：◆に登録されているＰＣのホルダをセットする。
ステップＳ６５５  画像パターン情報が▼であるか否かを判断する。画像パターン情報が▼である場合はステップＳ６５６に進み、画像パターン情報が▼でない場合はステップＳ６５７に進む。
ステップＳ６５６  画像パターン１１ａ：▼に登録されているＰＣのホルダをセットする。
ステップＳ６５７  オペレータによる新たなＰＣのホルダの入力を待機する。ＰＣのホルダが入力された場合はステップＳ６５８に進む。
ステップＳ６５８  ＰＣのホルダをセットする。
ステップＳ６５９  データ転送のための準備を行う。
ステップＳ６６０  指定ホルダへのデータ送信を行い、処理を終了する。
ステップＳ６６１  カラーＭＦＰ機能の選択を要求し、処理を終了する。
【０１５９】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１の表面を読み取る表面用カラーイメージスキャナ部３２と、原稿１１の裏面の先端部から有彩色の画像パターンを読み取る裏面用カラーイメージスキャナ部３３と、画像を記録紙に記録するプリンタ部２２と、色彩情報を認識する色彩認識手段１３と、画像パターン１１ａを認識する画像パターン認識手段１４と、色彩認識手段１３と画像パターン認識手段１４によって原稿１１の所定領域に記載されている画像パターン１１ａの形状及び色彩情報を認識した場合、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５と、ローカルやＬＡＮ等で接続されたＰＣに対してスキャンしたデータを転送するＰＣスキャン制御部２６とを有する。そのため、オペレータは、原稿１１の裏面における所定領域（例えば、先端部）に所定の形状及び色彩の画像パターン１１ａを付与しておくことによって、煩わしい操作認識を行うことなく、電子メール送信、ＦＡＸ送信、部数指定コピー、ファイリング送信、ＰＣスキャン等を行わせることができる。
【０１６０】
また、画像パターン１１ａの形状を認識することができない場合は、画像入出力装置１０が初期状態に戻ることなく、オペレータからの新たな入力指示を待機し、さらに、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、ファイリング送信、ＰＣスキャン送信の機能を行うことができる。
【０１６１】
さらに、有彩色の画像パターン１１ａが付与された原稿１１は、第三者からどのような機能を有しているのか判別することができないので、相手先の電子メールアドレスやＦＡＸ番号の情報漏洩を防止することとなり、情報の保守性を高めることができる。
【０１６２】
なお、本実施の形態においては、原稿１１の裏面における先端部に所定の形状及び色彩の画像パターン１１ａを付与するようになっているが、画像パターン１１ａの位置は先端部に限定されるものではなく、原稿１１の任意の位置に付与することができる。
【０１６３】
また、前記画像パターン１１ａの色彩は、赤、黄、緑、青、紫の五色としたが、色彩の数はこれに限定されるものではない。色彩の数はスキャナの色彩情報に対する読み取り能力に依存するものであり、裏面用カラーイメージスキャナ部３３の読み取り能力を超えない範囲で色彩の数を決定することができる。
【０１６４】
さらに、本実施の形態においては、電子メール送信機能、ＦＡＸ送信機能、部数指定コピー機能、ファイリング送信機能、ＰＣスキャン機能を自動的に起動させたが、これに限定されるものではなく、オペレータがこれらの電子メール送信機能、ＦＡＸ送信機能、部数指定コピー機能、ファイリング送信機能、ＰＣスキャン機能をマニュアルで設定することができることは言うまでもない。
【０１６５】
次に、本発明の第７の実施の形態について説明する。なお、前記第１〜第６の実施の形態と同じ構成を有するものは、同じ符号を付与することによって、その説明を省略する。また、前記第１〜第６の実施の形態と同じ動作及び同じ効果についても、その説明を省略する。
【０１６６】
図４５は本発明の第７の実施の形態における画像入出力装置の構成を示すブロック図である。
【０１６７】
本実施の形態において、画像入出力装置１０は、図４５に示されるように、原稿１１の表面から読み取ったデータから色彩情報を認識する認識手段としての表面用色彩認識手段３４、原稿１１の表面から認識した色彩情報を格納する第１メモリ１８、原稿１１の表面から読み取ったデータから画像パターン１１ａを認識する表面用画像パターン認識手段３５、原稿１１の表面から認識した画像パターン１１ａの形状を格納する第２メモリ１９、原稿１１の表面から読み込んだ画像データを格納する表面用画像メモリ３６、原稿１１の裏面から読み取ったデータから色彩情報を認識する認識手段としての裏面用色彩認識手段３７、原稿１１の裏面から認識した色彩情報を格納する第３メモリ４０、原稿１１の裏面から読み取ったデータから画像パターン１１ａを認識する裏面用画像パターン認識手段３８、原稿１１の裏面から認識した画像パターン１１ａの形状を格納する第４メモリ４１、及び、原稿１１の裏面から読み込んだ画像データを格納する裏面用画像メモリ３９を有する。なお、その他の点の構成については、前記第６の実施の形態と同様であるので、その説明を省略する。
【０１６８】
次に、本実施の形態における画像入出力装置１０の動作について説明する。
【０１６９】
本実施の形態においては、前手順として、図１７に示されるような出力選択テーブル１６において、形状に対応してあらかじめ電子メール送信機能、ＦＡＸ送信機能、部数指定コピー機能、ファイリング機能、ＰＣの指定ホルダに格納する機能等の各種機能が対応付けられている各種の画像パターン１１ａについて、各色彩に対応する固有情報を登録するようになっている。なお、前記前手順は、前記第３の形態における前手順と同様であるので、説明を省略する。さらに、原稿１１を読み取る場合の動作についても、基本的には前記第４及び第６の実施の形態における画像入出力装置１０の動作とほぼ同様であるので、相違点だけを説明する。
【０１７０】
図４６は本発明の第７の実施の形態における原稿を読み取る場合の動作を示す第１のフローチャート、図４７は本発明の第７の実施の形態における原稿を読み取る場合の動作を示す第２のフローチャート、図４８は本発明の第７の実施の形態における原稿を読み取る場合の動作を示す第３のフローチャート、図４９は本発明の第７の実施の形態における原稿を読み取る場合の動作を示す第４のフローチャート、図５０は本発明の第７の実施の形態における原稿を読み取る場合の動作を示す第５のフローチャート、図５１は本発明の第７の実施の形態における原稿を読み取る場合の動作を示す第６のフローチャートである。
【０１７１】
まず、図示されない原稿検出センサが画像入出力装置１０に原稿１１がセットされたことを検知すると、該原稿１１の両面を同時に読み取ることができる表面用カラーイメージスキャナ部３２及び裏面用カラーイメージスキャナ部３３によって原稿１１の先端部の両面の同時読み取りを開始する。そして、前記表面用カラーイメージスキャナ部３２によって、原稿１１の表面における先端部に有彩色の画像パターン１１ａが付与されているか否か、すなわち、有彩色の有無を検知する。そして、有彩色の画像パターン１１ａが確認された場合、表面用色彩認識手段３４は、色彩認識処理を行い、画像パターン１１ａの色彩情報を第１メモリ１８に格納する。また、原稿１１の表面における先端部に有彩色の画像パターン１１ａが確認されなかった場合、前記裏面用カラーイメージスキャナ部３３によって、原稿１１の裏面における先端部に有彩色の画像パターン１１ａが付与されているか否か、すなわち、有彩色の有無を検知する。そして、有彩色の画像パターン１１ａが確認された場合、裏面用色彩認識手段３７は、色彩認識処理を行い、画像パターン１１ａの色彩情報を第３メモリ４０に格納する。
【０１７２】
このとき、第１メモリ１８、第２メモリ１９、第３メモリ４０及び第４メモリ４１のデータの有無を常時監視しているコンパレータ制御部１７は、出力選択テーブル１６に登録されている色彩データと、色彩認識によって第１メモリ１８及び第３メモリ４０に格納されている色彩情報とを比較する。
【０１７３】
そして、読み取った色彩情報が出力選択テーブル１６に登録されている色彩データとしての赤であるか否かを判断し、赤である場合には電子メール送信準備を開始する。また、赤でない場合には、読み取った色彩情報が出力選択テーブル１６に登録されている色彩データとしての黄であるか否かを判断し、黄である場合にはＦＡＸ送信準備を開始する。また、黄でない場合には、読み取った色彩情報が出力選択テーブル１６に登録されている色彩データとしての緑であるか否かを判断し、緑である場合にはコピー準備を開始する。また、緑でない場合には、読み取った色彩情報が出力選択テーブル１６に登録されている色彩データとしての青であるか否かを判断し、青である場合にはファイリング準備を開始する。また、青でない場合には、読み取った色彩情報が出力選択テーブル１６に登録されている色彩データとしての紫であるか否かを判断し、紫である場合にはＰＣスキャン準備を開始する。
【０１７４】
なお、表面に有彩色の画像パターン１１ａが確認された場合、裏面用カラーイメージスキャナ部３３は、原稿１１の裏面に対して読み取りを継続して行い、この読み取りデータは裏面用画像メモリ３９に格納される。同様に、裏面に有彩色の画像パターン１１ａが確認された場合、表面用カラーイメージスキャナ部３２は、原稿１１の表面に対して読み取りを継続して行い、この読み取りデータは表面用画像メモリ３６に格納される。なお、前提として、図２７に示されるように、原稿１１には画像パターン１１ａと読み取るべき画像データとが互いに反対面に形成されているものとする。
【０１７５】
また、原稿１１の両面における先端部に有彩色の画像パターン１１ａが付与されていない場合、この有彩色の画像パターン１１ａが何らかの理由によって認識することができない場合、又は、出力選択テーブル１６にあらかじめ登録されている色彩データと、認識した色彩情報とが一致しない場合、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【０１７６】
そして、認識した色彩情報が赤であると判断された場合、表面用カラーイメージスキャナ部３２は原稿１１の表面における画像パターン１１ａの有無を検知する。ここで、表面に画像パターン１１ａが認識された場合、表面用画像パターン認識手段３５は画像パターン認識処理を行い、画像パターン１１ａの形状を示す情報を第２メモリ１９に格納する。また、表面に画像パターン１１ａが認識されなかった場合、裏面用カラーイメージスキャナ部３３は原稿１１の裏面における画像パターン１１ａの有無を検知し、裏面に画像パターン１１ａが認識された場合、裏面用画像パターン認識手段３８は画像パターン認識処理を行い、画像パターン１１ａの形状を示す情報を第４メモリ４１に格納する。
【０１７７】
このとき、第１メモリ１８、第２メモリ１９、第３メモリ４０及び第４メモリ４１のデータの有無を常時監視しているコンパレータ制御部１７は、出力選択テーブル１６に登録されている画像パターン１１ａの形状を示す情報と、画像パターン認識によって第２メモリ１９及び第４メモリ４１に格納されている画像パターン情報とを比較する。なお、これ以降、電子メールを送信するための準備が完了した時点で電子メールを送信して動作を終了するまでの動作については、前記第６の実施の形態と同様であるので、説明を省略する。
【０１７８】
また、認識した色彩情報が黄であると判断された場合、表面用カラーイメージスキャナ部３２は原稿１１の表面における画像パターン１１ａの有無を検知する。ここで、表面に画像パターン１１ａが認識された場合、表面用画像パターン認識手段３５は画像パターン認識処理を行い、画像パターン１１ａの形状を示す情報を第２メモリ１９に格納する。また、表面に画像パターン１１ａが認識されなかった場合、裏面用カラーイメージスキャナ部３３は原稿１１の裏面における画像パターン１１ａの有無を検知し、裏面に画像パターン１１ａが認識された場合、裏面用画像パターン認識手段３８は画像パターン認識処理を行い、画像パターン１１ａの形状を示す情報を第４メモリ４１に格納する。
【０１７９】
このとき、第１メモリ１８、第２メモリ１９、第３メモリ４０及び第４メモリ４１のデータの有無を常時監視しているコンパレータ制御部１７は、出力選択テーブル１６に登録されている画像パターン１１ａの形状を示す情報と、画像パターン認識によって第２メモリ１９及び第４メモリ４１に格納されている画像パターン情報とを比較する。なお、これ以降、ＦＡＸを送信するための準備が完了した時点で、画像メモリ１５に格納されたデータを送信し、動作を終了するまでの動作については、前記第３の実施の形態と同様であるので、説明を省略する。
【０１８０】
さらに、認識した色彩情報が緑であると判断された場合、表面用カラーイメージスキャナ部３２は原稿１１の表面における画像パターン１１ａの有無を検知する。ここで、表面に画像パターン１１ａが認識された場合、表面用画像パターン認識手段３５は画像パターン認識処理を行い、画像パターン１１ａの形状を示す情報を第２メモリ１９に格納する。また、表面に画像パターン１１ａが認識されなかった場合、裏面用カラーイメージスキャナ部３３は原稿１１の裏面における画像パターン１１ａの有無を検知し、裏面に画像パターン１１ａが認識された場合、裏面用画像パターン認識手段３８は画像パターン認識処理を行い、画像パターン１１ａの形状を示す情報を第４メモリ４１に格納する。
【０１８１】
このとき、第１メモリ１８、第２メモリ１９、第３メモリ４０及び第４メモリ４１のデータの有無を常時監視しているコンパレータ制御部１７は、出力選択テーブル１６に登録されている画像パターン１１ａの形状を示す情報と、画像パターン認識によって第２メモリ１９及び第４メモリ４１に格納されている画像パターン情報とを比較する。なお、これ以降、コピー動作のための準備が完了した時点で、画像メモリ１５に格納されたデータを指定されたコピー枚数分コピーし、動作を終了するまでの動作については、前記第３の実施の形態と同様であるので、説明を省略する。
【０１８２】
さらに、認識した色彩情報が青であると判断された場合、表面用カラーイメージスキャナ部３２は原稿１１の表面における画像パターン１１ａの有無を検知する。ここで、表面に画像パターン１１ａが認識された場合、表面用画像パターン認識手段３５は画像パターン認識処理を行い、画像パターン１１ａの形状を示す情報を第２メモリ１９に格納する。また、表面に画像パターン１１ａが認識されなかった場合、裏面用カラーイメージスキャナ部３３は原稿１１の裏面における画像パターン１１ａの有無を検知し、裏面に画像パターン１１ａが認識された場合、裏面用画像パターン認識手段３８は画像パターン認識処理を行い、画像パターン１１ａの形状を示す情報を第４メモリ４１に格納する。
【０１８３】
このとき、第１メモリ１８、第２メモリ１９、第３メモリ４０及び第４メモリ４１のデータの有無を常時監視しているコンパレータ制御部１７は、出力選択テーブル１６に登録されている画像パターン１１ａの形状を示す情報と、画像パターン認識によって第２メモリ１９及び第４メモリ４１に格納されている画像パターン情報とを比較する。なお、これ以降、ファイリング送信のためのデータの転送準備が完了した時点で指定サーバにデータを送信し、動作を終了するまでの動作については、前記第３の実施の形態と同様であるので、説明を省略する。
【０１８４】
さらに、認識した色彩情報が紫であると判断された場合、表面用カラーイメージスキャナ部３２は原稿１１の表面における画像パターン１１ａの有無を検知する。ここで、表面に画像パターン１１ａが認識された場合、表面用画像パターン認識手段３５は画像パターン認識処理を行い、画像パターン１１ａの形状を示す情報を第２メモリ１９に格納する。また、表面に画像パターン１１ａが認識されなかった場合、裏面用カラーイメージスキャナ部３３は原稿１１の裏面における画像パターン１１ａの有無を検知し、裏面に画像パターン１１ａが認識された場合、裏面用画像パターン認識手段３８は画像パターン認識処理を行い、画像パターン１１ａの形状を示す情報を第４メモリ４１に格納する。
【０１８５】
このとき、第１メモリ１８、第２メモリ１９、第３メモリ４０及び第４メモリ４１のデータの有無を常時監視しているコンパレータ制御部１７は、出力選択テーブル１６に登録されている画像パターン１１ａの形状を示す情報と、画像パターン認識によって第２メモリ１９及び第４メモリ４１に格納されている画像パターン情報とを比較する。なお、これ以降、画像メモリ１５に格納されたデータを転送するデータ送信のための準備が完了した時点でこれを送信し、動作を終了するまでの動作については、前記第３の実施の形態と同様であるので、説明を省略する。
【０１８６】
次に、フローチャートについて説明する。
ステップＳ６７１  原稿１１がセットされるのを待機する。原稿１１がセットされた場合はステップＳ６７２に進む。
ステップＳ６７２  原稿１１の先端部の読み取りを開始する。
ステップＳ６７３  原稿１１の表面に有彩色があるか否かを判断する。原稿１１の表面に有彩色がある場合はステップＳ６７４に進み、原稿１１の表面に有彩色がない場合はステップＳ６７６に進む。
ステップＳ６７４  色彩認識処理を行う。
ステップＳ６７５  色彩情報を第１メモリ１８に格納する。
ステップＳ６７６  原稿１１の裏面に有彩色があるか否かを判断する。原稿１１の裏面に有彩色がある場合はステップＳ６７７に進み、原稿１１の裏面に有彩色がない場合はステップＳ７８９に進む。
ステップＳ６７７  色彩認識処理を行う。
ステップＳ６７８  色彩情報を第３メモリ４０に格納する。
ステップＳ６７９  色彩情報が赤であるか否かを判断する。色彩情報が赤である場合はステップＳ６８０に進み、色彩情報が赤でない場合はステップＳ７０１に進む。
ステップＳ６８０  電子メール送信準備を開始する。
ステップＳ６８１  原稿１１の表面に画像パターン１１ａがあるか否かを判断する。原稿１１の表面に画像パターン１１ａがある場合はステップＳ６８２に進み、原稿１１の表面に画像パターン１１ａがない場合はステップＳ６８４に進む。
ステップＳ６８２  画像パターン認識処理を行う。
ステップＳ６８３  画像パターン情報を第２メモリ１９に格納する。
ステップＳ６８４  原稿１１の裏面に画像パターン１１ａがあるか否かを判断する。原稿１１の裏面に画像パターン１１ａがある場合はステップＳ６８５に進み、原稿１１の裏面に画像パターン１１ａがない場合はステップＳ６９７に進む。
ステップＳ６８５  画像パターン認識処理を行う。
ステップＳ６８６  画像パターン情報を第４メモリ４１に格納する。
ステップＳ６８７  画像パターン情報が■であるか否かを判断する。画像パターン情報が■である場合はステップＳ６８８に進み、画像パターン情報が■でない場合はステップＳ６８９に進む。
ステップＳ６８８  画像パターン１１ａ：■に登録されている電子メールアドレスをセットする。
ステップＳ６８９  画像パターン情報が★であるか否かを判断する。画像パターン情報が★である場合はステップＳ６９０に進み、画像パターン情報が★でない場合はステップＳ６９１に進む。
ステップＳ６９０  画像パターン１１ａ：★に登録されている電子メールアドレスをセットする。
ステップＳ６９１  画像パターン情報が▲であるか否かを判断する。画像パターン情報が▲である場合はステップＳ６９２に進み、画像パターン情報が▲でない場合はステップＳ６９３に進む。
ステップＳ６９２  画像パターン１１ａ：▲に登録されている電子メールアドレスをセットする。
ステップＳ６９３  画像パターン情報が◆であるか否かを判断する。画像パターン情報が◆である場合はステップＳ６９４に進み、画像パターン情報が◆でない場合はステップＳ６９５に進む。
ステップＳ６９４  画像パターン１１ａ：◆に登録されている電子メールアドレスをセットする。
ステップＳ６９５  画像パターン情報が▼であるか否かを判断する。画像パターン情報が▼である場合はステップＳ６９６に進み、画像パターン情報が▼でない場合はステップＳ６９７に進む。
ステップＳ６９６  画像パターン１１ａ：▼に登録されている電子メールアドレスをセットする。
ステップＳ６９７  オペレータによる新たな電子メールアドレスの入力を待機する。電子メールアドレスが入力された場合はステップＳ６９８に進む。
ステップＳ６９８  電子メールアドレスをセットする。
ステップＳ６９９  画処理データを電子メールに添付する。
ステップＳ７００  電子メールを送信し、処理を終了する。
ステップＳ７０１  色彩情報が黄であるか否かを判断する。色彩情報が黄である場合はステップＳ７０２に進み、色彩情報が黄でない場合はステップＳ７２３に進む。
ステップＳ７０２  ＦＡＸ送信準備を開始する。
ステップＳ７０３  原稿１１の表面に画像パターン１１ａがあるか否かを判断する。原稿１１の表面に画像パターン１１ａがある場合はステップＳ７０４に進み、原稿１１の表面に画像パターン１１ａがない場合はステップＳ７０６に進む。
ステップＳ７０４  画像パターン認識処理を行う。
ステップＳ７０５  画像パターン情報を第２メモリ１９に格納する。
ステップＳ７０６  原稿１１の裏面に画像パターン１１ａがあるか否かを判断する。原稿１１の裏面に画像パターン１１ａがある場合はステップＳ７０７に進み、原稿１１の裏面に画像パターン１１ａがない場合はステップＳ７１９に進む。
ステップＳ７０７  画像パターン認識処理を行う。
ステップＳ７０８  画像パターン情報を第４メモリ４１に格納する。
ステップＳ７０９  画像パターン情報が■であるか否かを判断する。画像パターン情報が■である場合はステップＳ７１０に進み、画像パターン情報が■でない場合はステップＳ７１１に進む。
ステップＳ７１０  画像パターン１１ａ：■に登録されているＦＡＸ番号をセットする。
ステップＳ７１１  画像パターン情報が★であるか否かを判断する。画像パターン情報が★である場合はステップＳ７１２に進み、画像パターン情報が★でない場合はステップＳ７１３に進む。
ステップＳ７１２  画像パターン１１ａ：★に登録されているＦＡＸ番号をセットする。
ステップＳ７１３  画像パターン情報が▲であるか否かを判断する。画像パターン情報が▲である場合はステップＳ７１４に進み、画像パターン情報が▲でない場合はステップＳ７１５に進む。
ステップＳ７１４  画像パターン１１ａ：▲に登録されているＦＡＸ番号をセットする。
ステップＳ７１５  画像パターン情報が◆であるか否かを判断する。画像パターン情報が◆である場合はステップＳ７１６に進み、画像パターン情報が◆でない場合はステップＳ７１７に進む。
ステップＳ７１６  画像パターン１１ａ：◆に登録されているＦＡＸ番号をセットする。
ステップＳ７１７  画像パターン情報が▼であるか否かを判断する。画像パターン情報が▼である場合はステップＳ７１８に進み、画像パターン情報が▼でない場合はステップＳ７１９に進む。
ステップＳ７１８  画像パターン１１ａ：▼に登録されているＦＡＸ番号をセットする。
ステップＳ７１９  オペレータによる新たなＦＡＸ番号の入力を待機する。ＦＡＸ番号が入力された場合はステップＳ７２０に進む。
ステップＳ７２０  ＦＡＸ番号をセットする。
ステップＳ７２１  電話を接続する。
ステップＳ７２２  ＦＡＸデータを送信し、処理を終了する。
ステップＳ７２３  色彩情報が緑であるか否かを判断する。色彩情報が緑である場合はステップＳ７２４に進み、色彩情報が緑でない場合はステップＳ７４５に進む。
ステップＳ７２４  コピー準備を開始する。
ステップＳ７２５  原稿１１の表面に画像パターン１１ａがあるか否かを判断する。原稿１１の表面に画像パターン１１ａがある場合はステップＳ７２６に進み、原稿１１の表面に画像パターン１１ａがない場合はステップＳ７２８に進む。
ステップＳ７２６  画像パターン認識処理を行う。
ステップＳ７２７  画像パターン情報を第２メモリ１９に格納する。
ステップＳ７２８  原稿１１の裏面に画像パターン１１ａがあるか否かを判断する。原稿１１の裏面に画像パターン１１ａがある場合はステップＳ７２９に進み、原稿１１の裏面に画像パターン１１ａがない場合はステップＳ７４１に進む。
ステップＳ７２９  画像パターン認識処理を行う。
ステップＳ７３０  画像パターン情報を第４メモリ４１に格納する。
ステップＳ７３１  画像パターン情報が■であるか否かを判断する。画像パターン情報が■である場合はステップＳ７３２に進み、画像パターン情報が■でない場合はステップＳ７３３に進む。
ステップＳ７３２  画像パターン１１ａ：■に登録されているコピー枚数をセットする。
ステップＳ７３３  画像パターン情報が★であるか否かを判断する。画像パターン情報が★である場合はステップＳ７３４に進み、画像パターン情報が★でない場合はステップＳ７３５に進む。
ステップＳ７３４  画像パターン１１ａ：★に登録されているコピー枚数をセットする。
ステップＳ７３５  画像パターン情報が▲であるか否かを判断する。画像パターン情報が▲である場合はステップＳ７３６に進み、画像パターン情報が▲でない場合はステップＳ７３７に進む。
ステップＳ７３６  画像パターン１１ａ：▲に登録されているコピー枚数をセットする。
ステップＳ７３７  画像パターン情報が◆であるか否かを判断する。画像パターン情報が◆である場合はステップＳ７３８に進み、画像パターン情報が◆でない場合はステップＳ７３９に進む。
ステップＳ７３８  画像パターン１１ａ：◆に登録されているコピー枚数をセットする。
ステップＳ７３９  画像パターン情報が▼であるか否かを判断する。画像パターン情報が▼である場合はステップＳ７４０に進み、画像パターン情報が▼でない場合はステップＳ７４１に進む。
ステップＳ７４０  画像パターン１１ａ：▼に登録されているコピー枚数をセットする。
ステップＳ７４１  オペレータによるコピー操作の要求を待機する。コピー操作が要求された場合はステップＳ７４２に進む。
ステップＳ７４２  コピー枚数をセットする。
ステップＳ７４３  コピー動作のための準備を行う。
ステップＳ７４４  指定枚数のコピーを行い、処理を終了する。
ステップＳ７４５  色彩情報が青であるか否かを判断する。色彩情報が青である場合はステップＳ７４６に進み、色彩情報が青でない場合はステップＳ７６７に進む。
ステップＳ７４６  ファイリング準備を開始する。
ステップＳ７４７  原稿１１の表面に画像パターン１１ａがあるか否かを判断する。原稿１１の表面に画像パターン１１ａがある場合はステップＳ７４８に進み、原稿１１の表面に画像パターン１１ａがない場合はステップＳ７５０に進む。
ステップＳ７４８  画像パターン認識処理を行う。
ステップＳ７４９  画像パターン情報を第２メモリ１９に格納する。
ステップＳ７５０  原稿１１の裏面に画像パターン１１ａがあるか否かを判断する。原稿１１の裏面に画像パターン１１ａがある場合はステップＳ７５１に進み、原稿１１の裏面に画像パターン１１ａがない場合はステップＳ７６３に進む。
ステップＳ７５１  画像パターン認識処理を行う。
ステップＳ７５２  画像パターン情報を第４メモリ４１に格納する。
ステップＳ７５３  画像パターン情報が■であるか否かを判断する。画像パターン情報が■である場合はステップＳ７５４に進み、画像パターン情報が■でない場合はステップＳ７５５に進む。
ステップＳ７５４  画像パターン１１ａ：■に登録されているサーバアドレスをセットする。
ステップＳ７５５  画像パターン情報が★であるか否かを判断する。画像パターン情報が★である場合はステップＳ７５６に進み、画像パターン情報が★でない場合はステップＳ７５７に進む。
ステップＳ７５６  画像パターン１１ａ：★に登録されているサーバアドレスをセットする。
ステップＳ７５７  画像パターン情報が▲であるか否かを判断する。画像パターン情報が▲である場合はステップＳ７５８に進み、画像パターン情報が▲でない場合はステップＳ７５９に進む。
ステップＳ７５８  画像パターン１１ａ：▲に登録されているサーバアドレスをセットする。
ステップＳ７５９  画像パターン情報が◆であるか否かを判断する。画像パターン情報が◆である場合はステップＳ７６０に進み、画像パターン情報が◆でない場合はステップＳ７６１に進む。
ステップＳ７６０  画像パターン１１ａ：◆に登録されているサーバアドレスをセットする。
ステップＳ７６１  画像パターン情報が▼であるか否かを判断する。画像パターン情報が▼である場合はステップＳ７６２に進み、画像パターン情報が▼でない場合はステップＳ７６３に進む。
ステップＳ７６２  画像パターン１１ａ：▼に登録されているサーバアドレスをセットする。
ステップＳ７６３  オペレータによる新たなサーバアドレスの入力を待機する。サーバアドレスが入力された場合はステップＳ７６４に進む。
ステップＳ７６４  サーバアドレスをセットする。
ステップＳ７６５  データ転送のための準備を行う。
ステップＳ７６６  指定サーバへのデータ送信を行い、処理を終了する。
ステップＳ７６７  色彩情報が紫であるか否かを判断する。色彩情報が紫である場合はステップＳ７６８に進み、色彩情報が紫でない場合はステップＳ７８９に進む。
ステップＳ７６８  ＰＣスキャン準備を開始する。
ステップＳ７６９  原稿１１の表面に画像パターン１１ａがあるか否かを判断する。原稿１１の表面に画像パターン１１ａがある場合はステップＳ７７０に進み、原稿１１の表面に画像パターン１１ａがない場合はステップＳ７７２に進む。
ステップＳ７７０  画像パターン認識処理を行う。
ステップＳ７７１  画像パターン情報を第２メモリ１９に格納する。
ステップＳ７７２  原稿１１の裏面に画像パターン１１ａがあるか否かを判断する。原稿１１の裏面に画像パターン１１ａがある場合はステップＳ７７３に進み、原稿１１の裏面に画像パターン１１ａがない場合はステップＳ７８５に進む。
ステップＳ７７３  画像パターン認識処理を行う。
ステップＳ７７４  画像パターン情報を第４メモリ４１に格納する。
ステップＳ７７５  画像パターン情報が■であるか否かを判断する。画像パターン情報が■である場合はステップＳ７７６に進み、画像パターン情報が■でない場合はステップＳ７７７に進む。
ステップＳ７７６  画像パターン１１ａ：■に登録されているＰＣのホルダをセットする。
ステップＳ７７７  画像パターン情報が★であるか否かを判断する。画像パターン情報が★である場合はステップＳ７７８に進み、画像パターン情報が★でない場合はステップＳ７７９に進む。
ステップＳ７７８  画像パターン１１ａ：★に登録されているＰＣのホルダをセットする。
ステップＳ７７９  画像パターン情報が▲であるか否かを判断する。画像パターン情報が▲である場合はステップＳ７８０に進み、画像パターン情報が▲でない場合はステップＳ７８１に進む。
ステップＳ７８０  画像パターン１１ａ：▲に登録されているＰＣのホルダをセットする。
ステップＳ７８１  画像パターン情報が◆であるか否かを判断する。画像パターン情報が◆である場合はステップＳ７８２に進み、画像パターン情報が◆でない場合はステップＳ７８３に進む。
ステップＳ７８２  画像パターン１１ａ：◆に登録されているＰＣのホルダをセットする。
ステップＳ７８３  画像パターン情報が▼であるか否かを判断する。画像パターン情報が▼である場合はステップＳ７８４に進み、画像パターン情報が▼でない場合はステップＳ７８５に進む。
ステップＳ７８４  画像パターン１１ａ：▼に登録されているＰＣのホルダをセットする。
ステップＳ７８５  オペレータによる新たなＰＣのホルダの入力を待機する。ＰＣのホルダが入力された場合はステップＳ７８６に進む。
ステップＳ７８６  ＰＣのホルダをセットする。
ステップＳ７８７  データ転送のための準備を行う。
ステップＳ７８８  指定ホルダへのデータ送信を行い、処理を終了する。
ステップＳ７８９  カラーＭＦＰ機能の選択を要求し、処理を終了する。
【０１８７】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１の表面を読み取る表面用カラーイメージスキャナ部３２と、原稿１１の裏面の先端部から有彩色の画像パターンを読み取る裏面用カラーイメージスキャナ部３３と、原稿１１の表面から読み取ったデータから色彩情報を認識する表面用色彩認識手段３４と、原稿１１の表面から認識した色彩情報を格納する第１メモリ１８と、原稿１１の表面から読み取ったデータから画像パターン１１ａを認識する表面用画像パターン認識手段３５と、原稿１１の表面から認識した画像パターン１１ａの形状を格納する第２メモリ１９と、原稿１１の表面から読み込んだ画像データを格納する表面用画像メモリ３６と、原稿１１の裏面から読み取ったデータから色彩情報を認識する裏面用色彩認識手段３７と、原稿１１の裏面から認識した色彩情報を格納する第３メモリ４０と、原稿１１の裏面から読み取ったデータから画像パターン１１ａを認識する裏面用画像パターン認識手段３８と、原稿１１の裏面から認識した画像パターン１１ａの形状を格納する第４メモリ４１と、原稿１１の裏面から読み込んだ画像データを格納する裏面用画像メモリ３９と、画像を記録紙に記録するプリンタ部２２と、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５と、ローカルやＬＡＮ等で接続されたＰＣに対してスキャンしたデータを転送するＰＣスキャン制御部２６とを有する。そのため、オペレータは原稿１１の表裏いずれかの所定領域（例えば、先端部）に有彩色の画像パターン１１ａを付与しておくことによって、煩わしい操作認識を行うことなく、電子メール送信、ＦＡＸ送信、部数指定コピー、ファイリング送信、ＰＣスキャン等を行わせることができる。また、原稿１１をセットする際に、表面であるか裏面であるかを意識することなくセットしても、読み取るべき面を自動的に判断して読み取りを実行させることができる。
【０１８８】
また、画像パターン１１ａの形状を認識することができない場合は、画像入出力装置１０が初期状態に戻ることなく、オペレータからの新たな入力指示を待機し、さらに、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、ファイリング送信、ＰＣスキャン送信の機能を行うことができる。
【０１８９】
さらに、有彩色の画像パターン１１ａが付与された原稿１１は、第三者からどのような機能を有しているのか判別することができないので、相手先の電子メールアドレスやＦＡＸ番号の情報漏洩を防止することとなり、情報の保守性を高めることができる。
【０１９０】
なお、本実施の形態においては、原稿１１の両面における先端部に所定の形状及び色彩の画像パターン１１ａを付与するようになっているが、画像パターン１１ａの位置は先端部に限定されるものではなく、原稿１１の両面における任意の位置に付与することができる。
【０１９１】
また、前記画像パターン１１ａの色彩は、赤、黄、緑、青、紫の五色としたが、色彩の数はこれに限定されるものではない。色彩の数はスキャナの色彩情報に対する読み取り能力に依存するものであり、表面用カラーイメージスキャナ部３２又は裏面用カラーイメージスキャナ部３３の読み取り能力を超えない範囲で色彩の数を決定することができる。
【０１９２】
さらに、本実施の形態においては、電子メール送信機能、ＦＡＸ送信機能、部数指定コピー機能、ファイリング送信機能、ＰＣスキャン機能を自動的に起動させたが、これに限定されるものではなく、オペレータがこれらの電子メール送信機能、ＦＡＸ送信機能、部数指定コピー機能、ファイリング送信機能、ＰＣスキャン機能をマニュアルで設定することができることは言うまでもない。
【０１９３】
次に、本発明の第８の実施の形態について説明する。なお、第１〜第７の実施の形態と同じ構成を有するものは、同じ符号を付与することによって、その説明を省略する。また、前記第１〜第７の実施の形態と同じ動作及び同じ効果についても、その説明を省略する。
【０１９４】
図５２は本発明の第８の実施の形態における画像入出力装置の構成を示すブロック図である。
【０１９５】
本実施の形態において、画像入出力装置１０は、図５２に示されるように、前記第７の実施の形態における表面用色彩認識手段３４と裏面用色彩認識手段３７とを統合した色彩認識手段１３、表面用画像パターン認識手段３５と裏面用画像パターン認識手段３８とを統合した画像パターン認識手段１４、及び、内部にビットエリアを有する読み取り面決定手段４２を有する。なお、該読み取り面決定手段４２は表面用カラーイメージスキャナ部３２と裏面用カラーイメージスキャナ部３３との中間に配置されている。
【０１９６】
前記読み取り面決定手段４２は、有彩色の画像パターンが表面に確認されたときはビットを０とする。この場合、画像読み取り面は裏面である。また、前記読み取り面決定手段４２は、有彩色の画像パターン１１ａが裏面に確認されたときはビットを１とする。この場合、画像読み取り面は表面である。
【０１９７】
なお、前記第７の実施の形態と同様に、前提として、図２７に示されるように、読み取るべき原稿１１は、画像パターン１１ａと読み取り画像とが互いに反対の面に形成されているものとする。そして、前記第７の実施の形態と異なる点は、画像パターン１１ａがいずれの面にあるのかを判断した上で読み取り面を決定する点である。
【０１９８】
次に、本実施の形態における画像入出力装置１０の動作について説明する。
【０１９９】
本実施の形態においては、前手順として、図１７に示されるような出力選択テーブル１６において、形状に対応してあらかじめ電子メール送信機能、ＦＡＸ送信機能、部数指定コピー機能、ファイリング機能、ＰＣの指定ホルダに格納する機能等の各種機能が対応付けられている各種の画像パターン１１ａについて、各色彩に対応する固有情報を登録するようになっている。なお、前記前手順は、前記第３の形態における前手順と同様であるので、説明を省略する。さらに、原稿１１を読み取る場合の動作についても、基本的には前記第４及び第６の実施の形態における画像入出力装置１０の動作とほぼ同様であるので、相違点だけを説明する。
【０２００】
図５３は本発明の第８の実施の形態における原稿を読み取る場合の動作を示す第１のフローチャート、図５４は本発明の第８の実施の形態における原稿を読み取る場合の動作を示す第２のフローチャート、図５５は本発明の第８の実施の形態における原稿を読み取る場合の動作を示す第３のフローチャート、図５６は本発明の第８の実施の形態における原稿を読み取る場合の動作を示す第４のフローチャート、図５７は本発明の第８の実施の形態における原稿を読み取る場合の動作を示す第５のフローチャート、図５８は本発明の第８の実施の形態における原稿を読み取る場合の動作を示す第６のフローチャートである。
【０２０１】
まず、図示されない原稿検出センサが画像入出力装置１０に原稿１１がセットされたことを検知すると、該原稿１１の両面を同時に読み取ることができる表面用カラーイメージスキャナ部３２及び裏面用カラーイメージスキャナ部３３によって原稿１１の先端部の両面の同時読み取りを開始する。そして、前記表面用カラーイメージスキャナ部３２によって、原稿１１の表面における先端部に有彩色の画像パターン１１ａが付与されているか否か、すなわち、有彩色の有無を検知する。そして、表面に有彩色の画像パターン１１ａが確認された場合、読み取り面決定手段４２はあらかじめ内部に準備されている優先ビットを０とし、色彩認識手段１３は表面の色彩認識処理を行い、画像パターン１１ａの色彩情報を第１メモリ１８に格納する。また、原稿１１の表面における先端部に有彩色の画像パターン１１ａが確認されなかった場合、前記裏面用カラーイメージスキャナ部３３によって、原稿１１の裏面における先端部に有彩色の画像パターン１１ａが付与されているか否か、すなわち、有彩色の有無を検知する。そして、有彩色の画像パターン１１ａが確認された場合、読み取り面決定手段４２はあらかじめ内部に準備されている優先ビットを１とし、色彩認識手段１３は裏面の色彩認識処理を行い、画像パターン１１ａの色彩情報を第１メモリ１８に格納する。
【０２０２】
このとき、第１メモリ１８及び第２メモリ１９のデータの有無を常時監視しているコンパレータ制御部１７は、出力選択テーブル１６に登録されている色彩データと、色彩認識によって第１メモリ１８に格納されている色彩情報とを比較する。
【０２０３】
そして、読み取った色彩情報が出力選択テーブル１６に登録されている色彩データとしての赤であるか否かを判断し、赤である場合には電子メール送信準備を開始する。また、赤でない場合には、読み取った色彩情報が出力選択テーブル１６に登録されている色彩データとしての黄であるか否かを判断し、黄である場合にはＦＡＸ送信準備を開始する。また、黄でない場合には、読み取った色彩情報が出力選択テーブル１６に登録されている色彩データとしての緑であるか否かを判断し、緑である場合にはコピー準備を開始する。また、緑でない場合には、読み取った色彩情報が出力選択テーブル１６に登録されている色彩データとしての青であるか否かを判断し、青である場合にはファイリング準備を開始する。また、青でない場合には、読み取った色彩情報が出力選択テーブル１６に登録されている色彩データとしての紫であるか否かを判断し、紫である場合にはＰＣスキャン準備を開始する。
【０２０４】
なお、優先ビットが０である場合、裏面用カラーイメージスキャナ部３３は、原稿１１の裏面に対して読み取りを継続して行い、この読み取りデータは裏面用画像メモリ３９に格納される。同様に、優先ビットが１である場合、表面用カラーイメージスキャナ部３２は、原稿１１の表面に対して読み取りを継続して行い、この読み取りデータは表面用画像メモリ３６に格納される。
【０２０５】
また、原稿１１の両面の先端部のいずれにも有彩色の画像パターン１１ａが付与されていない場合、有彩色の画像パターン１１ａが何らかの理由によって認識することができない場合、又は、出力選択テーブル１６にあらかじめ登録されている色彩データと、認識した色彩情報とが一致しない場合、画像入出力装置１０はオペレータに対してカラーＭＦＰ機能、すなわち、電子メール送信機能、ＦＡＸ送信機能、部数指定コピー機能及びファイリング送信機能のいずれかの機能を選択することを要求する。
【０２０６】
そして、認識した色彩情報が赤であると判断された場合、優先ビットを確認し、優先ビットが０であるときは、画像パターン認識手段１４は表面の画像パターン認識処理を行い、画像パターン１１ａの形状を示す情報を第２メモリ１９に格納する。一方、優先ビットが１である場合、画像パターン認識手段１４は裏面の画像パターン認識処理を行い、画像パターン１１ａの形状を示す情報を第２メモリ１９に格納する。
【０２０７】
このとき、第１メモリ１８及び第２メモリ１９のデータの有無を常時監視しているコンパレータ制御部１７は、出力選択テーブル１６に登録されている画像データと、画像パターン認識によって第２メモリ１９に格納されている画像パターン情報とを比較する。なお、これ以降、電子メールを送信するための準備が完了した時点で電子メールを送信して動作を終了するまでの動作については、前記第３の実施の形態と同様であるので、説明を省略する。
【０２０８】
また、認識した色彩情報が黄であると判断された場合、優先ビットを確認し、優先ビットが０であるときは、画像パターン認識手段１４は表面の画像パターン認識処理を行い、画像パターン１１ａの形状を示す情報を第２メモリ１９に格納する。一方、優先ビットが１である場合、画像パターン認識手段１４は裏面の画像パターン認識処理を行い、画像パターン１１ａの形状を示す情報を第２メモリ１９に格納する。
【０２０９】
このとき、第１メモリ１８及び第２メモリ１９のデータの有無を常時監視しているコンパレータ制御部１７は、出力選択テーブル１６に登録されている画像データと、画像パターン認識によって第２メモリ１９に格納されている画像パターン情報とを比較する。なお、これ以降、ＦＡＸを送信するための準備が完了した時点で、画像メモリ１５に格納されたデータを送信し、動作を終了するまでの動作については、前記第３の実施の形態と同様であるので、説明を省略する。
【０２１０】
さらに、認識した色彩情報が緑であると判断された場合、優先ビットを確認し、優先ビットが０であるときは、画像パターン認識手段１４は表面の画像パターン認識処理を行い、画像パターン１１ａの形状を示す情報を第２メモリ１９に格納する。一方、優先ビットが１である場合、画像パターン認識手段１４は裏面の画像パターン認識処理を行い、画像パターン１１ａの形状を示す情報を第２メモリ１９に格納する。
【０２１１】
このとき、第１メモリ１８及び第２メモリ１９のデータの有無を常時監視しているコンパレータ制御部１７は、出力選択テーブル１６に登録されている画像データと、画像パターン認識によって第２メモリ１９に格納されている画像パターン情報とを比較する。なお、これ以降、コピー動作のための準備が完了した時点で、画像メモリ１５に格納されたデータを指定されたコピー枚数分コピーし、動作を終了するまでの動作については、前記第３の実施の形態と同様であるので、説明を省略する。
【０２１２】
さらに、認識した色彩情報が青であると判断された場合、優先ビットを確認し、優先ビットが０であるときは、画像パターン認識手段１４は表面の画像パターン認識処理を行い、画像パターン１１ａの形状を示す情報を第２メモリ１９に格納する。一方、優先ビットが１である場合、画像パターン認識手段１４は裏面の画像パターン認識処理を行い、画像パターン１１ａの形状を示す情報を第２メモリ１９に格納する。
【０２１３】
このとき、第１メモリ１８及び第２メモリ１９のデータの有無を常時監視しているコンパレータ制御部１７は、出力選択テーブル１６に登録されている画像データと、画像パターン認識によって第２メモリ１９に格納されている画像パターン情報とを比較する。これ以降、ファイリング送信のためのデータの転送準備が完了した時点で指定サーバにデータを送信し、動作を終了するまでの動作については、前記第３の実施の形態と同様であるので、説明を省略する。
【０２１４】
さらに、認識した色彩情報が紫であると判断された場合、優先ビットを確認し、優先ビットが０であるときは、画像パターン認識手段１４は表面の画像パターン認識処理を行い、画像パターン１１ａの形状を示す情報を第２メモリ１９に格納する。一方、優先ビットが１である場合、画像パターン認識手段１４は裏面の画像パターン認識処理を行い、画像パターン１１ａの形状を示す情報を第２メモリ１９に格納する。
【０２１５】
このとき、第１メモリ１８及び第２メモリ１９のデータの有無を常時監視しているコンパレータ制御部１７は、出力選択テーブル１６に登録されている画像データと、画像パターン認識によって第２メモリ１９に格納されている画像パターン情報とを比較する。なお、これ以降、画像メモリ１５に格納されたデータを転送するデータ送信のための準備が完了した時点でこれを送信し、動作を終了するまでの動作については、前記第３の実施の形態と同様であるので、説明を省略する。
【０２１６】
次に、フローチャートについて説明する。
ステップＳ７９１  原稿１１がセットされるのを待機する。原稿１１がセットされた場合はステップＳ７９２に進む。
ステップＳ７９２  原稿１１の先端部の読み取りを開始する。
ステップＳ７９３  原稿１１の表面に有彩色があるか否かを判断する。原稿１１の表面に有彩色がある場合はステップＳ７９４に進み、原稿１１の表面に有彩色がない場合はステップＳ７９６に進む。
ステップＳ７９４  優先ビットに０をセットする。
ステップＳ７９５  表面の色彩認識処理を行う。
ステップＳ７９６  原稿１１の裏面に有彩色があるか否かを判断する。原稿１１の裏面に有彩色がある場合はステップＳ７９７に進み、原稿１１の裏面に有彩色がない場合はステップＳ９０５に進む。
ステップＳ７９７  優先ビットに１をセットする。
ステップＳ７９８  裏面の色彩認識処理を行う。
ステップＳ７９９  色彩情報を第１メモリ１８に格納する。
ステップＳ８００  色彩情報が赤であるか否かを判断する。色彩情報が赤である場合はステップＳ８０１に進み、色彩情報が赤でない場合はステップＳ８２１に進む。
ステップＳ８０１  電子メール送信準備を開始する。
ステップＳ８０２  優先ビットが０であるか否かを判断する。優先ビットが０である場合はステップＳ８０３に進み、優先ビットが０でない場合はステップＳ８０４に進む。
ステップＳ８０３  表面の画像パターン認識処理を行うとともに、原稿１１の裏面全体を読み取って裏面用画像メモリ３９への格納を開始する。
ステップＳ８０４  優先ビットが１であるか否かを判断する。優先ビットが１である場合はステップＳ８０５に進み、優先ビットが１でない場合はステップＳ８１７に進む。
ステップＳ８０５  裏面の画像パターン認識処理を行うとともに、原稿１１の表面全体を読み取って表面用画像メモリ３６への格納を開始する。
ステップＳ８０６  画像パターン情報を第２メモリ１９に格納する。
ステップＳ８０７  画像パターン情報が■であるか否かを判断する。画像パターン情報が■である場合はステップＳ８０８に進み、画像パターン情報が■でない場合はステップＳ８０９に進む。
ステップＳ８０８  画像パターン１１ａ：■に登録されている電子メールアドレスをセットする。
ステップＳ８０９  画像パターン情報が★であるか否かを判断する。画像パターン情報が★である場合はステップＳ８１０に進み、画像パターン情報が★でない場合はステップＳ８１１に進む。
ステップＳ８１０  画像パターン１１ａ：★に登録されている電子メールアドレスをセットする。
ステップＳ８１１  画像パターン情報が▲であるか否かを判断する。画像パターン情報が▲である場合はステップＳ８１２に進み、画像パターン情報が▲でない場合はステップＳ８１３に進む。
ステップＳ８１２  画像パターン１１ａ：▲に登録されている電子メールアドレスをセットする。
ステップＳ８１３  画像パターン情報が◆であるか否かを判断する。画像パターン情報が◆である場合はステップＳ８１４に進み、画像パターン情報が◆でない場合はステップＳ８１５に進む。
ステップＳ８１４  画像パターン１１ａ：◆に登録されている電子メールアドレスをセットする。
ステップＳ８１５  画像パターン情報が▼であるか否かを判断する。画像パターン情報が▼である場合はステップＳ８１６に進み、画像パターン情報が▼でない場合はステップＳ８１７に進む。
ステップＳ８１６  画像パターン１１ａ：▼に登録されている電子メールアドレスをセットする。
ステップＳ８１７  オペレータによる新たな電子メールアドレスの入力を待機する。電子メールアドレスが入力された場合はステップＳ８１８に進む。
ステップＳ８１８  電子メールアドレスをセットする。
ステップＳ８１９  画処理データを電子メールに添付する。
ステップＳ８２０  電子メールを送信し、処理を終了する。
ステップＳ８２１  色彩情報が黄であるか否かを判断する。色彩情報が黄である場合はステップＳ８２２に進み、色彩情報が黄でない場合はステップＳ８４２に進む。
ステップＳ８２２  ＦＡＸ送信準備を開始する。
ステップＳ８２３  優先ビットが０であるか否かを判断する。優先ビットが０である場合はステップＳ８２４に進み、優先ビットが０でない場合はステップＳ８２５に進む。
ステップＳ８２４  表面の画像パターン認識処理を行うとともに、原稿１１の裏面全体を読み取って裏面用画像メモリ３９への格納を開始する。
ステップＳ８２５  優先ビットが１であるか否かを判断する。優先ビットが１である場合はステップＳ８２６に進み、優先ビットが１でない場合はステップＳ８３８に進む。
ステップＳ８２６  裏面の画像パターン認識処理を行うとともに、原稿１１の表面全体を読み取って表面用画像メモリ３６への格納を開始する。
ステップＳ８２７  画像パターン情報を第２メモリ１９に格納する。
ステップＳ８２８  画像パターン情報が■であるか否かを判断する。画像パターン情報が■である場合はステップＳ８２９に進み、画像パターン情報が■でない場合はステップＳ８３０に進む。
ステップＳ８２９  画像パターン１１ａ：■に登録されているＦＡＸ番号をセットする。
ステップＳ８３０  画像パターン情報が★であるか否かを判断する。画像パターン情報が★である場合はステップＳ８３１に進み、画像パターン情報が★でない場合はステップＳ８３２に進む。
ステップＳ８３１  画像パターン１１ａ：★に登録されているＦＡＸ番号をセットする。
ステップＳ８３２  画像パターン情報が▲であるか否かを判断する。画像パターン情報が▲である場合はステップＳ８３３に進み、画像パターン情報が▲でない場合はステップＳ８３４に進む。
ステップＳ８３３  画像パターン１１ａ：▲に登録されているＦＡＸ番号をセットする。
ステップＳ８３４  画像パターン情報が◆であるか否かを判断する。画像パターン情報が◆である場合はステップＳ８３５に進み、画像パターン情報が◆でない場合はステップＳ８３６に進む。
ステップＳ８３５  画像パターン１１ａ：◆に登録されているＦＡＸ番号をセットする。
ステップＳ８３６  画像パターン情報が▼であるか否かを判断する。画像パターン情報が▼である場合はステップＳ８３７に進み、画像パターン情報が▼でない場合はステップＳ８３８に進む。
ステップＳ８３７  画像パターン１１ａ：▼に登録されているＦＡＸ番号をセットする。
ステップＳ８３８  オペレータによる新たなＦＡＸ番号の入力を待機する。ＦＡＸ番号が入力された場合はステップＳ８３９に進む。
ステップＳ８３９  ＦＡＸ番号をセットする。
ステップＳ８４０  電話回線を接続する。
ステップＳ８４１  ＦＡＸデータを送信し、処理を終了する。
ステップＳ８４２  色彩情報が緑であるか否かを判断する。色彩情報が緑である場合はステップＳ８４３に進み、色彩情報が緑でない場合はステップＳ８６３に進む。
ステップＳ８４３  コピー準備を開始する。
ステップＳ８４４  優先ビットが０であるか否かを判断する。優先ビットが０である場合はステップＳ８４５に進み、優先ビットが０でない場合はステップＳ８４６に進む。
ステップＳ８４５  表面の画像パターン認識処理を行うとともに、原稿１１の裏面全体を読み取って裏面用画像メモリ３９への格納を開始する。
ステップＳ８４６  優先ビットが１であるか否かを判断する。優先ビットが１である場合はステップＳ８４７に進み、優先ビットが１でない場合はステップＳ８５９に進む。
ステップＳ８４７  裏面の画像パターン認識処理を行うとともに、原稿１１の表面全体を読み取って表面用画像メモリ３６への格納を開始する。
ステップＳ８４８  画像パターン情報を第２メモリ１９に格納する。
ステップＳ８４９  画像パターン情報が■であるか否かを判断する。画像パターン情報が■である場合はステップＳ８５０に進み、画像パターン情報が■でない場合はステップＳ８５１に進む。
ステップＳ８５０  画像パターン１１ａ：■に登録されているコピー枚数をセットする。
ステップＳ８５１  画像パターン情報が★であるか否かを判断する。画像パターン情報が★である場合はステップＳ８５２に進み、画像パターン情報が★でない場合はステップＳ８５３に進む。
ステップＳ８５２  画像パターン１１ａ：★に登録されているコピー枚数をセットする。
ステップＳ８５３  画像パターン情報が▲であるか否かを判断する。画像パターン情報が▲である場合はステップＳ８５４に進み、画像パターン情報が▲でない場合はステップＳ８５５に進む。
ステップＳ８５４  画像パターン１１ａ：▲に登録されているコピー枚数をセットする。
ステップＳ８５５  画像パターン情報が◆であるか否かを判断する。画像パターン情報が◆である場合はステップＳ８５６に進み、画像パターン情報が◆でない場合はステップＳ８５７に進む。
ステップＳ８５６  画像パターン１１ａ：◆に登録されているコピー枚数をセットする。
ステップＳ８５７  画像パターン情報が▼であるか否かを判断する。画像パターン情報が▼である場合はステップＳ８５８に進み、画像パターン情報が▼でない場合はステップＳ８５９に進む。
ステップＳ８５８  画像パターン１１ａ：▼に登録されているコピー枚数をセットする。
ステップＳ８５９  オペレータによるコピー操作の要求を待機する。コピー操作が要求された場合はステップＳ８６０に進む。
ステップＳ８６０  コピー枚数をセットする。
ステップＳ８６１  コピー動作のための準備を行う。
ステップＳ８６２  指定枚数のコピーを行い、処理を終了する。
ステップＳ８６３  色彩情報が青であるか否かを判断する。色彩情報が青である場合はステップＳ８６４に進み、色彩情報が青でない場合はステップＳ８８４に進む。
ステップＳ８６４  ファイリング準備を開始する。
ステップＳ８６５  優先ビットが０であるか否かを判断する。優先ビットが０である場合はステップＳ８６６に進み、優先ビットが０でない場合はステップＳ８６７に進む。
ステップＳ８６６  表面の画像パターン認識処理を行うとともに、原稿１１の裏面全体を読み取って裏面用画像メモリ３９への格納を開始する。
ステップＳ８６７  優先ビットが１であるか否かを判断する。優先ビットが１である場合はステップＳ８６８に進み、優先ビットが１でない場合はステップＳ８８０に進む。
ステップＳ８６８  裏面の画像パターン認識処理を行うとともに、原稿１１の表面全体を読み取って表面用画像メモリ３６への格納を開始する。
ステップＳ８６９  画像パターン情報を第２メモリ１９に格納する。
ステップＳ８７０  画像パターン情報が■であるか否かを判断する。画像パターン情報が■である場合はステップＳ８７１に進み、画像パターン情報が■でない場合はステップＳ８７２に進む。
ステップＳ８７１  画像パターン１１ａ：■に登録されているサーバアドレスをセットする。
ステップＳ８７２  画像パターン情報が★であるか否かを判断する。画像パターン情報が★である場合はステップＳ８７３に進み、画像パターン情報が★でない場合はステップＳ８７４に進む。
ステップＳ８７３  画像パターン１１ａ：★に登録されているサーバアドレスをセットする。
ステップＳ８７４  画像パターン情報が▲であるか否かを判断する。画像パターン情報が▲である場合はステップＳ８７５に進み、画像パターン情報が▲でない場合はステップＳ８７６に進む。
ステップＳ８７５  画像パターン１１ａ：▲に登録されているサーバアドレスをセットする。
ステップＳ８７６  画像パターン情報が◆であるか否かを判断する。画像パターン情報が◆である場合はステップＳ８７７に進み、画像パターン情報が◆でない場合はステップＳ８７８に進む。
ステップＳ８７７  画像パターン１１ａ：◆に登録されているサーバアドレスをセットする。
ステップＳ８７８  画像パターン情報が▼であるか否かを判断する。画像パターン情報が▼である場合はステップＳ８７９に進み、画像パターン情報が▼でない場合はステップＳ８８０に進む。
ステップＳ８７９  画像パターン１１ａ：▼に登録されているサーバアドレスをセットする。
ステップＳ８８０  オペレータによる新たなサーバアドレスの入力を待機する。サーバアドレスが入力された場合はステップＳ８８１に進む。
ステップＳ８８１  サーバアドレスをセットする。
ステップＳ８８２  データ転送のための準備を行う。
ステップＳ８８３  指定サーバへのデータ送信を行い、処理を終了する。
ステップＳ８８４  色彩情報が紫であるか否かを判断する。色彩情報が紫である場合はステップＳ８８５に進み、色彩情報が紫でない場合はステップＳ９０５に進む。
ステップＳ８８５  ＰＣスキャン準備を開始する。
ステップＳ８８６  優先ビットが０であるか否かを判断する。優先ビットが０である場合はステップＳ８８７に進み、優先ビットが０でない場合はステップＳ８８８に進む。
ステップＳ８８７  表面の画像パターン認識処理を行うとともに、原稿１１の裏面全体を読み取って裏面用画像メモリ３９への格納を開始する。
ステップＳ８８８  優先ビットが１であるか否かを判断する。優先ビットが１である場合はステップＳ８８９に進み、優先ビットが１でない場合はステップＳ９０１に進む。
ステップＳ８８９  裏面の画像パターン認識処理を行うとともに、原稿１１の表面全体を読み取って表面用画像メモリ３６への格納を開始する。
ステップＳ８９０  画像パターン情報を第２メモリ１９に格納する。
ステップＳ８９１  画像パターン情報が■であるか否かを判断する。画像パターン情報が■である場合はステップＳ８９２に進み、画像パターン情報が■でない場合はステップＳ８９３に進む。
ステップＳ８９２  画像パターン１１ａ：■に登録されているＰＣのホルダをセットする。
ステップＳ８９３  画像パターン情報が★であるか否かを判断する。画像パターン情報が★である場合はステップＳ８９４に進み、画像パターン情報が★でない場合はステップＳ８９５に進む。
ステップＳ８９４  画像パターン１１ａ：★に登録されているＰＣのホルダをセットする。
ステップＳ８９５  画像パターン情報が▲であるか否かを判断する。画像パターン情報が▲である場合はステップＳ８９６に進み、画像パターン情報が▲でない場合はステップＳ８９７に進む。
ステップＳ８９６  画像パターン１１ａ：▲に登録されているＰＣのホルダをセットする。
ステップＳ８９７  画像パターン情報が◆であるか否かを判断する。画像パターン情報が◆である場合はステップＳ８９８に進み、画像パターン情報が◆でない場合はステップＳ８９９に進む。
ステップＳ８９８  画像パターン１１ａ：◆に登録されているＰＣのホルダをセットする。
ステップＳ８９９  画像パターン情報が▼であるか否かを判断する。画像パターン情報が▼である場合はステップＳ９００に進み、画像パターン情報が▼でない場合はステップＳ９０１に進む。
ステップＳ９００  画像パターン１１ａ：▼に登録されているＰＣのホルダをセットする。
ステップＳ９０１  オペレータによる新たなＰＣのホルダの入力を待機する。ＰＣのホルダが入力された場合はステップＳ９０２に進む。
ステップＳ９０２  ＰＣのホルダをセットする。
ステップＳ９０３  データ転送のための準備を行う。
ステップＳ９０４  指定ホルダへのデータ送信を行い、処理を終了する。
ステップＳ９０５  カラーＭＦＰ機能の選択を要求し、処理を終了する。
【０２１７】
このように、本実施の形態において、画像入出力装置１０は、あらかじめ画像パターン１１ａの形状に対応付けられている機能及び色彩データに対応付けて固有情報を入力することが可能な出力選択テーブル１６と、原稿１１の表面を読み取る表面用カラーイメージスキャナ部３２と、原稿１１の裏面の先端部から有彩色の画像パターンを読み取る裏面用カラーイメージスキャナ部３３と、原稿１１の表面及び裏面から読み取ったデータから色彩情報を認識する色彩認識手段１３と、原稿１１の表面から認識した色彩情報を格納する第１メモリ１８と、原稿１１の表面及び裏面から読み取ったデータから画像パターン１１ａを認識する画像パターン認識手段１４と、原稿１１の表面から認識した画像パターン１１ａの形状を格納する第２メモリ１９と、原稿１１の表面から読み込んだ画像データを格納する表面用画像メモリ３６と、原稿１１の裏面から読み込んだ画像データを格納する裏面用画像メモリ３９と、画像を記録紙に記録するプリンタ部２２と、あらかじめ指定された相手先に電子メールを送信する電子メール制御部２３と、あらかじめ指定された相手先にＦＡＸ送信するＦＡＸ制御部２４と、あらかじめ指定された部数指定コピー枚数を印刷するプリンタ部２２と、あらかじめ指定されたファイルサーバにファイリング送信するファイリング制御部２５と、ローカルやＬＡＮ等で接続されたＰＣに対してスキャンしたデータを転送するＰＣスキャン制御部２６とを有する。そのため、オペレータは原稿１１の表裏いずれかの所定領域（例えば、先端部）に有彩色の画像パターン１１ａを付与しておくことによって、煩わしい操作認識を行うことなく、電子メール送信、ＦＡＸ送信、部数指定コピー、ファイリング送信、ＰＣスキャン等を行わせることができる。また、原稿１１をセットする際に、表面であるか裏面であるかを意識することなくセットしても、読み取るべき面を自動的に判断して読み取りを実行させることができる。
【０２１８】
また、画像パターン１１ａの形状を認識することができない場合は、画像入出力装置１０が初期状態に戻ることなく、オペレータからの新たな入力指示を待機し、さらに、画像パターン１１ａの色彩情報を認識することができない場合も、画像入出力装置１０が初期状態に戻ることなく、オペレータからの新たな入力指示を待機し、オペレータによる入力が行われると、速やかに電子メール送信、ＦＡＸ送信、部数指定コピー、ファイリング送信、ＰＣスキャン送信の機能を行うことができる。
【０２１９】
また、前記第７の実施の形態における表面用色彩認識手段３４、裏面用色彩認識手段３７、表面用画像パターン認識手段３５、裏面用画像パターン認識手段３８、第３メモリ４０及び第４メモリ４１を削除することができるので、低価格での装置構成を実現することができる。
【０２２０】
さらに、二つの画像メモリ、すなわち、表面用画像メモリ３６及び裏面用画像メモリ３９の一方に格納されている画像データを読み出す際にも、読み取り面決定手段４２のビットを確認することによって、速やかに格納されている画メモリを選択することができるので、より高速での処理を行うことができる。
【０２２１】
さらに、有彩色の画像パターン１１ａが付与された原稿１１は、第三者からどのような機能を有しているのか判別することができないので、相手先の電子メールアドレスやＦＡＸ番号の情報漏洩を防止することとなり、情報の保守性を高めることができる。
【０２２２】
なお、本実施の形態においては、原稿１１の両面における先端部に所定の形状及び色彩の画像パターン１１ａを付与するようになっているが、画像パターン１１ａの位置は先端部に限定されるものではなく、原稿１１の両面における任意の位置に付与することができる。
【０２２３】
また、前記画像パターン１１ａの色彩は、赤、黄、緑、青、紫の五色としたが、色彩の数はこれに限定されるものではない。色彩の数はスキャナの色彩情報に対する読み取り能力に依存するものであり、表面用カラーイメージスキャナ部３２又は裏面用カラーイメージスキャナ部３３の読み取り能力を超えない範囲で色彩の数を決定することができる。
【０２２４】
さらに、本実施の形態においては、電子メール送信機能、ＦＡＸ送信機能、部数指定コピー機能、ファイリング送信機能、ＰＣスキャン機能を自動的に起動させたが、これに限定されるものではなく、オペレータがこれらの電子メール送信機能、ＦＡＸ送信機能、部数指定コピー機能、ファイリング送信機能、ＰＣスキャン機能をマニュアルで設定することができることは言うまでもない。
【０２２５】
次に、本発明の第９の実施の形態について説明する。なお、第１〜第８の実施の形態と同じ構成を有するものは、同じ符号を付与することによって、その説明を省略する。また、前記第１〜第８の実施の形態と同じ動作及び同じ効果についても、その説明を省略する。
【０２２６】
本実施の形態においては、画像パターン１１ａが付与された原稿１１の印刷を行う場合について説明する。
【０２２７】
図５９は本発明の第９の実施の形態における画像入出力装置の構成を示すブロック図である。
【０２２８】
本実施の形態において、画像入出力装置１０は、図５９に示されるように、あらかじめ準備されている画像パターン１１ａに対するＩＰアドレス入力が可能なＩＰアドレス確認テーブル５４、ＰＣのＩＰアドレスを格納するメモリ５３、及び、該メモリ５３の内容とＩＰアドレス確認テーブル５４に登録されている内容とを比較するコンパレータ制御部１７を有する。そして、前記画像入出力装置１０は、ＬＡＮによって接続され、あらかじめＩＰアドレスが付与されたＩＰアドレス付きＰＣ５５に接続されている。
【０２２９】
次に、本実施の形態における画像入出力装置１０の動作について説明する。
【０２３０】
本実施の形態においては、前手順として、第１の前手順、第２の前手順及び第３の前手順を有するものであるが、第１の前手順は、前記第３の形態における前手順と同様であるので、説明を省略する。そして、まず、第２の前手順として、ＩＰアドレス確認テーブル５４における、あらかじめ準備されている画像データに対するＩＰアドレスの登録方法について説明する。
【０２３１】
図６０は本発明の第９の実施の形態における第２の前手順として固有情報を登録する動作を示すフローチャートである。
【０２３２】
まず、画像入出力装置１０は、登録意思があるか否かを判断し、登録意思がない場合は処理を終了し、登録意思がある場合は登録を開始する。
【０２３３】
そして、画像パターン１１ａとしての■への登録を希望する場合は任意のＩＰアドレスを入力し、画像パターン１１ａとしての★への登録を希望する場合は任意のＩＰアドレスを入力し、画像パターン１１ａとしての▲への登録を希望する場合は任意のＩＰアドレスを入力し、画像パターン１１ａとしての◆への登録を希望する場合は任意のＩＰアドレスを入力し、画像パターン１１ａとしての▼への登録を希望する場合は任意のＩＰアドレスを入力する。
【０２３４】
次に、フローチャートについて説明する。
ステップＳ９１１  登録を開始するか否かを判断する。登録を開始する場合はステップＳ９１２に進み、登録を開始しない場合はステップＳ９２２に進む。
ステップＳ９１２  画像パターン１１ａ：■への登録であるか否かを判断する。画像パターン１１ａ：■への登録である場合はステップＳ９１３に進み、画像パターン１１ａ：■への登録でない場合はステップＳ９１４に進む。
ステップＳ９１３  ＩＰアドレスを登録する。
ステップＳ９１４  画像パターン１１ａ：★への登録であるか否かを判断する。画像パターン１１ａ：★への登録である場合はステップＳ９１５に進み、画像パターン１１ａ：★への登録でない場合はステップＳ９１６に進む。
ステップＳ９１５  ＩＰアドレスを登録する。
ステップＳ９１６  画像パターン１１ａ：▲への登録であるか否かを判断する。画像パターン１１ａ：▲への登録である場合はステップＳ９１７に進み、画像パターン１１ａ：▲への登録でない場合はステップＳ９１８に進む。
ステップＳ９１７  ＩＰアドレスを登録する。
ステップＳ９１８  画像パターン１１ａ：◆への登録であるか否かを判断する。画像パターン１１ａ：◆への登録である場合はステップＳ９１９に進み、画像パターン１１ａ：◆への登録でない場合はステップＳ９２０に進む。
ステップＳ９１９  ＩＰアドレスを登録する。
ステップＳ９２０  画像パターン１１ａ：▼への登録であるか否かを判断する。画像パターン１１ａ：▼への登録である場合はステップＳ９２１に進み、画像パターン１１ａ：▼への登録でない場合はステップＳ９２２に進む。
ステップＳ９２１  ＩＰアドレスを登録する。
ステップＳ９２２  登録が終了したか否かを判断する。登録が終了した場合は処理を終了し、登録が終了していない場合はステップＳ９１２に戻る。
【０２３５】
次に、第３の前手順として、電子メール送信、ＦＡＸ送信、部数指定コピー、ファイリング送信、ＰＣスキャン送信等の機能が付与されている有彩色の画像パターン１１ａの印刷要否を設定する動作について説明する。
【０２３６】
図６１は本発明の第９の実施の形態における第３の前手順として画像パターンの印刷要否を設定する動作を示すフローチャートである。
【０２３７】
まず、電子メール送信機能が付与された有彩色の画像パターン１１ａの印刷要否を設定し、印刷を行う場合は有効にセットし、印刷を行わない場合は無効にセットする。次に、ＦＡＸ送信機能が付与された有彩色の画像パターン１１ａの印刷要否を設定し、印刷を行う場合は有効にセットし、印刷を行わない場合は無効にセットする。続いて、部数指定コピー機能が付与された有彩色の画像パターン１１ａの印刷要否を設定し、印刷を行う場合は有効にセットし、印刷を行わない場合は無効にセットする。そして、ファイリング送信機能が付与された有彩色の画像パターン１１ａの印刷要否を設定し、印刷を行う場合は有効にセットし、印刷を行わない場合は無効にセットする。また、ＰＣスキャン機能が付与された有彩色の画像パターン１１ａの印刷要否を設定し、印刷を行う場合は有効にセットし、印刷を行わない場合は無効にセットする。
【０２３８】
次に、フローチャートについて説明する。
ステップＳ９３１  電子メール送信機能が付与された有彩色の画像パターン１１ａの印刷を行うか否かを判断する。電子メール送信機能が付与された有彩色の画像パターン１１ａの印刷を行う場合はステップＳ９３２に進み、電子メール送信機能が付与された有彩色の画像パターン１１ａの印刷を行わない場合はステップＳ９３３に進む。
ステップＳ９３２  電子メール送信機能が付与された有彩色の画像パターン１１ａの印刷を有効にセットする。
ステップＳ９３３  電子メール送信機能が付与された有彩色の画像パターン１１ａの印刷を無効にセットする。
ステップＳ９３４  ＦＡＸ送信機能が付与された有彩色の画像パターン１１ａの印刷を行うか否かを判断する。ＦＡＸ送信機能が付与された有彩色の画像パターン１１ａの印刷を行う場合はステップＳ９３５に進み、ＦＡＸ送信機能が付与された有彩色の画像パターン１１ａの印刷を行わない場合はステップＳ９３６に進む。
ステップＳ９３５  ＦＡＸ送信機能が付与された有彩色の画像パターン１１ａの印刷を有効にセットする。
ステップＳ９３６  ＦＡＸ送信機能が付与された有彩色の画像パターン１１ａの印刷を無効にセットする。
ステップＳ９３７  部数指定コピー機能が付与された有彩色の画像パターン１１ａの印刷を行うか否かを判断する。部数指定コピー機能が付与された有彩色の画像パターン１１ａの印刷を行う場合はステップＳ９３８に進み、部数指定コピー機能が付与された有彩色の画像パターン１１ａの印刷を行わない場合はステップＳ９３９に進む。
ステップＳ９３８  部数指定コピー機能が付与された有彩色の画像パターン１１ａの印刷を有効にセットする。
ステップＳ９３９  部数指定コピー機能が付与された有彩色の画像パターン１１ａの印刷を無効にセットする。
ステップＳ９４０  ファイリング送信機能が付与された有彩色の画像パターン１１ａの印刷を行うか否かを判断する。ファイリング送信機能が付与された有彩色の画像パターン１１ａの印刷を行う場合はステップＳ９４１に進み、ファイリング送信機能が付与された有彩色の画像パターン１１ａの印刷を行わない場合はステップＳ９４２に進む。
ステップＳ９４１  ファイリング送信機能が付与された有彩色の画像パターン１１ａの印刷を有効にセットする。
ステップＳ９４２  ファイリング送信機能が付与された有彩色の画像パターン１１ａの印刷を無効にセットする。
ステップＳ９４３  ＰＣスキャン機能が付与された有彩色の画像パターン１１ａの印刷を行うか否かを判断する。ＰＣスキャン機能が付与された有彩色の画像パターン１１ａの印刷を行う場合はステップＳ９４４に進み、ＰＣスキャン機能が付与された有彩色の画像パターン１１ａの印刷を行わない場合はステップＳ９４５に進む。
ステップＳ９４４  ＰＣスキャン機能が付与された有彩色の画像パターン１１ａの印刷を有効にセットし、処理を終了する。
ステップＳ９４５  ＰＣスキャン機能が付与された有彩色の画像パターン１１ａの印刷を無効にセットし、処理を終了する。
【０２３９】
次に、画像パターン１１ａを印刷する動作について説明する。
【０２４０】
図６２は本発明の第９の実施の形態における画像パターンを印刷する動作を示すフローチャートである。
【０２４１】
まず、画像入出力装置１０は、あらかじめＩＰアドレスが付与されたＩＰアドレス付きＰＣ５５からの印刷要求を常時監視していて、印刷要求を検知すると画像入出力装置１０は印刷準備を開始する。次に、あらかじめ電子メール送信機能が付与された有彩色の画像パターン１１ａの印刷要否を確認し、有効である場合は画像パターン１１ａとしての■を印刷準備する。そして、無効である場合は、ＦＡＸ送信機能が付与された有彩色の画像パターン１１ａの印刷要否を確認し、有効である場合は画像パターン１１ａとしての★を印刷準備する。また、無効である場合は、部数指定コピー機能が付与された有彩色の画像パターン１１ａの印刷要否を確認し、有効である場合は画像パターン１１ａとしての▲を印刷準備する。そして、無効である場合は、ファイリング送信機能が付与された有彩色の画像パターン１１ａの印刷要否を確認し、有効である場合は画像パターン１１ａとしての◆を印刷準備する。また、無効である場合は、ＰＣスキャン機能が付与された有彩色の画像パターン１１ａの印刷要否を確認し、有効である場合は画像パターン１１ａとしての▼を印刷準備する。
【０２４２】
そして、無効である場合、制御部２１はＩＰアドレスを検知すると、これをメモリ５３に格納する。続いて、該メモリ５３のデータの有無を常時監視しているコンパレータ制御部１７は、ＩＰアドレス確認テーブル５４に登録されているＩＰアドレスとメモリ５３に格納されているＩＰアドレスとを確認し、一致した場合は、あらかじめカラーＭＦＰ機能、すなわち、電子メール送信機能、ＦＡＸ送信機能、部数指定コピー機能、ファイリング送信機能及びＰＣスキャン機能のいずれかの機能が付与された色彩情報、並びに、検知したＩＰアドレスに割り当てられている画像パターン１１ａをセットし、媒体の先端部の表面にこれを印刷し、続けて、同一面上に印刷要求に対応する画像データ、すなわち、印刷要求データを印刷し、処理を終了する。なお、本実施の形態においては、前記第１〜第８の実施の形態に適用される原稿１１とは異なり、画像パターン１１ａと印刷要求データとは同一面上に形成される。
【０２４３】
一方、有彩色の画像パターン１１ａの印刷要求がない場合、ＩＰアドレスが何らかの理由によって認識することができない場合、又は、ＩＰアドレス確認テーブル５４に登録されているＩＰアドレスとメモリ５３に格納されているＩＰアドレスとが一致しない場合、画像入出力装置１０は媒体の先端部に有彩色の画像パターン１１ａを印刷することなく、印刷要求データを媒体の表面に印刷し、処理を終了する。
【０２４４】
次に、フローチャートについて説明する。
ステップＳ９５１  印刷要求を待機し、印刷要求がある場合はステップＳ９５２に進む。
ステップＳ９５２  印刷準備を開始する。
ステップＳ９５３  あらかじめ電子メール送信機能が付与された有彩色の画像パターン１１ａの印刷要否が有効であるか否かを判断する。あらかじめ電子メール送信機能が付与された有彩色の画像パターン１１ａの印刷要否が有効である場合はステップＳ９５４に進み、あらかじめ電子メール送信機能が付与された有彩色の画像パターン１１ａの印刷要否が無効である場合はステップＳ９５５に進む。
ステップＳ９５４  画像パターン１１ａ：■を印刷準備する。
ステップＳ９５５  ＦＡＸ送信機能が付与された有彩色の画像パターン１１ａの印刷要否が有効であるか否かを判断する。ＦＡＸ送信機能が付与された有彩色の画像パターン１１ａの印刷要否が有効である場合はステップＳ９５６に進み、ＦＡＸ送信機能が付与された有彩色の画像パターン１１ａの印刷要否が無効である場合はステップＳ９５７に進む。
ステップＳ９５６  画像パターン１１ａ：★を印刷準備する。
ステップＳ９５７  部数指定コピー機能が付与された有彩色の画像パターン１１ａの印刷要否が有効であるか否かを判断する。部数指定コピー機能が付与された有彩色の画像パターン１１ａの印刷要否が有効である場合はステップＳ９５８に進み、部数指定コピー機能が付与された有彩色の画像パターン１１ａの印刷要否が無効である場合はステップＳ９５９に進む。
ステップＳ９５８  画像パターン１１ａ：▲を印刷準備する。
ステップＳ９５９  ファイリング送信機能が付与された有彩色の画像パターン１１ａの印刷要否が有効であるか否かを判断する。ファイリング送信機能が付与された有彩色の画像パターン１１ａの印刷要否が有効である場合はステップＳ９６０に進み、ファイリング送信機能が付与された有彩色の画像パターン１１ａの印刷要否が無効である場合はステップＳ９６１に進む。
ステップＳ９６０  画像パターン１１ａ：◆を印刷準備する。
ステップＳ９６１  ＰＣスキャン機能が付与された有彩色の画像パターン１１ａの印刷要否が有効であるか否かを判断する。ＰＣスキャン機能が付与された有彩色の画像パターン１１ａの印刷要否が有効である場合はステップＳ９６２に進み、ＰＣスキャン機能が付与された有彩色の画像パターン１１ａの印刷要否が無効である場合はステップＳ９６３に進む。
ステップＳ９６２  画像パターン１１ａ：▼を印刷準備する。
ステップＳ９６３  ＩＰアドレスがあるか否かを判断する。ＩＰアドレスがある場合はステップＳ９６４に進み、ＩＰアドレスがない場合はステップＳ９６８に進む。
ステップＳ９６４  ＩＰアドレスをメモリ５３に格納する。
ステップＳ９６５  ＩＰアドレス確認テーブル５４に登録されているＩＰアドレスとメモリ５３に格納されているＩＰアドレスとが一致するか否かを判断する。ＩＰアドレス確認テーブル５４に登録されているＩＰアドレスとメモリ５３に格納されているＩＰアドレスとが一致する場合はステップＳ９６６に進み、ＩＰアドレス確認テーブル５４に登録されているＩＰアドレスとメモリ５３に格納されているＩＰアドレスとが一致しない場合はステップＳ９６８に進む。
ステップＳ９６６  有彩色の画像パターン１１ａをセットする。
ステップＳ９６７  媒体の先端部の表面に印刷する。
ステップＳ９６８  同一面上に印刷要求データを印刷し、処理を終了する。
【０２４５】
このように、本実施の形態においては、あらかじめ電子メール送信機能、ＦＡＸ送信機能、部数指定コピー機能、ファイリング送信機能及びＰＣスキャン機能のいずれかの機能が付与された有彩色の画像パターン１１ａが、ワープロの文章、表計算、電子メールの受信内容等の様々な印刷要求データの内容にかかわらず、常に印刷要求データと同一面上に印刷される。
【０２４６】
また、本実施の形態における機能は、前記第１〜第３の実施の形態における画像入出力装置１０における機能に速やかに適用することができ、前記第１〜第３の実施の形態で説明した機能と併用することによって、より使い勝手のよい画像入出力装置１０を得ることができる。
【０２４７】
なお、本実施の形態においては、媒体の表面における先端部に有彩色の画像パターン１１ａを印刷する場合について説明したが、前記画像パターン１１ａを印刷する位置は媒体の表面における先端部に限定されるものではなく、媒体の表面における任意の位置を指定することができるようにしてもよい。
【０２４８】
次に、本発明の第１０の実施の形態について説明する。なお、第１〜第９の実施の形態と同じ構成を有するものは、同じ符号を付与することによって、その説明を省略する。また、前記第１〜第９の実施の形態と同じ動作及び同じ効果についても、その説明を省略する。
【０２４９】
図６３は本発明の第１０の実施の形態における画像入出力装置の構成を示すブロック図である。
【０２５０】
本実施の形態において、画像入出力装置１０は、図６３に示されるように、両面印刷ユニット５６を有する。なお、その他の点の構成については、前記第９の実施の形態と同様であるので、説明を省略する。
【０２５１】
次に、本実施の形態における画像入出力装置１０の動作について説明する。
【０２５２】
なお、本実施の形態においては、前手順として、第１の前手順、第２の前手順及び第３の前手順を有するものであるが、第１の前手順は、前記第３の形態における前手順と同様であり、第２の前手順及び第３の前手順は、前記第９の形態における第２の前手順及び第３の前手順と同様であるので、説明を省略する。
【０２５３】
また、本実施の形態における画像パターン１１ａを印刷する動作については、基本的には前記第９の実施の形態における画像パターン１１ａを印刷する動作とほぼ同様であるので、相違点だけを説明する。
【０２５４】
図６４は本発明の第１０の実施の形態における画像パターンを印刷する動作を示すフローチャートである。
【０２５５】
ここで、制御部２１がＩＰアドレスを検知してメモリ５３に格納するまでの動作については、前記第９の実施の形態と同様であるので、説明を省略する。そして、ＩＰアドレスがメモリ５３に格納されると、該メモリ５３のデータの有無を常時監視しているコンパレータ制御部１７は、ＩＰアドレス確認テーブル５４に登録されているＩＰアドレスとメモリ５３に格納されているＩＰアドレスとを確認し、一致した場合は、あらかじめカラーＭＦＰ機能、すなわち、電子メール送信機能、ＦＡＸ送信機能、部数指定コピー機能、ファイリング送信機能及びＰＣスキャン機能のいずれかの機能が付与された色彩情報、並びに、検知したＩＰアドレスに割り当てられている画像パターン１１ａをセットする。
【０２５６】
次に、印刷要求に対応する画像データ、すなわち、印刷要求データを媒体の表面に印刷した後、両面印刷ユニット５６によって前記媒体の表裏を反転する。続いて、前記媒体の裏面における先端部に、有彩色の画像パターン１１ａ、及び、検知したＩＰアドレスに割り当てられている画像データを印刷し、処理を終了する。なお、本実施の形態においては、前記第９の実施の形態とは異なり、画像パターン１１ａを印刷要求データの印刷面の反対側に形成する。
【０２５７】
一方、有彩色の画像パターン１１ａの印刷要求がない場合、ＩＰアドレスが何らかの理由によって認識することができない場合、又は、ＩＰアドレス確認テーブル５４に登録されているＩＰアドレスとメモリ５３に格納されているＩＰアドレスとが一致しない場合、画像入出力装置１０は媒体の先端部に有彩色の画像パターン１１ａを印刷することなく、印刷要求データを媒体の表面に印刷し、処理を終了する。
【０２５８】
次に、フローチャートについて説明する。
ステップＳ９７１  印刷要求を待機し、印刷要求がある場合はステップＳ９７２に進む。
ステップＳ９７２  印刷準備を開始する。
ステップＳ９７３  あらかじめ電子メール送信機能が付与された有彩色の画像パターン１１ａの印刷要否が有効であるか否かを判断する。あらかじめ電子メール送信機能が付与された有彩色の画像パターン１１ａの印刷要否が有効である場合はステップＳ９７４に進み、あらかじめ電子メール送信機能が付与された有彩色の画像パターン１１ａの印刷要否が無効である場合はステップＳ９７５に進む。
ステップＳ９７４  画像パターン１１ａ：■を印刷準備する。
ステップＳ９７５  ＦＡＸ送信機能が付与された有彩色の画像パターン１１ａの印刷要否が有効であるか否かを判断する。ＦＡＸ送信機能が付与された有彩色の画像パターン１１ａの印刷要否が有効である場合はステップＳ９７６に進み、ＦＡＸ送信機能が付与された有彩色の画像パターン１１ａの印刷要否が無効である場合はステップＳ９７７に進む。
ステップＳ９７６  画像パターン１１ａ：★を印刷準備する。
ステップＳ９７７  部数指定コピー機能が付与された有彩色の画像パターン１１ａの印刷要否が有効であるか否かを判断する。部数指定コピー機能が付与された有彩色の画像パターン１１ａの印刷要否が有効である場合はステップＳ９７８に進み、部数指定コピー機能が付与された有彩色の画像パターン１１ａの印刷要否が無効である場合はステップＳ９７９に進む。
ステップＳ９７８  画像パターン１１ａ：▲を印刷準備する。
ステップＳ９７９  ファイリング送信機能が付与された有彩色の画像パターン１１ａの印刷要否が有効であるか否かを判断する。ファイリング送信機能が付与された有彩色の画像パターン１１ａの印刷要否が有効である場合はステップＳ９８０に進み、ファイリング送信機能が付与された有彩色の画像パターン１１ａの印刷要否が無効である場合はステップＳ９８１に進む。
ステップＳ９８０  画像パターン１１ａ：◆を印刷準備する。
ステップＳ９８１  ＰＣスキャン機能が付与された有彩色の画像パターン１１ａの印刷要否が有効であるか否かを判断する。ＰＣスキャン機能が付与された有彩色の画像パターン１１ａの印刷要否が有効である場合はステップＳ９８２に進み、ＰＣスキャン機能が付与された有彩色の画像パターン１１ａの印刷要否が無効である場合はステップＳ９８３に進む。
ステップＳ９８２  画像パターン１１ａ：▼を印刷準備する。
ステップＳ９８３  ＩＰアドレスがあるか否かを判断する。ＩＰアドレスがある場合はステップＳ９８４に進み、ＩＰアドレスがない場合はステップＳ９９０に進む。
ステップＳ９８４  ＩＰアドレスをメモリ５３に格納する。
ステップＳ９８５  ＩＰアドレス確認テーブル５４に登録されているＩＰアドレスとメモリ５３に格納されているＩＰアドレスとが一致するか否かを判断する。ＩＰアドレス確認テーブル５４に登録されているＩＰアドレスとメモリ５３に格納されているＩＰアドレスとが一致する場合はステップＳ９８６に進み、ＩＰアドレス確認テーブル５４に登録されているＩＰアドレスとメモリ５３に格納されているＩＰアドレスとが一致しない場合はステップＳ９９０に進む。
ステップＳ９８６  有彩色の画像パターン１１ａをセットする。
ステップＳ９８７  印刷要求データを媒体の表面に印刷する。
ステップＳ９８８  媒体の表裏を反転する。
ステップＳ９８９  媒体の裏面の先端部に有彩色の画像パターン１１ａを印刷し、処理を終了する。
ステップＳ９９０  印刷要求データを媒体の表面に印刷し、処理を終了する。
【０２５９】
このように、本実施の形態においては、あらかじめ電子メール送信機能、ＦＡＸ送信機能、部数指定コピー機能、ファイリング送信機能及びＰＣスキャン機能のいずれかの機能が付与された有彩色の画像パターン１１ａが、ワープロの文章、表計算、電子メールの受信内容等の様々な印刷要求データの内容にかかわらず、常に印刷要求データと反対側の面、すなわち、裏面に印刷される。
【０２６０】
また、本実施の形態における機能は、前記第１〜第３の実施の形態における画像入出力装置１０における機能に速やかに適用することができ、前記第１〜第３の実施の形態で説明した機能と併用することによって、より使い勝手のよい画像入出力装置１０を得ることができる。
【０２６１】
なお、本実施の形態においては、媒体の裏面における先端部に有彩色の画像パターン１１ａを印刷する場合について説明したが、前記画像パターン１１ａを印刷する位置は媒体の裏面における先端部に限定されるものではなく、媒体の裏面における任意の位置を指定することができるようにしてもよい。
【０２６２】
ところで、前記第１の実施の形態等においては、色彩に赤、緑、青、橙、紫の五色の色彩を用いたが、これだけに限定されることは言うに及ばず、ＪＩＳで規定されている物体色の色名を筆頭に、ＰＣＣＳ、ＩＳＣＣ−ＮＢＳシステム、オストワルトシステム、ＮＣＳ（スウェーデン工業規格）、ＤＩＮ色票（ドイツ工業規格９）、カラーハーモニーマニュアル、ＸＹＺ表色系等によって生成される有彩色の全色から選択可能な色彩とする。同様に、画像パターン１１ａを◆、★、▲、◆等としたが、これだけに限定されることは言うに及ばず、カラーイメージスキャナが読み取ることができる図形であれば、いかなる模様やパターンでもこれに適用することができる。
【０２６３】
また、赤い◆と青い★によるコンビネーション等の有彩色の画像パターン１１ａも適用することができる。
【０２６４】
さらに、この機能を有する画像入出力装置１０に対し、オペレータが任意に入力した模様やパターンを画像パターン１１ａとして登録することも、機能として拡張可能である。
【０２６５】
さらに、前記第１〜第１０の実施の形態は、タンデム方式のカラー画像を取り扱う画像入出力装置１０に限定されることなく、インクジェット方式を筆頭とするタンデム方式以外のカラー画像を取り扱う画像入出力装置１０にも適用することができる。
【０２６６】
なお、本発明は前記実施の形態に限定されるものではなく、本発明の趣旨に基づいて種々変形させることが可能であり、それらを本発明の範囲から排除するものではない。
【図面の簡単な説明】
【０２６７】
【図１】本発明の第１の実施の形態における画像入出力装置の構成を示すブロック図である。
【図２】本発明の第１の実施の形態における原稿の例を示す図である。
【図３】本発明の第１の実施の形態における画像パターンの各色彩に対応する固有情報の例を示す図である。
【図４】本発明の第１の実施の形態における固有情報を登録する動作を示す第１のフローチャートである。
【図５】本発明の第１の実施の形態における固有情報を登録する動作を示す第２のフローチャートである。
【図６】本発明の第１の実施の形態における原稿を読み取る場合の動作を示す第１のフローチャートである。
【図７】本発明の第１の実施の形態における原稿を読み取る場合の動作を示す第２のフローチャートである。
【図８】本発明の第１の実施の形態における原稿を読み取る場合の動作を示す第３のフローチャートである。
【図９】本発明の第１の実施の形態における原稿を読み取る場合の動作を示す第４のフローチャートである。
【図１０】本発明の第１の実施の形態における原稿を読み取る場合の動作を示す第５のフローチャートである。
【図１１】本発明の第２の実施の形態における原稿を読み取る場合の動作を示す第１のフローチャートである。
【図１２】本発明の第２の実施の形態における原稿を読み取る場合の動作を示す第２のフローチャートである。
【図１３】本発明の第２の実施の形態における原稿を読み取る場合の動作を示す第３のフローチャートである。
【図１４】本発明の第２の実施の形態における原稿を読み取る場合の動作を示す第４のフローチャートである。
【図１５】本発明の第２の実施の形態における原稿を読み取る場合の動作を示す第５のフローチャートである。
【図１６】本発明の第３の実施の形態における画像入出力装置の構成を示すブロック図である。
【図１７】本発明の第３の実施の形態における色彩データの各画像パターン形状に対応する固有情報の例を示す図である。
【図１８】本発明の第３の実施の形態における固有情報を登録する動作を示す第１のフローチャートである。
【図１９】本発明の第３の実施の形態における固有情報を登録する動作を示す第２のフローチャートである。
【図２０】本発明の第３の実施の形態における原稿を読み取る場合の動作を示す第１のフローチャートである。
【図２１】本発明の第３の実施の形態における原稿を読み取る場合の動作を示す第２のフローチャートである。
【図２２】本発明の第３の実施の形態における原稿を読み取る場合の動作を示す第３のフローチャートである。
【図２３】本発明の第３の実施の形態における原稿を読み取る場合の動作を示す第４のフローチャートである。
【図２４】本発明の第３の実施の形態における原稿を読み取る場合の動作を示す第５のフローチャートである。
【図２５】本発明の第３の実施の形態における原稿を読み取る場合の動作を示す第６のフローチャートである。
【図２６】本発明の第４の実施の形態における画像入出力装置の構成を示すブロック図である。
【図２７】本発明の第４の実施の形態における原稿の例を示す図である。
【図２８】本発明の第４の実施の形態における原稿を読み取る場合の動作を示す第１のフローチャートである。
【図２９】本発明の第４の実施の形態における原稿を読み取る場合の動作を示す第２のフローチャートである。
【図３０】本発明の第４の実施の形態における原稿を読み取る場合の動作を示す第３のフローチャートである。
【図３１】本発明の第４の実施の形態における原稿を読み取る場合の動作を示す第４のフローチャートである。
【図３２】本発明の第４の実施の形態における原稿を読み取る場合の動作を示す第５のフローチャートである。
【図３３】本発明の第５の実施の形態における原稿を読み取る場合の動作を示す第１のフローチャートである。
【図３４】本発明の第５の実施の形態における原稿を読み取る場合の動作を示す第２のフローチャートである。
【図３５】本発明の第５の実施の形態における原稿を読み取る場合の動作を示す第３のフローチャートである。
【図３６】本発明の第５の実施の形態における原稿を読み取る場合の動作を示す第４のフローチャートである。
【図３７】本発明の第５の実施の形態における原稿を読み取る場合の動作を示す第５のフローチャートである。
【図３８】本発明の第６の実施の形態における画像入出力装置の構成を示すブロック図である。
【図３９】本発明の第６の実施の形態における原稿を読み取る場合の動作を示す第１のフローチャートである。
【図４０】本発明の第６の実施の形態における原稿を読み取る場合の動作を示す第２のフローチャートである。
【図４１】本発明の第６の実施の形態における原稿を読み取る場合の動作を示す第３のフローチャートである。
【図４２】本発明の第６の実施の形態における原稿を読み取る場合の動作を示す第４のフローチャートである。
【図４３】本発明の第６の実施の形態における原稿を読み取る場合の動作を示す第５のフローチャートである。
【図４４】本発明の第６の実施の形態における原稿を読み取る場合の動作を示す第６のフローチャートである。
【図４５】発明の第７の実施の形態における画像入出力装置の構成を示すブロック図である。
【図４６】本発明の第７の実施の形態における原稿を読み取る場合の動作を示す第１のフローチャートである。
【図４７】本発明の第７の実施の形態における原稿を読み取る場合の動作を示す第２のフローチャートである。
【図４８】本発明の第７の実施の形態における原稿を読み取る場合の動作を示す第３のフローチャートである。
【図４９】本発明の第７の実施の形態における原稿を読み取る場合の動作を示す第４のフローチャートである。
【図５０】本発明の第７の実施の形態における原稿を読み取る場合の動作を示す第５のフローチャートである。
【図５１】本発明の第７の実施の形態における原稿を読み取る場合の動作を示す第６のフローチャートである。
【図５２】本発明の第８の実施の形態における画像入出力装置の構成を示すブロック図である。
【図５３】本発明の第８の実施の形態における原稿を読み取る場合の動作を示す第１のフローチャートである。
【図５４】本発明の第８の実施の形態における原稿を読み取る場合の動作を示す第２のフローチャートである。
【図５５】本発明の第８の実施の形態における原稿を読み取る場合の動作を示す第３のフローチャートである。
【図５６】本発明の第８の実施の形態における原稿を読み取る場合の動作を示す第４のフローチャートである。
【図５７】本発明の第８の実施の形態における原稿を読み取る場合の動作を示す第５のフローチャートである。
【図５８】本発明の第８の実施の形態における原稿を読み取る場合の動作を示す第６のフローチャートである。
【図５９】本発明の第９の実施の形態における画像入出力装置の構成を示すブロック図である。
【図６０】本発明の第９の実施の形態における第２の前手順として固有情報を登録する動作を示すフローチャートである。
【図６１】本発明の第９の実施の形態における第３の前手順として画像パターンの印刷要否を設定する動作を示すフローチャートである。
【図６２】本発明の第９の実施の形態における画像パターンを印刷する動作を示すフローチャートである。
【図６３】本発明の第１０の実施の形態における画像入出力装置の構成を示すブロック図である。
【図６４】本発明の第１０の実施の形態における画像パターンを印刷する動作を示すフローチャートである。
【符号の説明】
【０２６８】
１０    画像入出力装置
１１    原稿
１１ａ    画像パターン
１２    カラーイメージスキャナ部
１３    色彩認識手段
１６    出力選択テーブル
２２    プリンタ部
２３    電子メール制御部
２４    ＦＡＸ制御部
２５    ファイリング制御部
２６    ＰＣスキャン制御部
３２    表面用カラーイメージスキャナ部
３３    裏面用カラーイメージスキャナ部
３４    表面用色彩認識手段
３７    裏面用色彩認識手段
【図１】
2006093892.tif 000003
【図２】
2006093892.tif 000004
【図３】
2006093892.tif 000005
【図４】
2006093892.tif 000006
【図５】
2006093892.tif 000007
【図６】
2006093892.tif 000008
【図７】
2006093892.tif 000009
【図８】
2006093892.tif 000010
【図９】
2006093892.tif 000011
【図１０】
2006093892.tif 000012
【図１１】
2006093892.tif 000013
【図１２】
2006093892.tif 000014
【図１３】
2006093892.tif 000015
【図１４】
2006093892.tif 000016
【図１５】
2006093892.tif 000017
【図１６】
2006093892.tif 000018
【図１７】
2006093892.tif 000019
【図１８】
2006093892.tif 000020
【図１９】
2006093892.tif 000021
【図２０】
2006093892.tif 000022
【図２１】
2006093892.tif 000023
【図２２】
2006093892.tif 000024
【図２３】
2006093892.tif 000025
【図２４】
2006093892.tif 000026
【図２５】
2006093892.tif 000027
【図２６】
2006093892.tif 000028
【図２７】
2006093892.tif 000029
【図２８】
2006093892.tif 000030
【図２９】
2006093892.tif 000031
【図３０】
2006093892.tif 000032
【図３１】
2006093892.tif 000033
【図３２】
2006093892.tif 000034
【図３３】
2006093892.tif 000035
【図３４】
2006093892.tif 000036
【図３５】
2006093892.tif 000037
【図３６】
2006093892.tif 000038
【図３７】
2006093892.tif 000039
【図３８】
2006093892.tif 000040
【図３９】
2006093892.tif 000041
【図４０】
2006093892.tif 000042
【図４１】
2006093892.tif 000043
【図４２】
2006093892.tif 000044
【図４３】
2006093892.tif 000045
【図４４】
2006093892.tif 000046
【図４５】
2006093892.tif 000047
【図４６】
2006093892.tif 000048
【図４７】
2006093892.tif 000049
【図４８】
2006093892.tif 000050
【図４９】
2006093892.tif 000051
【図５０】
2006093892.tif 000052
【図５１】
2006093892.tif 000053
【図５２】
2006093892.tif 000054
【図５３】
2006093892.tif 000055
【図５４】
2006093892.tif 000056
【図５５】
2006093892.tif 000057
【図５６】
2006093892.tif 000058
【図５７】
2006093892.tif 000059
【図５８】
2006093892.tif 000060
【図５９】
2006093892.tif 000061
【図６０】
2006093892.tif 000062
【図６１】
2006093892.tif 000063
【図６２】
2006093892.tif 000064
【図６３】
2006093892.tif 000065
【図６４】
2006093892.tif 000066